(57)【要約】      （修正有）【課題】体液サンプル収集システム、機器、及び方法の提供。【解決手段】体液サンプルの収集機器１１００は、サンプル充填部分１１２０、支持物１１３０、および基部１１４０から構成される。サンプル充填部分１１２０は、表面上のサンプル流体を受け入れるための、２つの開口部１１０４及び１１０６と、サンプル収集チャネル１１２６及び１１２８を有する。基部１１４０は、チャネル１１２６及び１１２８と連通する、本体１１３０中のアダプター・チャネル１１５０及び１１５２と係合してサンプルが保持される容器１１４６ａ及び１１４６ｂを有する。基部１１４０中の、容器１１４６ａ及び１１４６ｂは、支持物１１３０に対して滑動し、サンプル収集チャネル１１２６及び１１２８中に流体サンプルを引き抜く。更に毛管力及び／又は重力によって、サンプル収集チャネル１１２６及び１１２８中の流体サンプルを容器１１４６ａ及び１１４６ｂに移動させる。【選択図】図１１−１
2020101561.tif 000002
【特許請求の範囲】
【請求項１】
本明細書に記載の発明。
【発明の詳細な説明】
【背景技術】
【０００１】
（発明の背景）
臨床検査において使用するための血液サンプルは、しばしば静脈穿刺の手段により取得され、それは典型的には、皮下注射針を被験者の静脈に挿入することを含む。皮下注射針により抜き取られた血液は、注射筒に直接抜き取られるか、又は後続する処理のために１つ以上の密封されたバイアルに抜き取られる。静脈穿刺が困難であり得る場合、又は新生児等のように実行不可能である場合には、かかとの穿刺若しくは他の代替的な部位の穿刺等の非静脈穿刺が検査のための血液サンプルの抜き取りのために用いられ得る。血液サンプルが採集された後に、抜き取られたサンプルは、典型的には包装され、及び分析のために処理センターに輸送される。
【０００２】
残念ながら、従来の体液サンプルのサンプル収集及び試験技法は欠点を有する。例えば、最も基本的な検査を除き、現在利用可能な血液検査は、典型的には大幅に高い容積の血液が被験者から抜き取られることを必要とする。高容積の血液のために、より痛みが少なく及び／又はより侵襲的ではない被験者の代替的なサンプル部位からの血液の抜き取りは、従来の検査の方法論に必要な血液の容積を産出しないために好ましくない。場合によっては、静脈穿刺に伴う患者の不安が、患者検査プロトコルへの患者の遵守を低下させ得る。更に、伝統的な収集技法は、単一の血液サンプルを、異なる分析前の処理を行うために、異なる容器に分離することを試みる際に不必要な複雑性を加える。
【発明の概要】
【課題を解決するための手段】
【０００３】
（発明の要旨）
従来技術に伴う少なくともいくつかの不利益は、本開示に記載されるいくつかの、又は全ての実施形態により克服される。本明細書における実施形態は、典型的には血液サンプルを取得する文脈において記載されているが、本明細書における実施形態は、血液サンプルには限定されず、及び分析のために他の流体又は身体サンプルを取得するためにも適応され得ることを理解されたい。
【０００４】
本明細書に記載される一実施形態では、体液サンプルを採集するための機器が提供される。この実施形態は、非静脈的採血にしばしば付随する小容積の体液サンプルを正確に採集するために有用であり得る。１つの非限定的な実施例では、前記サンプル容積は約１ｍＬ以下である。随意的に、前記サンプル容積は約９００μＬ以下である。随意的に、前記サンプル容積は約８００μＬ以下である。随意的に、前記サンプル容積は約７００μＬ以下である。随意的に、前記サンプル容積は約６００μＬ以下である。随意的に、前記サンプル容積は約５００μＬ以下である。随意的に、前記サンプル容積は約４００μＬ以下である。随意的に、前記サンプル容積は約３００μＬ以下である。随意的に、前記サンプル容積は約２００μＬ以下である。随意的に、前記サンプル容積は約１００μＬ以下である。随意的に、前記サンプル容積は約９０μＬ以下である。随意的に、前記サンプル容積は約８０μＬ以下である。随意的に、前記サンプル容積は約７０μＬ以下である。随意的に、前記サンプル容積は約６０μＬ以下である。随意的に、前記サンプル容積は約５０μＬ以下である。
【０００５】
１つの非限定的な実施例では、この機器は、次いで、それぞれの容器に配置される、体液サンプルを直接２つ以上の異なる部分に分割するために用いられ得る。１つの非限定的な実施例では、前記機器は、第一のタイプの原動力を介して、流体サンプルをサンプル収集チャネルに抜き取るために構成された、少なくとも２つのサンプル収集チャネルを有する第一の部分を含み、サンプル収集チャネルの１つは、前記流体サンプルと混合するために設計された内部コーティングを有し、及びサンプル収集チャネルの別の１つは、前記内部コーティングとは、化学的に別の内部コーティングを有する。前記サンプル収集機器は、前記サンプル収集チャネルで収集された体液サンプルを受け入れるための、複数のサンプル容器を含む第二の部分を含み、前記サンプル容器は、収集チャネルとの流体連通のために、操作可能に係合可能であり、流体連通が確立されたときに、前記容器は、前記第一の原動力とは異なる、第二の原動力を、体液サンプルの大部分をチャネルから容器内に移動するために提供する。前記容器は、流体サンプルと前記容器との間の混合が生じないように配置され得る。この機器は、非静脈的な採血に用いられ得るための所望の量のサンプルを得るために、より長い時間的期間を要する可能性があり、及び前記チャンネルを被覆し得る、抗凝血剤等の物質の早期の導入は、収集の間のチャンネルの早すぎる凝固を防止し得る。
【０００６】
本明細書に記載される別の実施形態では、体液サンプルを収集するための機器が提供される。前記機器は、複数のサンプル収集チャネルを含む第一の部分を含み、前記チャネルの少なくとも２つのは、少なくとも２つのサンプル収集チャネルのそれぞれに、第一のタイプの原動力を介して、同時に流体サンプルを引き抜くために構成されている。前記機器は、前記サンプル収集チャネルで収集された体液サンプルを受け入れるための複数のサンプル容器を含む第二の部分も含むことができ、前記サンプル容器は、前記サンプル容器が前記サンプル収集チャネルとの流体連結にない、第一の状態を有することができ、及び前記サンプル容器が操作可能に収集チャネルと流体連通にあるために係合可能な第二の状態も有することができ、流体連通が確立されるとすぐに、前記容器は、チャネルから容器の中に体液サンプルを移動させるために、前記第一の原動力とは異なる第二の原動力を提供する。
【０００７】
本明細書に記載される、更なる実施形態では、第一のタイプの原動力を介して、同時に流体サンプルを少なくとも２つのサンプル収集チャネルのそれぞれの中に引き抜くために構成された、少なくとも２つのサンプル収集チャネルを有するサンプル収集機器を用いることにより、サンプルの最小量を、少なくとも２つのチャネルの中に調量して入れる方法が提供される。所望の量のサンプル流体が、収集チャネル中にあることを確認した後に、前記サンプル収集チャネル及び前記サンプル容器の間に流体連通が確立され、体液サンプルをチャネルから容器中に移動するために、前記容器は前記第一の原動力とは異なる第二の原動力を、前記サンプルを採集するために提供する。いくつかの代替的な実施形態では、体液を収集するための単一のチャネルのみを使用する機器、又は複数のチャネルを有するが、それらを同時に採集しない機器は除外されない。随意的に、サンプル流体の収集は、毛細管作用で吸収する物質を使用しないで遂行される。
【０００８】
一実施形態では、サンプル収集及び前記サンプルのサンプル前処理機器への導入までの間に、別々の時間がある。１つの非限定的な実施例では、前記プロセスは非連続的なプロセスである。前記サンプル収集は、１つの処理ステーションで生じ及び次いで前記サンプルは、第二のステーションに搬送される。この第二のステーションは、前記サンプルのある建物の中にあってよい。随意的に、前記第二のステーションは、第二の場所に到達するために前記サンプルが、徒歩で運ばれること、運転で運ばれること、飛行により運送されること、コンベアで運ばれること、輸送機器に配置されること、又は輸送容器に配置されることが必要である、別の場所にあってよい。このようにして、サンプル輸送に付随する時間を許容するために、処理における別々の中断がある。
【０００９】
本明細書の別の実施形態では、ゲルが前記サンプルの全血の細胞を含まない分画から、細胞、又は他の固体、若しくは半固体の部分を分離するような、分離用のゲルが、前記サンプル容器の中に含まれ得る。そのようなゲル又は他の分離用物質はサンプルが前記サンプル容器に導入される、前に、間に、又は後に、前記サンプル容器に含まれ得る。前記分離用物質は、遠心分離等の分離の間に、前記物質が溶液及び非溶液サンプル層の間の位置に流れることにより、前記サンプル構成要素を分離することができるように細胞及び溶液の構成要素の間の比重を有し得る。遠心分離に続き、前記分離用物質は流動を停止し、及び前記層の間の柔らかい障壁であり続ける。いくつかの実施形態では、前記分離用物質は、より剛性な障壁に硬化するために更に処理され得る。１つの非限定的な実施例では、前記分離用物質は、限定はされないが、ジアクリレート・オリゴマー中のソルビトールを主成分とするゲル化剤の揺変性のゲル等のＵＶ硬化性物質である。前記サンプル容器は、完全な容器を有し得るか、又は随意的に、物質を硬化させるために、限定はされないが、１０〜３０秒等の間、紫外光に曝露されたＵＶ硬化性物質をその部分に有する。そのような硬化はＵＶ硬化性物質中での物質の架橋結合を含み得る。随意的に、前記ＵＶ硬化性物質は、１つの側（溶液側又は固体側）のみがＵＶ硬化型物質と接触することができるように、従来の分離用のゲル物質と併せて用いられ得る。随意的に、ＵＶ硬化型物質は、ＵＶ硬化型物質が２つの分離物質の間にあり、及び前記サンプルの溶液及び非溶液部分と直接接触しないように、第三の物質とともに用いられ得る。
【００１０】
非限定的な一実施例では、被験者の非静脈的な創傷からサンプルを収集するための機器が提供される。
【００１１】
非限定的な一実施例では、被験者からのサンプルを収集し、及び第一のサンプル容器中に、少なくとも１つの等分を拍出するための機器を用いる方法が提供される。
【００１２】
非限定的な一実施例では、被験者からのサンプルを収集し、及び第一のサンプル容器中に、少なくとも１つの等分を拍出し、並びに第二のサンプル容器に、少なくとも第二の等分を拍出するための機器を用いる方法が提供される。
【００１３】
非限定的な一実施例では、被験者からのサンプルを収集し、及び第一のサンプル容器中に、少なくとも１つの等分を拍出し、並びに第二のサンプル容器に、少なくとも第二の等分を拍出するための機器を用いる方法が提供され、サンプルは、前記被験者との単一の接触点から得られる。
【００１４】
非限定的な一実施例では、被験者からのサンプルを収集し、及び第一のサンプル容器中に、少なくとも１つの等分を拍出し、並びに第二のサンプル容器に、少なくとも第二の等分を拍出するための機器を用いる方法が提供され、サンプルは、単一の収集イベントから得られる。
【００１５】
この要旨は、以下の発明の詳細な説明で更に記載される概念の単純化された形態における選択を紹介するために提供される。この要旨は、主張される主題の主要な特徴又は本質的な特性を特定することを意図しておらず、主張される主題の範囲を限定するために用いられることを意図していない。
本発明は、例えば、以下を提供する。
（項目１）
被験者の体液サンプルを収集するための機器であって、前記機器は：
複数のサンプル収集チャネルを含む第一の部分であって、前記チャネルの少なくとも２つは、前記チャネルの少なくとも２つに、同時に、第一の原動力を介してサンプルを引き抜くために構成され；
前記サンプル収集チャネルに収集された体液サンプルを受け取るための複数のサンプル容器を含む第二の部分であって、前記サンプル容器は、前記サンプル収集チャネルと流体連通にない第一の状態、及び前記サンプル容器が前記収集チャネルと流体連結にあるために、操作可能に係合可能な第二の状態を有し、第一の原動力とは異なる第二の原動力が前記チャネルから前記容器内に体液を移動させる機器。
（項目２）
被験者の体液サンプルを収集するための機器であって、前記機器は：
前記被験者と接触する前記機器の単一の端から、前記機器中に前記体液サンプルを引き抜くために構成された、少なくとも２つのサンプル収集経路を含み、それにより流体サンプルを２個の別個のサンプルに分け；
前記サンプル収集経路により収集された前記体液サンプルを受け取るための複数のサンプル容器を含む第二の部分を含み、前記サンプル容器は、前記サンプル収集経路と流体連通にあるために、操作可能に係合可能であり、前記容器に付随する第二の原動力が、前記２個の別個のサンプルの大部分を前記経路から前記容器内に移動用いられる方法。
（項目３）
体液サンプルを収集するための機器であって、前記機器は：
第一のタイプの原動力を介して、その中の流体サンプルを引き抜くために構成された、少なくとも２つのサンプル収集経路に通じる、少なくとも１つの流体収集場所を含む第一の部分；
前記サンプル収集経路から収集された体液サンプルを受け取るための複数のサンプル容器を含む第二の部分であって、前記サンプル収集経路との流体連通にあるために、操作可能に係合可能であり、前記第一の原動力とは異なる第二の原動力が、前記２個の個別のサンプルの大部分を前記経路から前記容器へ移動し；
少なくとも１つの前記サンプル収集経路は、いつ最小充填レベルに達したかを表示するための充填指示器を含み、及び少なくとも１つの前記サンプル容器は、少なくとも１つの前記サンプル収集経路と、流体連通にあるために係合し得る機器。
（項目４）
体液サンプルを収集するための機器であって、前記機器は：
第一のタイプの原動力を介して、その中に流体サンプルを引き抜くために構成された、少なくとも２つのサンプル収集経路を含む第一の部分を含み、
サンプル収集チャネルの１つは、前記流体サンプルと混合するために設計された内部コーティングを有し、及び別の前記サンプル収集チャネルは、前記内部コーティングとは、化学的に異なる別の内部コーティングを有し；
前記サンプル収集チャネルで収集された、体液サンプルを受け入れるための複数のサンプル容器を含む第二の部分を含み、前記サンプル容器は前記サンプル収集経路との流体連通にあるために、操作可能に係合可能であり、前記第一の原動力とは異なる第二の原動力が、前記２個の別個のサンプルの大部分を前記経路から前記容器へ移動させ；
前記容器は、前記容器の間での流体サンプルの混合が生じないように配列される機器。
（項目５）
サンプル収集機器であって、前記機器は以下を含む方法：
（ａ）第一の開口部及び第二の開口部を含み、及び前記第一の開口部から前記第二の開口部に向けて、毛細管作用により、体液サンプルを引き抜くために構成された収集チャネル；並びに
（ｂ）前記体液サンプルを受け取るためのサンプル容器を含み、前記容器は前記収集チャネルと係合可能可能であり、その中が真空の内部を有し、及びチャネルを受け取るために構成されたキャップを有し；
前記第二の開口部は、前記サンプル容器のキャップを貫通し、及び流体の流路を前記収集チャネル及び前記サンプル容器の間に提供するために構成された前記収集チャネルの一部分により画成され、並びに
前記サンプル容器は、前記収集チャネルの内部容積の１０倍未満の内部容積を有する機器。
（項目６）
サンプル収集機器であって、前記機器は：
（ａ）第一の開口部及び第二の開口部を含み、及び前記第一の開口部から前記第二の開口部に向けて、毛細管作用により、体液サンプルを引き抜くために構成された収集チャネルを含み；
（ｂ）前記体液サンプルを受け取るためのサンプル容器を含み、前記容器は前記収集チャネルと係合可能可能であり、その中が真空の内部を有し、及びチャネルを受け取るために構成されたキャップを有し；並びに
（ｃ）流体流路を前記収集チャネル及び前記サンプル容器の間に提供するために構成されたアダプター・チャネルを含み、第一の開口部及び第二の開口部を有し、前記第一の開口部は、前記収集チャネルの第二の開口部に接触するために構成され、前記第二の開口部は、前記サンプル容器のキャップを貫通するために構成される機器。
（項目７）
サンプル収集機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記体液サンプルを受け取るためのサンプル容器を含む基部を含み、前記サンプル容器は前記収集チャネルと係合可能であり、その中が真空の内部を有し、及びチャネルを受け取るために構成されたキャップを有し；及び
（ｃ）支持物を含み、
前記サンプル収集機器が、伸長状態及び圧縮状態を持つために構成され、前記機器の伸長状態では圧縮状態におけるよりも、少なくとも前記基部の一部分が、前記本体により近くなることができるように、前記本体及び前記基部は、前記支持物の反対側の端に結合され、及び互いに対して移動可能に構成され、
前記収集チャネルの第二の開口部は、前記サンプル容器のキャップを貫通するために構成され、
前記機器の伸長状態では、前記収集チャネルの第二の開口部は、前記サンプル容器の内部と接触せず、並びに
前記機器の圧縮状態では、前記収集チャネルの第二の開口部は、前記容器のキャップを貫通して前記サンプル容器の内部に延伸し、それにより前記収集チャネル及び前記サンプル容器の間に流体的連通を提供する機器。
（項目８）
サンプル収集機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記体液サンプルを受け取るためのサンプル容器を含む基部であって、前記サンプル容器は前記収集チャネルと係合可能であり、その中が真空の内部を有し、及びチャネルを受け取るために構成されたキャップを有し；
（ｃ）支持物を含み、並びに
（ｄ）第一の開口部及び第二の開口部を有するアダプター・チャネルを含み、前記第一の開口部は、前記収集チャネルの第二の開口部と接触するために構成され、及び前記第二の開口部前記サンプル容器のキャップを貫通するために構成され、
前記サンプル収集機器が、伸長状態及び圧縮状態を持つために構成され、前記機器の伸長状態では圧縮状態におけるよりも、少なくとも前記基部の一部分が、前記本体により近くなることができるように、前記本体及び前記基部は、前記支持物の反対側の端に結合され、及び互いに対して移動可能に構成され、前記機器の伸長状態では、前記アダプター・チャネルは、前記収集チャネル及び前記サンプル容器の内部の１つ又は両方と接触状態になく、及び前記機器の圧縮状態では、前記アダプター・チャネルの第一の開口部は、前記収集チャネルの第二の開口部と接触状態にあり、及び前記アダプター・チャネルの第二の開口部は、前記容器のキャップを貫通して、前記サンプル容器内部に伸長し、それにより前記収集チャネル及び前記サンプル容器の間に流体的連通を提供する機器
（項目９）
被験者からのサンプルを収集するための機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記本体に係合する基部を含み、前記基部はサンプル容器を支持し、前記容器は前記収集チャネルと係合可能であり、その中が真空の内部を有し、及びチャネルを受け取るために構成されたキャップを有し；
前記収集チャネルの第二の開口部は、前記容器のキャップを貫通して、前記サンプル容器内部に伸長し、それにより前記収集チャネル及び前記サンプル容器の間に流体的連通を提供するために構成される機器。
（項目１０）
被験者からのサンプルを収集するための機器であって、前記機器は：
（ａ）収集チャネルを含む本体を含み、前記収集チャネルは、第一の開口部及び第二の開口部を含み、及び前記第一の開口部から前記第二の開口部に向けて、毛細管作用により、体液サンプルを引き抜くために構成され；
（ｂ）前記本体に係合する基部を含み、前記基部はサンプル容器を支持し、前記容器は前記収集チャネルと係合可能であり、その中が真空の内部を有し、及びチャネルを受け取るために構成されたキャップを有し；
（ｃ）第一の開口部及び第二の開口部を有するアダプター・チャネルを含み、前記第一の開口部は、前記収集チャネルの第二の開口部と接触するために構成され、及び前記第二の開口部は、前記サンプル容器のキャップを貫通するために構成される機器。
（項目１１）
前記本体が２個の収集チャネルを含む、上記項目のいずれか１つに記載の機器。
（項目１２）
前記収集チャネルの内部が抗凝血剤で被覆される、上記項目のいずれか１つに記載の機器。
（項目１３）
前記本体が第一の収集チャネル及び第二の収集チャネルを含み、及び前記第一の収集チャネルの内部が、前記第二の収集チャネルの内部とは異なる抗凝血剤で被覆される、項目１０に記載の機器。
（項目１４）
前記第一の抗凝血剤がエチレンジアミン四酢酸（ＥＤＴＡ）であり、及び前記第二の抗凝血剤が、ＥＤＴＡとは異なる、項目１１に記載の機器。
（項目１５）
前記第一の抗凝血剤がクエン酸塩であり、及び前記第二の抗凝血剤がクエン酸塩とは異なる、項目１１に記載の機器。
（項目１６）
前記第一の抗凝血剤がヘパリンであり、及び前記第二の抗凝血剤がヘパリンとは異なる、項目１１に記載の機器。
（項目１７）
前記本体が、光学的に透過性の物質で形成される、上記項目のいずれか１つに記載の機器。
（項目１８）
前記機器が、収集チャネルと同じ数のサンプル容器を含む、上記項目のいずれか１つに記載の機器。
（項目１９）
前記機器が、収集チャネルと同じ数のアダプター・チャネルを含む、項目４，６、又は８〜１４のいずれか１つに記載の機器。
（項目２０）
前記基部が、前記サンプルが前記基部中のサンプル容器に到達したかの可視的表示を提供する光学的測定器を含む、上記項目のいずれか１つに記載の機器。
（項目２１）
前記基部内の容器を見ることを可能にするために、前記基部が窓である、項目１６に記載の機器。
（項目２２）
前記支持物がスプリングを含み、及び前記機器が自然な状態にあるときに、前記伸長状態にあることができるようにスプリングが力を発揮する、項目５，６、又は９〜１７のいずれか１つに記載の機器。
（項目２３）
前記収集チャネルの第二の開口部、又は前記アダプター・チャネルが、スリーブにより蓋をされ、前記スリーブは、毛細管作用を介する、前記第一の開口部から、前記第二の開口部に向かう、体液の動きを防止しない、上記項目のいずれか１つに記載の機器。
（項目２４）
前記スリーブが、通気口を含む、項目１９に記載の機器。
（項目２５）
それぞれの収集チャネル５００μＬ程度の容積を含み得る、上記項目のいずれか１つに記載の機器。
（項目２６）
各収集チャネルが２００μＬ程度の容積を保持できる、上記項目のいずれか１つに記載の機器。
（項目２７）
各収集チャネルが１００μＬ程度の容積を保持できる、上記項目のいずれか１つに記載の機器。
（項目２８）
前記各収集チャネルの断面の内部の外周が１６ｍｍ程度である、上記項目のいずれか１つに記載の機器。
（項目２９）
前記各収集チャネルの断面の内部の外周が８ｍｍ程度である、上記項目のいずれか１つに記載の機器。
（項目３０）
前記各収集チャネルの断面の内部の外周が４ｍｍ程度である、上記項目のいずれか１つに記載の機器。
（項目３１）
前記内部の外周が円周である、上記項目のいずれか１つに記載の機器。
（項目３２）
前記機器が第一の及び第二の収集チャネルを含み、及び前記第一のチャネルの開口部が、前記第二のチャネルの開口部に隣接し、及び前記開口部は、単一の血液滴から、血液を同時に引き抜くために構成される、上記項目のいずれか１つに記載の機器。
（項目３３）
前記第一のチャネルの開口部及び前記第二のチャネルの開口部の中心から中心への間隔が約５ｍｍ以下である、項目２８に記載の機器。
（項目３４）
各サンプル容器が、それが係合可能である、前記収集チャネルの内部容積の２０倍程度の内部容積を有する、上記項目のいずれか１つに記載の機器。
（項目３５）
各サンプル容器が、それが係合可能である、前記収集チャネルの内部容積の１０倍程度の内部容積を有する、上記項目のいずれか１つに記載の機器。
（項目３６）
各サンプル容器が、それが係合可能である、前記収集チャネルの内部容積の５倍程度の内部容積を有する、上記項目のいずれか１つに記載の機器。
（項目３７）
各サンプル容器が、それが係合可能である、前記収集チャネルの内部容積の２倍程度の内部容積を有する、項目３２に記載の機器。
（項目３８）
前記収集チャネル及び前記サンプル容器の間の流体的連通の確立が、前記収集チャネル中の少なくとも９０％の前記体液サンプルを前記サンプル容器に移動することをもたらす、上記項目のいずれか１つに記載の機器。
（項目３９）
前記収集チャネル及び前記サンプル容器の間の流体的連通の確立が、前記収集チャネル中の少なくとも９５％の前記体液サンプルを前記サンプル容器に移動することをもたらす、項目３４に記載の機器。
（項目４０）
前記収集チャネル及び前記サンプル容器の間の流体的連通の確立が、前記収集チャネル中の少なくとも９８％の前記体液サンプルを前記サンプル容器に移動することをもたらす、項目３５に記載の機器。
（項目４１）
前記収集チャネル及び前記サンプル容器の間の流体的連通の確立が、前記収集チャネル中の前記体液サンプルの前記サンプル容器中への移動をもたらし、１０μＬ程度の体液サンプルが、前記収集チャネルに残存することをもたらす、上記項目のいずれか１つに記載の機器。
（項目４２）
前記収集チャネル及び前記サンプル容器の間の流体的連通の確立が、前記収集チャネル中の前記体液サンプルの前記サンプル容器中への移動をもたらし、５μＬ程度の体液サンプルが、前記収集チャネルに残存することをもたらす、項目３７に記載の機器。
（項目４３）
前記収集チャネル及び前記サンプル容器の間の流体的連通の確立が、前記収集チャネル中の前記体液サンプルの前記サンプル容器中への移動をもたらし、２μＬ程度の体液サンプルが、前記収集チャネルに残存することをもたらす、項目３９に記載の機器。
（項目４４）
方法であって：
前記サンプルを前記サンプル収集機器の少なくとも２個の収集チャネル中に、第一のタイプの原動力の手段により引き抜くことにより、前記サンプルを、少なくとも２つの部分に、分けるために、サンプル収集機器の１つの端を体液サンプルに接触することを含み；
所望の量のサンプル流体が少なくとも１つの前記収集チャネル内にあることを確認した後に、前記サンプル収集チャネル及び前記サンプル容器の間に流体連通を確立することを含み、前記容器は、体液サンプル部分のそれぞれを、それぞれの容器内に移動するために、前記第一の原動力とは異なる第二の原動力を提供する方法。
（項目４５）
方法であって:
第一のタイプの原動力を介して、流体サンプルを、それぞれの少なくとも２つのサンプル収集チャネル内に同時に抜き取るために構成された、少なくとも２つのサンプル収集チャネルを持つサンプル収集機器を用いて、サンプルの最小量を、少なくとも２つの前記チャネルに調量して入れることを含み；
所望の量のサンプル流体が少なくとも１つの前記収集チャネル内にあることを確認した後に、前記サンプル収集チャネル及び前記サンプル容器の間に流体連通を確立することを含み、前記容器は、体液サンプル部分のそれぞれを、それぞれの容器内に移動するために、収集するために用いられる、前記第一の原動力とは異なる第二の原動力を提供する方法。
（項目４６）
体液サンプルを収集するための方法であって、前記方法は：
（ａ）体液サンプルを収集チャネルを含む機器と接触させることを含み、前記収集チャネルは第一の開口部及び第二の開口部を含み、前記体液サンプルが、及び前記第一の開口部から前記第二の開口部を経て前記収集チャネルを充填できるように前記第一の開口部から前記第二の開口部に向けて、毛細管作用により、体液サンプルを引き抜くために構成され；
（ｂ）前記収集チャネル及び前記サンプル容器内部の間の流体流路を確立することを含み、前記サンプル容器は、前記収集チャネルの内部容積の１０倍程度の内部容積を有し、並びに前記収集チャネル及び前記サンプル容器内部の流体流路の確立が、前記収集チャネルの第二の開口部において陰圧を生成し、及び前記流体性サンプルが、前記収集チャネルから前記サンプル容器内部へ移動されるように、前記収集チャネル及び前記サンプル容器内部の間の流体流路の確立の前には、真空を有する方法。
（項目４７）
体液サンプルを収集するための方法であって、前記方法は：
（ａ）前記体液サンプルが、前記第一の開口部から、前記機器中の少なくとも１つの前記収集チャネルの前記第二の開口部を経て前記収集チャネルを充填することができるように体液サンプルを項目１〜３７のいずれか１つに記載の機器と接触させることを含み；
（ｂ）前記収集チャネル及び前記サンプル容器内部の流体流路の確立が、前記収集チャネルの第二の開口部において陰圧を生成し、及び前記流体性サンプルが、前記収集チャネルから前記サンプル容器内部へ移動されるように、前記収集チャネル及び前記サンプル容器内部の間に流体流路を確立することを含む方法。
（項目４８）
前記体液が、前記収集チャネルの第二の開口部に達するまでは、前記収集チャネル及び前記サンプル容器内部が連通にもたらされない、項目４０〜４２のいずれか１つに記載の方法。
（項目４９）
前記機器が２個の収集チャネルを含み、並びに前記体液が、前記両方の収集チャネルの第二の開口部に達するまでは、前記収集チャネル及び前記サンプル容器内部が連通にもたらされない、項目４０〜４３のいずれか１つに記載の方法。
（項目５０）
前記機器中の収集チャネルの第二の開口部が、前記サンプル容器のキャップを貫通するために構成され、及び前記収集チャネルの第二の開口部及び前記サンプル容器の間の流体性流路は、前記収集チャネルの第二の開口部が前記サンプル容器のキャップを貫通するように、前記収集チャネルの第二の開口部及び前記サンプル容器の間の相対的な動きを提供することにより確立される、項目４０〜４４のいずれか１つに記載の方法。
（項目５１）
前記機器が、前記機器中のそれぞれの収集チャネルのためのアダプター・チャネルを含み、前記アダプター・チャネルは、第一の開口部及び第二の開口部を含み、前記第一の開口部は前記収集チャネルの第二の開口部と接触するために構成され、並びに前記第二の開口部前記サンプル容器のキャップと接触するために構成され、並びに前記収集チャネル及び前記サンプル容器の間の流体性流路は、前記アダプター・チャネルの第二の開口部が前記サンプル容器のキャップを貫通できるように：（ａ）前記収集チャネルの第二の開口部、（ｂ）前記アダプター・チャネル、及び（ｃ）前記サンプル容器の２つ以上の間の相対的な動きを提供することにより確立される、項目４０〜４５のいずれか１つに記載の方法。
（項目５２）
被験者から体液サンプルを収集するための方法であって、前記方法は:
（ａ）第一のチャネル及び第二のチャネルを含む機器を、前記被験者からの体液との流体的連通にもたらすことを含み、各チャネルは、前記体液との流体的連通のために構成された、流入開口部を有し、各チャネルは、各チャネルの入り口開口部の下流に流出開口部を有し、及び各チャネルは、前記流入開口部から前記流出開口部に向かって毛細管作用を介して、体液を引き抜くために構成され；
（ｂ）前記第一のチャネル及び前記第二のチャネルのそれぞれの前記流出開口部を介して、前記第一のチャネル及び前記第二のチャネルを、それぞれ第一の容器及び第二の容器との流体的連通にもたらすことを含み；及び
（ｃ）前記第一のチャネル及び第二のチャネルのそれぞれの中の前記体液を、以下の（ｉ）又は（ｉｉ）の支援により、前記第一の容器及び第二の容器のそれぞれに向かわせることを含む方法：
（ｉ）前記第一の容器又は前記第二の容器陰圧内の大気圧に対する陰圧であって、前記陰圧は、前記体液が前記第一のチャネル又は前記第二のチャネルを通過して対応する容器内に流れ込むのに十分である、又は
（ｉｉ）前記第一のチャネル又は前記第二のチャネル内の大気圧に対する陽圧であって、前記陽圧前記体液が前記第一のチャネル又は前記第二のチャネルを通過して対応する容器内に流れ込むのに十分である。
（項目５３）
サンプル収集機器を製造する方法であって、前記方法は：
少なくとも２つのサンプル収集チャネルのそれぞれの中に、第一のタイプの原動力を介して流体サンプルを同時に引き抜くために構成された、少なくとも２つのチャネルを持つ、サンプル収集機器の１つの部分を形成することを含み；
サンプル容器を形成することを含み、前記チャネルから前記容器内に体液サンプルを移動するために前記サンプルを採集するために用いる、前記第一の原動力とは異なる第二の原動力を提供するために、前記容器は前記サンプル収集機器と連結するために構成される方法。
（項目５４）
方法を遂行するための、コンピュータにより遂行される指示であって：
少なくとも２つのサンプル収集チャネルのそれぞれの中に、第一のタイプの原動力を介して流体サンプルを同時に引き抜くために構成された、少なくとも２つのチャネルを持つ、サンプル収集機器の１つの部分を形成することを含む指示。
（項目５５）
方法を遂行するための、コンピュータにより遂行される指示であって：
サンプル容器を形成することを含み、前記チャネルから前記容器内に体液サンプルを移動するために前記サンプルを採集するために用いる、前記第一の原動力とは異なる第二の原動力を提供するために、前記容器は前記サンプル収集機器と連結するために構成される指示。
（項目５６）
被験者から体液サンプルを収集するための機器であって、前記機器は：
：体液サンプルを、前記機器の前記被験者と接触する単一の端から前記機器内に抜き取る手段を含み、それにより流体サンプルを２つの個別のサンプルに分離し；流体サンプルを、複数のサンプル容器の中に移動する手段を含み、前記容器は、２つの個別のサンプルの大部分を、容器の中への経路から移動させる原動力を提供する機器。
（項目５７）
サンプル収集機器を含む機器。
（項目５８）
サンプルを被験者から収集するための機器。
（項目５９）
毛細管血液サンプルを被験者から収集するための機器。
（項目６０）
被験者上の非静脈創傷からサンプルを収集するための機器。
（項目６１）
被験者からのサンプルを収集し、及び第一のサンプル容器中に、少なくとも１つの等分を拍出するための機器を用いる方法。
（項目６２）
被験者からのサンプルを収集し、及び第一のサンプル容器中に、少なくとも１つの等分を拍出し、並びに第二のサンプル容器に、少なくとも第二の等分を拍出するための機器を用いる方法。
（項目６３）
被験者からのサンプルを収集し、及び第一のサンプル容器中に、少なくとも１つの等分を拍出し、並びに第二のサンプル容器に、少なくとも第二の等分を拍出するための機器を用いる方法であって、サンプルは、前記被験者との単一の接触点から得られる方法。
（項目６４）
被験者からのサンプルを収集し、及び第一のサンプル容器中に、少なくとも１つの等分を拍出し、並びに第二のサンプル容器に、少なくとも第二の等分を拍出するための機器を用いる方法であって、前記サンプルは、単一の収集イベントから得られる方法。
（項目６５）
少なくともサンプルの所望のサンプル希釈及び少なくとも所望の数の等分を決定するためにプログラムされたプロセッサを含む方法。
（項目６６）
以上の項目のいずれかからの少なくとも１つの技術的な特徴を含む方法。
（項目６７）
以上の項目のいずれかからの少なくとも２つの技術的な特徴を含む方法。
（項目６８）
以上の項目のいずれかからの少なくとも１つの技術的な特徴を含む機器。
（項目６９）
以上の項目のいずれかからの少なくとも２つの技術的な特徴を含む機器。
（項目７０）
以上の項目のいずれかからの少なくとも１つの技術的な特徴を含むシステム。
（項目７１）
以上の項目のいずれかからの少なくとも２つの技術的な特徴を含むシステム。
【００１６】
（参照による組み込み）
本明細書において言及される、全ての刊行物、特許及び特許出願は、個々の刊行物、特許及び特許出願のそれぞれが、参照により組み込まれるために、あたかも明確に、及び個々に参照により示されるのと同程度に、参照により本明細書に組み込まれる。しかしながら、本発明の明確な開示の内容と参照により本明細書に組み込まれた文書の内容の間に矛盾がある場合には、本発明の明確な開示の内容が支配する。
【図面の簡単な説明】
【００１７】
【図１】図１Ａ〜１Ｂは、本明細書に記載される一実施形態によるサンプル収集機器の透視図を示す。
【００１８】
【図２】図２Ａ〜２Ｃは、本明細書に記載される一実施形態による、キャップの無いサンプル収集機器の透視図を示す。
【００１９】
【図３】図３Ａ〜３Ｂは、本明細書に記載される一実施形態による、サンプル収集機器の側面図及び断面図を示す。
【００２０】
【図４】図４Ａ〜４Ｂは、本明細書に記載される一実施形態による、サンプル収集機器の側面図及び断面図を示す。
【００２１】
【図５】図５Ａ〜５Ｂは、本明細書に記載される一実施形態によるサンプル収集機器の透視図を示す。
【００２２】
【図６】図６Ａ〜６Ｂは、本明細書に記載される一実施形態による、サンプル収集機器の側面図を示す。
【００２３】
【図７】図７Ａ〜８Ｂ本明細書に記載される一実施形態による、サンプル収集機器の側面図及び断面図を示す。
【図８】図７Ａ〜８Ｂ本明細書に記載される一実施形態による、サンプル収集機器の側面図及び断面図を示す。
【００２４】
【図９】図９Ａ〜９Ｃは、本明細書に記載される一実施形態による、サンプル収集機器の使用のさまざまなステージの側面断面図を示す。
【００２５】
【図１０】図１０Ａ〜１０Ｂは、本明細書に記載される一実施形態によるサンプル収集機器の透視図を示す。
【００２６】
【図１１−１】図１１Ａ〜１１Ｚは、本明細書に記載される一実施形態によるサンプル収集機器の様々な実施例の図を示す。
【図１１−２】図１１Ａ〜１１Ｚは、本明細書に記載される一実施形態によるサンプル収集機器の様々な実施例の図を示す。
【図１１−３】図１１Ａ〜１１Ｚは、本明細書に記載される一実施形態によるサンプル収集機器の様々な実施例の図を示す。
【図１１−４】図１１Ａ〜１１Ｚは、本明細書に記載される一実施形態によるサンプル収集機器の様々な実施例の図を示す。
【図１１−５】図１１Ａ〜１１Ｚは、本明細書に記載される一実施形態によるサンプル収集機器の様々な実施例の図を示す。
【図１１−６】図１１Ａ〜１１Ｚは、本明細書に記載される一実施形態によるサンプル収集機器の様々な実施例の図を示す。
【図１１−７】図１１Ａ〜１１Ｚは、本明細書に記載される一実施形態によるサンプル収集機器の様々な実施例の図を示す。
【図１１−８】図１１Ａ〜１１Ｚは、本明細書に記載される一実施形態によるサンプル収集機器の様々な実施例の図を示す。
【図１１−９】図１１Ａ〜１１Ｚは、本明細書に記載される一実施形態によるサンプル収集機器の様々な実施例の図を示す。
【図１１−１０】図１１Ａ〜１１Ｚは、本明細書に記載される一実施形態によるサンプル収集機器の様々な実施例の図を示す。
【００２７】
【図１２】図１２は、スリーブのチップ部分及び、本明細書に記載される一実施形態に付随するスリーブのチップ部分の概略図及びそれに付随する力のバランスを示す。
【００２８】
【図１３−１】図１３Ａ〜１３Ｄは、本明細書に記載される実施形態による上に向いた収集場所を持つ、様々な収集機器の図を示す。
【図１３−２】図１３Ａ〜１３Ｄは、本明細書に記載される実施形態による上に向いた収集場所を持つ、様々な収集機器の図を示す。
【００２９】
【図１４】図１４〜１５は、本明細書に記載される一実施形態による単一の収集場所を持つ収集機器の様々な図を示す。
【図１５】図１４〜１５は、本明細書に記載される一実施形態による単一の収集場所を持つ収集機器の様々な図を示す。
【００３０】
【図１６】図１６〜１７は、本明細書に記載される一実施形態による、識別器を有する容器を用いるサンプル収集機器の透視図及び端面図を示す。
【図１７】図１６〜１７は、本明細書に記載される一実施形態による、識別器を有する容器を用いるサンプル収集機器の透視図及び端面図を示す。
【００３１】
【図１８−１】図１８Ａ〜１８Ｇは、本明細書に記載される実施形態による、サンプル容器の様々な図を示す。
【図１８−２】図１８Ａ〜１８Ｇは、本明細書に記載される実施形態による、サンプル容器の様々な図を示す。
【図１８−３】図１８Ａ〜１８Ｇは、本明細書に記載される実施形態による、サンプル容器の様々な図を示す。
【００３２】
【図１９】図１９Ａ〜１９Ｃは、サンプル収集機器の前端面の様々な実施形態の図を示す。
【００３３】
【図２０】図２０〜２１は、一体化された組織貫通部材を持つサンプル収集機器の様々な実施形態を示す。
【図２１】図２０〜２１は、一体化された組織貫通部材を持つサンプル収集機器の様々な実施形態を示す。
【００３４】
【図２２】図２２は、本明細書に記載される実施形態による、血液容器貫通器及びサンプル収集器と共に用いられる、収集機器の透視図を示す。
【００３５】
【図２３】図２３〜２８は、本明細書に記載される実施形態による、様々なサンプル収集器と共に用いられる収集機器の様々な図を示す。
【図２４】図２３〜２８は、本明細書に記載される実施形態による、様々なサンプル収集器と共に用いられる収集機器の様々な図を示す。
【図２５】図２３〜２８は、本明細書に記載される実施形態による、様々なサンプル収集器と共に用いられる収集機器の様々な図を示す。
【図２６】図２３〜２８は、本明細書に記載される実施形態による、様々なサンプル収集器と共に用いられる収集機器の様々な図を示す。
【図２７】図２３〜２８は、本明細書に記載される実施形態による、様々なサンプル収集器と共に用いられる収集機器の様々な図を示す。
【図２８】図２３〜２８は、本明細書に記載される実施形態による、様々なサンプル収集器と共に用いられる収集機器の様々な図を示す。
【００３６】
【図２９】図２９Ａ〜２９Ｃは、本明細書に記載されるさまざまな実施形態の概略図を示す。
【００３７】
【図３０】図３０〜３１は、本明細書に記載される実施形態による、方法の概略図を示す。
【図３１】図３０〜３１は、本明細書に記載される実施形態による、方法の概略図を示す。
【００３８】
【図３２】図３２は、本明細書に記載されるシステムの一実施形態の概略図を示す。
【００３９】
【図３３】図３３〜３９は、本明細書に記載される他の実施形態の様々な図を示す。
【図３４】図３３〜３９は、本明細書に記載される他の実施形態の様々な図を示す。
【図３５】図３３〜３９は、本明細書に記載される他の実施形態の様々な図を示す。
【図３６】図３３〜３９は、本明細書に記載される他の実施形態の様々な図を示す。
【図３７】図３３〜３９は、本明細書に記載される他の実施形態の様々な図を示す。
【図３８−１】図３３〜３９は、本明細書に記載される他の実施形態の様々な図を示す。
【図３８−２】図３３〜３９は、本明細書に記載される他の実施形態の様々な図を示す。
【図３９】図３３〜３９は、本明細書に記載される他の実施形態の様々な図を示す。
【発明を実施するための形態】
【００４０】
（具体的な実施形態の記載）
上述の一般的な記載、及び以下の詳細な記載は、単に例示的及び説明的なものであり、主張されるように発明を制限するものではないことを理解されたい。本明細書及び付属する特許請求の範囲において用いられる、単数形である、「ａ（１つ）」「ａｎ（１つ）」「ｔｈｅ（前記の）」は、文脈において明白に示さない限り、複数の意味を含むことに注意されたい。従って、例えば、“ａ  ｍａｔｅｒｉａｌ”への言及は、物質の混合物を含むことができ、“ａ  ｃｏｍｐｏｕｎｄ”は、複数の化合物を含むことができる等である。本明細書において参照される参考文献は、本明細書に明白に説明される教示と矛盾しない範囲において、その全体が参照により本明細書に組み込まれる。
【００４１】
本明細書及び続く特許請求の範囲において、一連の用語についての言及が行われるが、それらは以下の意味を持つものとして定義される：
【００４２】
「随意的な」（“ｏｐｔｉｏｎａｌ”）又は「随意的に」（“ｏｐｔｉｏｎａｌｌｙ”）は、この記載が、後続して記載される状況が、生じる場合及び生じない場合を含むことができるために、生じても又は生じなくてもよいことを意味する。例えば、機器が随意的にサンプル収集ウエルのための特性を含む場合、このことは、このサンプル収集ウエルが、存在しても、存在しなくてもよく、及び、従って、この記述は機器がサンプル収集ウエルを保有する構造、及びサンプル収集ウエルを保有しない構造の両方を含む。
【００４３】
図１Ａ〜１Ｂを参照して、サンプル収集機器の一実施形態１００について記載する。この非限定的な実施例では、前記サンプル収集機器１００は、収集機器本体１２０、支持物１３０、及び基部１４０を含み得る。ある場合には、キャップ１１０が随意的に提供され得る。一実施形態では、前記キャップは、開口部を保護するために、それを清浄に保つために、収集後の血の付いたチップを覆うために用いられ得る。随意的に又は代替的に、前記キャップは、毛細管に提供される開孔の量を制御することにより、サンプル流体を前記サンプル容器に移動する間の流速を制限するためにも用いられ得る。いくつかの実施形態は、通気経路（永久に開口しているか、又は操作可能に閉鎖可能な）を前記キャップに含むことができる一方で、他のものは含まない。随意的に、収集機器本体１２０は、限定はされないが、サンプルＢを受け入れる能力を有する、その中の収集チャネル１２２ａ、１２２ｂ等の、１つ以上の収集経路を有する、前記機器の第一の部分１００を含み得る。図１Ａは、サンプルＢが単に部分的にチャネル１２２ａ、１２２ｂを満たすことを示すが、いくつかの代替的な実施形態では部分的な充填が除外されないが、ほとんどの実施形態では、前記チャネルは、充填プロセスが完了した時に、サンプルＢにより完全に満たされることを理解されたい。この実施形態では、前記基部１４０は、限定はされないが、サンプルが基部に収納される１つ以上の容器に到達したかを表示し得る光学的測定器等の、１つ以上の充填測定器１４２ａ、１４２ｂを有し得る。この表示は、可視的な表示の手段によることができるが、音、振動等の、又は他の表示方法が、前記表示方法の代わりに、又はそれと組み合わせて用いられ得ることを理解されたい。前記測定器は少なくとも１つの容器上にあり得る。本明細書に記載される実施形態に対する変形及び代替物があることができ、及びどの単一の実施形態も、完全な発明を包含すると解釈されるべきではない。
【００４４】
図示の容易さのために示されていないが、前記支持物１３０は、前記チャネル１２２ａ及び１２２ｂにおいて、望ましい充填レベルが到達されたか否かを示す１つ以上の充填測定器も含み得る。これは、充填測定器１４２ａ、１４２ｂの代わりに、又はそれらと組み合わせて用いられ得る。もちろん、前記１つ以上の経路の充填測定器が他の部分に配置されることができ、及び支持物１３０上に存在することに限定されない。１つ以上の前記チャネル１２２ａ及び１２２ｂにおける充填レベルのこの表示が、可視的な表示の手段によるが、音、振動等の、又は他の表示方法が、前記表示方法の代わりに、又はそれと組み合わせて用いられ得ることを理解されたい。前記測定器は、前記収集経路の少なくとも１つの上にあり得る。随意的に、測定器は全ての収集経路上にあり得る。
【００４５】
本実施形態では、前記支持物１３０は本体１２０に結合するために用いられることができ、及び前記基部１４０は統合された機器を形成するために用いられる。前記機器本体１２０、支持物１３０、及び基部１４０が分離した部品として記載されているが、製造を単純化させるために、それらの部分の１つ以上が、一体的に形成され、及び本明細書では、そのような一定化は除外されないことを理解されたい。
【００４６】
本明細書のいくつかの実施形態では、キャップ１１０は随意的に提供され得る。１つの非限定的な実施例では、前記キャップは、収集機器本体１２０の一部分の上に嵌合され得る。前記キャップ１１０は前記収集機器本体１２０から取り外し可能であり得る。ある場合には、前記キャップ１１０は収集機器本体１２０から完全に分離することができるか、又は限定はされないが、ヒンジ取り付けされたか、又は他の方法で収集機器に結合された等の、収集機器本体に結合された部分を保持することができる。前記キャップ１１０は、その中に１つ以上のチャネルの露出された端を含む前記収集機器本体１２０の一部分を覆うことができる。前記キャップ１１０は、前記キャップが適正な場所にある場合に、空気、流体、又は微粒子等の物体が前記機器本体内の前記チャネルに入ることを防止する。随意的に、前記キャップ１１０は、当技術分野で周知の、又は後日に開発される任意の技法を用いて収集本体１２０に取り付けられ得る。例えば、前記キャップは、スナップ嵌合され、ねじり入れ嵌合され、摩擦嵌合され、叩きつけられ、磁気部分を有して、結び付け、弾力性部分を利用して、及び／又は取り外し可能に、収集機器本体に結合され得る。前記キャップは、収集機器本体と液密な密封を形成し得る。前記キャップは、不透明な、透明な、又は半透明な物質から形成され得る。
【００４７】
一実施形態では、サンプル収集機器の収集機器本体１２０は、少なくとも１つ以上の、限定はされないが、その中のチャネル１２２ａ、１２２ｂ等の収集経路の一部分を含み得る。チャネルではない収集経路も除外されないことを理解されたい。前記収集機器本体は、その中に１つ以上のチャネル部分を含み得る、支持物１３０と結合され得る。前記収集機器本体は、永久的に前記支持物に固定され得るか、又は前記支持物に関して取り外し可能であり得る。ある場合には、前記収集機器本体及び前記支持物は、単一の統合された片として形成され得る。代替的に、前記収集機器本体及び支持物は、分離された片として形成され得る。前記機器の作動の間、前記収集機器及び支持物は、互いに対して移動しない。
【００４８】
随意的に、前記収集機器本体１２０は、全体又は部分的に光学的に透過性の物質により形成され得る。例えば、前記収集機器本体は、透明な又は半透明な物質から形成され得る。随意的に、前記流体収集チャネルを可視化するために、本体の選択された部分だけが透明又は半透明であり得る。随意的に、前記本体は、不透明な物質を含むが、その中の充填レベルを示すために、開口部及び／又は窓が、前記本体中に形成され得る。前記収集機器本体は、ユーザーが前記機器本体中の、及び／又はそれを通過する、前記チャネル１２２ａ、１２２ｂを目視することを可能にする。前記チャネルは、ユーザーが前記チャネルを通過してサンプルＢが移動したかを見ることを許容する、透明な又は半透明な物質により形成され得る。前記チャネルは、実質的に同じ長さを有し得る。ある場合には、支持物１３０は、不透明な物質、透明な物質、又は半透明な物質により形成され得る。前記支持物は、前記収集機器本体と同じ光学的特性を有しても、又は有さなくてもよい。前記支持物は、前記収集機器本体とは異なる物質から、又は前記収集機器本体と同じ物質から形成され得る。
【００４９】
前記収集機器本体１２０は、任意の形状又はサイズを有し得る。いくつかの実施例では、前記収集機器本体は、円形、楕円形、三角形、四角形（例えば、正方形、長方形、台形）、五角形、六角形、八角形、又は任意の他の断面の形状を有し得る。前記断面の形状は、前記収集機器本体の長さに沿って同じであり続けるか、又は変化し得る。ある場合には、前記収集機器本体は、約１０ｃｍ２、７ｃｍ２、５ｃｍ２、４ｃｍ２、３ｃｍ２、２．５ｃｍ２、２ｃｍ２、１．５ｃｍ２、１ｃｍ２、０．８ｃｍ２、０．５ｃｍ２、０．３ｃｍ２、又は０．１ｃｍ２以下の断面積を有し得る。前記断面積は、前記収集機器本体１２０の長さに沿って同じであり続けるか、又は変化し得る。前記収集機器本体は、約２０ｃｍ、１５ｃｍ、１２ｃｍ、１０ｃｍ、９ｃｍ、８ｃｍ、７ｃｍ、６ｃｍ、５ｃｍ、４ｃｍ、３ｃｍ、２ｃｍ、１ｃｍ、０．５ｃｍ、又は０．１ｃｍ以下の長さを有し得る。前記収集機器本体１２０は、前記キャップ、支持物、若しくは基部より大きいか、又はより小さい長さを有することができるか、又は前記キャップ、支持物、若しくは基部と等しい長さを有し得る。本明細書に記載される実施形態に対する変形又は代替物があることができ、及びどの単一の実施形態も完全な発明を包含するとは解釈されるべきでない。
【００５０】
一実施形態では、限定はされないがチャネル１２２ａ、１２２ｂ等の前記収集経路は選択された断面の形状を有し得る。前記チャネルのいくつかの実施形態は、前記チャネルの全長にそって同じ断面の形状を有し得る。随意的に、前記断面の形状は、長さに沿って同じであり続けても、又は変化してもよい。例えば、いくつかの実施形態は、１つの位置で１つの形状を有し、及び前記チャネルに沿った１つ以上の異なる位置で、異なる形状を有し得る。いくつかの実施形態は、１つの断面の形状を持つ１つのチャネル、及び異なる断面の形状を持つ少なくとも１つの他のチャネルを有し得る。非限定的な実施例として、いくつかは、楕円形、三角形、四角形（例えば、正方形、長方形、台形）、五角形、六角形、八角形、又は任意の他の断面の形状を有し得る。前記断面の形状は、本体、支持物、及び基部に対して同一であり得るか、又は変化し得る。いくつかの実施形態は、特定のチャネル幅及び／又は高さの前記チャネル中に保持され得る液体の容積を最大化するために、形状を選択し得る。いくつかは、１つの断面の形状を持つ、前記チャネル１２２ａ、１２２ｂの１つを有する一方、別のチャネルは異なる断面の形状を有する。一実施形態では、前記チャネルの断面の形状は、その中の要請気を最大化することを助け得るが、随意的に、血液に対する毛細管引張力の最適化もすることができる。このことは、充填速度の最大化を可能にする。いくつかの実施形態では、前記チャネルの断面の形状は毛細管力に直接に影響することを理解されたい。非限定的な実施例として、サンプルの一定容積が、浅いが広いチャネル、又は丸みを帯びたチャネル中に収容されることができ、両方が同じ容積を含むが、一方が他方に対して充填速度、空気の取り込みの可能性が少ないか、又は前記チャネルの性能に関する因子の点で望ましいことがあり得る。
【００５１】
前記チャネルは、任意の形状又はサイズを有し得るが、いくつかの実施形は、前記チャネルがサンプル流体に接触している間に、毛細管作用を示すことができるように構成される。ある場合には、前記チャネルは、約１０ｍｍ２、７ｍｍ２、５ｍｍ２、４ｍｍ２、３ｍｍ２、２．５ｍｍ２、２ｍｍ２、１．５ｍｍ２、１ｍｍ２、０．８ｍｍ２、０．５ｍｍ２、０．３ｍｍ２、又は０．１ｍｍ２以下の断面積を有し得る。前記断面のサイズは、長さに沿って同一であり続ける得るか、又は変化し得る。いくつかの実施形態は特定の長さにそって、より大きな力のために、及び次いで異なる長さにおいてはより少ない力のために、調整することができる。長さに沿って、前記断面の形状は同じであり続け得るか、又は変化し得る。いくつかのチャネルは、形状において直線である。いくつかの実施形態は、曲線状の又は他の形状の経路の形状のみ、又は直線部分との組み合わせで有し得る。いくつかは、前記機器本体１２０内で異なる配向を有し得る。例えば、前記機器が実質的に水平に保持された場合、１つ以上のチャネルは、前記機器上の最初の収集ポイントから、流体を連れ去る間、下向きに傾斜、上向きに傾斜、又は全く傾斜しないことができる。
【００５２】
前記チャネル１２２ａ、１２２ｂは、前記機器本体１２０及び／又は前記支持物１３０により支持され得る。ある場合には、前記チャネルの全体の長さが、前記機器本体及び支持物の組み合わせの中に包含され得る。ある場合には、前記チャネルの一部分は、前記機器本体内にあることができ、及び前記チャネルの一部分は、前記支持物内にあることができる。前記チャネルの位置は、前記機器本体及び／又は前記支持物により固定され得る。いくつかの実施形態では、前記チャネルは、中空の針の中の管腔として画成され得る。いくつかの実施形態では、前記チャネルは、単に３つの側面について、画成され、少なくとも１つの側面は開放される。随意的に、前記本体からは分離されたカバー層が、さもなければ開放されている、前記側面を画成し得る。いくつかの実施形態は、異なる物質を持つ前記チャネルの異なる側面を画成し得る。これらの物質の全てが前記本体により提供されるか、又はそれらは前記収集機器の異なる片により提供され得る。いくつかの実施形態は、前記チャネルの全てを同一平面上に有し得る。随意的に、いくつかは、少なくとも前記チャネルの一部分を異なる平面及び／又は配向に取り込んだ形状を有し得る。随意的に、いくつかのチャネルは、前提的に異なる平面及び／又は配向にあることができる。
【００５３】
ある場合には、複数のチャネルが提供され得る。いくつかの実施形態では、１つのチャネルが２つ以上のチャネルに分岐する。随意的に、いくつかのチャネルは、さらに大きな数のチャネルに分岐する。いくつかのチャネルは、限定はされないが、前記チャネルに流れを向けるためのバルブ等の制御機構を含み得る。少なくとも前記チャネルの一部分は、互いに実質的に平行であり得る。代替的に、前記チャネルのいずれの部分もたがいに平行である必要はない。ある場合には、少なくとも前記チャネルの一部分はたがいに平行ではない。随意的に、前記チャネルは、わずかに湾曲し得る。随意的に、チャネルは、１つの位置において１つの断面積を有し、及び前記チャネルに沿った異なる位置において、より小さな断面積を有し得る。随意的に、チャネルは、１つの位置において１つの断面積を有し、及び前記チャネルに沿った異なる位置において、より大きな断面積を有し得る。Ｙ型の設計のいくつかの実施形態について、前記チャネルが、サンプルが引っ張られずに、又は他のチャンネルからの交差汚染を受けないように各バイアルについての前記サンプルを適正に画成するために配置された通気孔を持つことが望ましいことがあり得る。非限定的な実施例として、通気孔を持つ一実施形態が図１１Ｉに示される。
【００５４】
基部１４０が前記サンプル収集機器内に提供され得る。前記基部は、前記支持物１３０に結合され得る。ある場合には、前記基部の一部分が、前記支持物内に挿入可能であり、及び／又は前記支持物の一部分が、前記基部内に挿入可能であり得る。前記基部は、前記支持物に対して移動する能力を有し得る。ある場合には、サンプル収集機器は、前記サンプル収集機器の長さに沿って延伸する縦軸を有し得る。前記基部及び／又は支持物は、縦軸の方向において、互いに移動し得る。前記基部及び／又は支持物は、互いに対して、限定された距離を移動し得る。代替的に、前記基部は、前記支持物に対して固定され得る。前記基部は、前記サンプル収集機器のキャップ１１０を含む前記サンプル収集機器の端とは反対側の端に提供され得る。随意的に、いくつかの実施形態は、前記基部の片内に組み立てられる、分離された容器が最早ないように、一体化された基部／容器部分を含み得る。本明細書に記載される実施形態に対する変形及び代替物があることができ、及びどの単一の実施形態も、完全な発明を包含すると解釈されるべきではない。
【００５５】
基部１４０は、その中に１つ以上の容器を収納し得る。前記容器は、前記チャネルと流体的連通にあることができ、及び／又は前記チャネルとの流体的連通状態にもたらされることができる。チャネルの終端は、前記容器内にあることができるか、又は前記容器内にもたらされることができる。基部は、前記基部内に収納される１つ以上の容器にサンプルが到達したかの可視的な表示を提供し得る１つ以上の光学的測定器１４２ａ、１４２ｂを含み得る。いくつかの実施形態では、前記光学的測定器は、前記基部の内部をユーザーが見ることを可能にする光学的窓であり得る。前記光学的窓は、透明な及び／又は半透明な物質から形成され得る。代替的に、前記光学的窓は、その中に何ら物質を持たない開口部であり得る。前記光学的窓は、前記基部内の容器を直接目視することを可能にし得る。前記基部内の容器は、ユーザーが、サンプルが前記基部の容器に到達したかを目視することを可能にする透明な及び／又は半透明な物質から形成され得る。例えば、血液が前記チャネルを経由して容器に到達する場合、前記容器はその中の血液を可視的に表示し得る。他の実施形態では、前記光学的測定器は、容器が充填されたことを表示する他の特性を含み得る。例えば、十分な量のサンプルが容器内に充填されたかを決定し得る１つ以上のセンサーが、前記基部又は容器内に提供され得る。前記１つ以上のセンサーは、前記サンプルが、容器に提供され、及び／又はサンプルの一定量が容器に提供されたかの、前記基部上の光学的測定器に信号を提供し得る。例えば、前記光学的測定器は、ディスプレー、限定はされないが、前記容器が十分に充填されたことの表示を提供し得る、ＬＣＤディスプレー、光ディスプレー（例えば、ＬＥＤディスプレー）、プラズマ・スクリーン・ディスプレー等を含み得る。代替的な実施形態では、光学的測定器は提供される必要はないが、限定はされないが、音声測定器又は温度制御された測定器等の代替的な測定器が、いつ前記容器が充填されたかを表示するために、提供されることができる。
【００５６】
図２Ａ〜２Ｃは、キャップ１１０のないサンプル収集機器２００の図を提供する。前記サンプル収集機器２００は、本体２２０、支持物２３０、及び基部２４０を含み得る。前記本体は、前記支持物に結合され得る。本実施形態では、前記基部２４０は、前記支持物に、本体と結合する端と反対側の端において結合され得る。前記本体は、少なくとも１個、２個、又はそれより多いチャネル２２２ａ、２２２ｂの少なくとも一部分を支持し、及び／又は含み得る。前記チャネルは、前記機器のサンプル受け入れ端２２６からの、サンプル２２４ａ、２２４ｂを受け入れる能力を有する。
【００５７】
前記本体２２０は、その中に中空部分２２５を有し得る。代替的に、前記本体は、中空ではない片から形成され得る。前記チャネル２２２ａ、２２２ｂは、本体中に一体化して形成され得る。例えば、それらは、本体の中空ではない部分を通過する通路であり得る。前記通路は、ドリルにより貫通され得るか、又はリソグラフ的な技法を用いて形成され得る。代替的に、前記チャネルは、前記本体により支持され得る別個の構造であってよい。例えば、前記チャネルは、前記本体により支持され得る１つ以上の管から形成され得る。ある場合には、前記チャネルは、前記本体の中空ではない部分により、適切な位置に保持されることができ、及び前記本体の１つ以上の中空部分通過し得る。随意的に、前記本体２２０は、その中に前記チャネル２２２ａ及び２２２ｂを画成する、互いに結合しあった２つの片から形成され得る。
【００５８】
前記チャネル２２２ａ、２２２ｂは、本明細書の他の部分で言及される１つ以上の特徴又は特性を含み得る。少なくとも前記チャネルの一部分は、互いに平行であり得る。代替的に、前記チャネルは、互いに対して一定の角度にあり得る。いくつかの実施形態では、前記チャネルは、前記サンプル収集機器のサンプル受け入れ端２２６であり得る、第一の端を有し得る。前記チャネルの第一の端は、サンプルを受け入れる能力のある開口端であり得る。いくつかの実施形態では、前記チャネルのそれぞれの端は、前記サンプル収集機器のサンプル受け入れ端に提供され得る。１個、２個、又はそれより多いチャネルが、前記サンプル収集機器のサンプル受け入れ端において第一の端を有し得る。１つのチャネル及び別のチャネルの間での血液の交差汚染の危険性を最小化するために、別個のチャネルが用いられ得る。随意的に、前記チャネルは、共通のチャネルから開始して、及び２つ以上の別個のチャネルに分岐する、逆さまのＹの形状を有し得る。このＹ形状は、汚染が問題ではない状況においては、有用であり得る。随意的に、Ｙ形状に対する代替的な方法は、直線のチャネルであり、及び直線のチャネルからの同じ針に、係合するために順次移動する前記サンプル収集容器を有する。
【００５９】
ある場合には、複数のチャネルが提供され得る。前記チャネルの前記サンプル受け入れ端における端は、互いに近接近してよい。前記チャネルの前記サンプル受け入れ端における端は、互いに隣接し得る。前記チャネルの前記サンプル受け入れ端における端は、互いに接触し得るか、又は互いの縁から縁まで、又は中心から中心までが約０．５ｍｍ、１ｍｍ、２ｍｍ、３ｍｍ、４ｍｍ、５ｍｍ、６ｍｍ、７ｍｍ、８ｍｍ、９ｍｍ、１０ｍｍ、１２ｍｍ、１５ｍｍ、又は２０ｍｍの距離である。前記チャネルは、前記サンプル受け入れ端から、互いに分岐し得る。例えば、前記サンプル受け入れ端における前記チャネルの端に対向する前記チャネルの他の端は、互いにより遠く離れ得る。それらは、互いの縁から縁まで、又は中心から中心までが、約３ｍｍ、４ｍｍ、５ｍｍ、６ｍｍ、７ｍｍ、８ｍｍ、９ｍｍ、１０ｍｍ、１２ｍｍ、１５ｍｍ、２０ｍｍ、２５ｍｍ、又は３０ｍｍ離れ得る。
【００６０】
いくつかの実施形態では、前記本体２２０は細長い形状を有し得る。前記本体は、前記サンプル受け入れ端２２６において、又はその近傍に１つ以上の先細の部分２２８を有し得る。前記本体の側面は、前記サンプル受け入れ端において集束する。前記先細の部分及び／又はサンプル受け入れ端は湾曲し得る。代替的に、縁が提供され得る。前記機器の縦軸に対して任意の角度にある先細の部分の表面が提供され得る。例えば、前記先細の部分は、前記縦軸に対して、約５度、１０度、１５度、３０度、４５度、６０度、又は７５度であり得る。
【００６１】
前記機器の前記サンプル受け入れ端２２６は、サンプルと接触され得る。被験者から直接前記サンプルが提供され得る。前記サンプル受け入れ端は、被験者と、又は被験者と接触するか、若しくは被験者から放出されつつあるサンプルと、接触し得る。例えば、前記サンプル受け入れ端は、被験者の指の血液滴と接触し得る。血液は前記チャネルに入り得る。前記血液は、前記チャネルを通じ、毛細管作用、圧力差、重力、又は任意の他の原動力により輸送され得る。前記血液は、前記チャネルを通じて、サンプル受け入れ端からサンプル送達端まで移動し得る。前記サンプル送達端は、前記機器の基部内に収納される１つ以上の容器と流体連通するか、又は流体連通をもたらされることができる。前記サンプルは、前記チャネルから容器まで通過し得る。前記サンプルは、圧力差、毛細管作用、重力、摩擦、及び／又は任意の他の原動力により、前記容器中に追い込まれることができる。随意的に、前記サンプルは、ピペット、シリンジ等により導入された血液でもあり得る。図２Ｂは、サンプルＢが部分的にのみ前記チャネル２２２ａ、２２２ｂを充填しているが、ほとんどの実施形態では、充填プロセスが完了したときには、前記チャネルはサンプルＢで完全に充填されていることを理解されたい。
【００６２】
図３Ａ〜３Ｂは、前記チャネル３２２ａ、３２２ｂが、前記機器の基部３４０内に収納された１つ以上の容器３４６ａ、３４６ｂと流体連通にもたらされる前のサンプル収集機器の実施例を示している。前記サンプル収集機器は、キャップ３１０、本体３２０、支持物３３０、及び基部３４０を含み得る。前記本体及び／又は支持物は、１個、２個、又はそれより多いチャネルの少なくとも一部分を支持及び／又は包含できる。前記基部は、１個、２個、又はそれより多い容器を支持し及び／又は包含し得る。
【００６３】
一実施形態では、本体３２０及び／又は支持物３３０は、前記サンプル収集機器中の１つ以上のチャネル３２２ａ、３２２ｂを支持し得る。一実施例では、２個のチャネルが提供されるが、２チャンネルの実施形態に関する記載は、限定はされないが、１、３、４、５、６、又はそれより多いチャネル等の任意の数のチャネルに適用し得る。前記チャネルのそれぞれは、前記機器のサンプル受け入れ端３２６において提供され得る、第一の端３２３ａ、３２３ｂを有し得る。それぞれのチャネルの前記第一の端は開口し得る。前記チャネルは、外気に対して開口できる。前記チャネルの第一の端が血液等の流体に接触する場合、前記流体は前記チャネル中に引き抜かれ得る。血液は毛細管作用、又は本明細書の他の部分に記載される任意の他の技法により引き抜かれる。前記血液は、前記チャネルの長さに沿って、前記チャネルのそれぞれの第二の端３２５ａ、３２５ｂまで移動し得る。前記チャネルは、互いに流体的に分離され得る。例えば、流体は、第一の端３２３ａを経由して第一のチャネル３２２ａに入り、前記チャネルの長さを通過し、及び第一のチャネルから３２５ａにおいて出ることができる。同様に、流体は第一の端３２３ｂを経由して、第二のチャネル３２２ｂに入り、前記チャネルの長さを通過し、及び第二のチャネルから第二の端３２５ｂで出ることができる。前記第一の及び第二のチャネルは、第一のチャネルからの流体が第二のチャネルの中を通過しないために、及びその逆のために、流体的に分離され得る。いくつかの実施形態では、前記流体は、前記チャネル第二の端まで、最初に外に出ることなく移動し得る。
【００６４】
前記チャネル３２２ａ、３２２ｂは分岐形状を有し得る。例えば、前記チャネルの第一の端３２３ａ、３２３ｂの間は、前記チャネルの第二の端３２５ａ、３２５ｂの間よりも、互いに近傍にあり得る。前記チャネルの第二の端の間では、前記チャネルの第一の端の間よりも、より多くの空間が提供され得る。前記チャネルの第一の端は、互いに接触しても、又はしなくてもよい。前記チャネルの第一の端は互いに隣接してよい。
【００６５】
基部３４０は、前記サンプル収集の機器支持物３３０に結合され得る。前記基部３４０は、前記支持物と直接接触しても、又はしなくてもよい。前記機器の使用中に、前記基部は前記支持物に対して移動し得る。いくつかの実施形態では、前記基部は、前記支持物に対して縦方向に滑動し得る。ある場合には、前記基部は、前記支持物に対して回転することなく、縦方向に滑動し得る。ある場合には、前記基部は、前記支持物とともに回転することなく、同軸的に滑動し得る。ある場合には、基部は、前記支持物に対して移動している間に回転し得る。前記基部の一部分は、前記支持物の一部分に嵌合するか、又はその逆も成り立ち得る。例えば、前記基部の一部分は、前記支持物の一部分に挿入可能であり、及び／又は前記支持物の一部分が、前記基部に挿入可能である。前記基部及び前記支持物の間の制御された度合の動きを提供するために、前記基部及び／又はそのフレーム中に１つ以上の停止特徴が提供され得る。この停止特徴は、棚、突起部又は溝を含み得る。
【００６６】
前記基部３４０は、１つ以上の容器３４６ａ、３４６ｂを支持する能力を有し得る。前記基部は、少なくとも部分的に１つ以上の容器を囲む筐体を有し得る。ある場合には、前記基部が支持物３３０と係合した場合に、前記容器は完全に包囲され得る。前記基部は、容器を受け入れるために、１つ以上の刻み目、突起部、溝、又は形状づけられた特徴を有し得る。前記基部は、容器の形状に相補的である形状を持つために形成され得る。前記容器は、前記基部に対して正立位置に維持され得る。
【００６７】
チャネルの数と同じ数の容器が提供され得る。例えば、Ｎ個のチャネルが提供され、次いでＮ個の容器が提供されることができ、ここでＮは正の整数である（例えば、１、２、３、４、５、６、７、８、又はそれより多い）。各チャネルは、それぞれの容器に対応する。一実施例では、サンプル収集機器は、第一のチャネル及び第二のチャネルと同時に、それぞれ第一の容器及び第二の容器を有し得る。第一のチャネル３２２ａは、第一の容器３４６ａと連通状態にあるか、又は、連通状態にもたらされるために構成されることができ、及び第二のチャネル３２２ｂは、第二の容器３４６ｂと連通状態にあるか、又は、連通状態にもたらされるために構成されることができる。
【００６８】
いくつかの実施形態では、各容器は、本体３４９ａ、３４９ｂ及びキャップ３４８ａ、３４８ｂを有し得る。ある場合には、前記容器本体は、透明な、又は半透明な物質から形成され得る。前記容器本体は、前記容器の外側から見られた場合に前記容器本体中に提供されたサンプルが、可視的であることを可能にする。前記容器本体は、管状の形状を有し得る。ある場合には、前記容器本体は円筒状の部分を有し得る。前記容器の底は、平坦な、先細の、丸みを付けられた、又はそれらの任意の組み合わせであり得る。前記容器は、開口端及び閉鎖端を含み得る。前記開口端は１つ以上のチャネルにより近い前記容器の端にある、容器の最上端であることができる。前記閉鎖端は、１つ以上のチャネルにより遠い前記容器の端にある、前記容器の底端であることができる。様々な容器の実施形態が、本明細書の他の部分でより詳細に記載され得る。
【００６９】
基部３４０は、光学的窓３４２ａ、３４２ｂ等の１つ以上の光学的測定器を有し得る。前記光学的窓は、前記容器３４６ａ、３４６ｂの上に配置され得る。ある場合には、前記光学的窓は、前記容器本体に配置され得る。単一の窓が、単一の容器又は複数の容器への眺望を提供し得る。一実施例では、容器と同じ数の光学的窓が提供され得る。それぞれの光学的窓は、それぞれの容器に対応し得る。前記光学的窓及び容器の両方が、サンプルが前記容器に到達したかを、前記サンプル収集機器の外側からユーザーが見ることを可能にする、光学的に透過性の物質で形成され得る。
【００７０】
いくつかの実施形態では、前記チャネル中で、望ましい充填レベルに到達されたかを、ユーザーが観察し得る、前記チャネル３２２ａ及び３２２ｂの光学的窓があってよい。前記本体３２０が完全に透明な、又は半透明な、いくつかの実施形態では、いつ望ましい充填レベルが到達されたかに注意するために、前記チャネルにそって指し示すマーカー又は測定器があってよい。
【００７１】
前記容器は、小量の流体サンプルを収容するために寸法づけされ得る。いくつかの実施形態では、前記容器は、５ｍｌ、４ｍｌ、３ｍｌ、２ｍｌ、１．５ｍＬ、１ｍＬ、９００μＬ、８００μＬ、７００μＬ、６００μＬ、５００μＬ、４００μＬ、３００μＬ、２５０μＬ、２００μＬ、１５０μＬ、１００μＬ、８０μＬ、５０μＬ、３０μＬ、２５μＬ、２０μＬ、１０μＬ、７μＬ、５μＬ、３μＬ、２μＬ、１μＬ、７５０ｎＬ、５００ｎＬ、２５０ｎＬ、２００ｎＬ、１５０ｎＬ、１００ｎＬ、５０ｎＬ、１０ｎＬ、５ｎＬ、又は１ｎＬ程度を収容するために構成され得る。前記容器は、数滴程度の血液、一滴程度の血液、又は一滴程度の血液の一部分を収容するために構成され得る。
【００７２】
前記容器はキャップ３４８ａ、３４８ｂを含み得る。前記蓋は前記容器の開口端の上にかぶせて嵌合するために構成され得る。前記キャップは、前記容器の開口端を遮断し得る。前記キャップは、流体的に前記容器を密封し得る。前記キャップは、前記容器本体と共に液密な密封を形成し得る。例えば、前記キャップは、気体及び／又は液体不浸透性であり得る。代替的に、前記キャップは、特定の気体及び／又は液体が通過することを許容し得る。ある場合には、前記キャップは、気体透過性である一方、液体不透過性である。前記キャップは前記サンプルに対して不透過性であり得る。例えば、前記キャップは、全血、血清又は血漿に対して不透過性であり得る。ある場合には、前記キャップの一部分が、前記容器本体の一部の中に嵌合し得る。前記キャップは、前記容器本体と共に留め具を形成し得る。前記キャップは、前記容器本体の一部分の上に突き出ることができる、へり又は棚を含み得る。前記へり又は棚は、前記キャップが、前記容器本体に滑り込むことを防止し得る。ある場合には、キャップの一部分が、前記容器本体の頂部及び／又は側面の上に横たわることができる。本明細書における容器に関するいかなる記載も、前記サンプル収集機器との組み合わせにおいて適用し得る。随意的に、いくつかの実施形態は、容器の組立品の中に、キャップ・ホルダー等の追加的な部分を含むことができる。一実施形態では、前記キャップ・ホルダーの目的は、前記キャップ及び容器の間で緊密な密封を維持するためである。一実施形態では、前記キャップ・ホルダーは、前記キャップを適正な位置に保持するために、前記容器の外側の上にある付属品、へり、刻み目、又は他の付属品の場所に係合する。随意的に、いくつかの実施形態は、キャップ及び前記キャップ・ホルダーの機能を１つの構成要素中に組み合わせ得る。
【００７３】
１つ以上の係合組立品が提供され得る。この係合組立品は、チャネル・ホルダー３５０及び／又はスプリング３５２又は伸縮素材等の力を発揮する構成要素を含み得る。一実施形態では、前記ホルダー３５０は、アダプター・チャネル３５４を前記支持物に固定させ続けることができる。本明細書の他の部分に記載されるように、前記アダプター・チャネル３５４は、前記収集チャネルと一体化されて形成され得るか、又は、スタンドアロンの片、前記収集チャネルの一部分、又は前記容器の一部分であり得る分離された要素であり得る。一実施形態では、前記ホルダー３５０は、アダプター・チャネル３５４が、前記支持物に対して滑動することを防止し得る。前記ホルダー３５０は、随意的にスプリング等の力を発揮する構成要素がその上に休止する支持物を提供し得る。
【００７４】
一実施例では、スプリングがその自然な状態にあるときに前記基部３４０が伸長された状態にあることができるために、前記係合組立品は、それぞれが、力を発揮し得るスプリング３５２を含み得る。前記基部が伸長された状態にあるときに、前記容器３４６ａ、３４６ｂ及び前記係合組立品の間に空間が提供され得る。ある場合には、前記基部３４０が伸長された状態にあるときに、前記チャネルの第二の端は、前記容器のキャップに接触しても、又はしなくてもよい。前記チャネルの第二の端３２５ａ、３２５ｂは、前記容器の内部と流体連通にない位置にあり得る。
【００７５】
サンプル収集機器は、任意の数の係合組立品を含み得る。例えば、チャネルの数と同じ数の係合組立品が提供され得る。各チャネルは、係合組立品を有し得る。例えば、もし第一のチャネル及び第二のチャネルが提供されると、前記第一のチャネルに対して第一の係合組立品が提供されることができ、及び前記第二のチャネルに対して第二の係合組立品が提供され得る。同じ数の係合組立品及び容器が提供され得る。
【００７６】
一実施形態では、前記係合組立品は、限定はされないが、角度付けされた、先細の又は先のとがった端３２７ａ及び３２７ｂを持つ細長い部材等のアダプター・チャネル３５４を収納し得る。いくつかの実施形態では、前記端３２７ａ及び３２７ｂは、前記チャネル３２２ａ及び３２２ｂとは別個に形成された針の一部であり、及び次いで前記チャネル３２２ａ及び３２２ｂと結合され得ることを理解されたい。前記針は、前記チャネル３２２ａ及び３２２ｂを画成する、前記本体と同じ又は異なる物質から形成され得る。例えば、針を形成するために金属を用いることができ、及びポリマー又はプラスチック物質を、チャネル３２２ａ及び３２２ｂを画成する前記本体の形成に用い得る。随意的に、いくつかの実施形態は、前記端３２７ａ及び３２７ｂを、前記チャネル３２２ａ及び３２２ｂと一体的に形成された部材の上に形成し得る。ある場合には、前記チャネルの第二の端は、前記容器のキャップ３４８ａ、３４８ｂ等の物質を貫通するために構成され得る。いくつかの実施形態では、前記アダプター・チャネル３５４の一部分は前記収集チャネル中に挿入可能であるか、又は前記収集チャネルの一部分が前記アダプター・チャネル中に挿入可能であるか、又はこの２つが、同一平面に整列するために構成され得る。随意的に、いくつかの実施形態は、アダプター・チャネル３５４を前記収集チャネル３２２と共に一体的に形成し得る。図３Ｂ（及び４Ｂ）は、サンプルＢを部分的にのみ前記チャネル１２２ａ、１２２ｂを充填するものとして示しているが、ほとんどの実施形態では、充填プロセスが完了したときに、前記チャネルはサンプルＢにより完全に充填されていることを理解されたい。本明細書に記載される実施形態に対する変形及び代替物があることができ、及びどの単一の実施形態も、完全な発明を包含すると解釈されるべきではない。
【００７７】
図４Ａ〜４Ｂは、前記機器内の容器４４６ａ、４４６ｂと流体連通にある、チャネル４２２ａ、４２２ｂを有するサンプル収集機器４０の実施例を示す。前記サンプル収集機器は、キャップ４１０、本体４２０、支持物４３０、及び基部４４０を含み得る。前記本体及び／又は支持物は、１個、２個、又はそれより多いチャネルの少なくとも一部分を支持し及び／又は包含し得る。前記基部は、１個、２個、又はそれより多い容器を支持し及び／又は包含し得る。
【００７８】
一実施形態では、本体４２０及び／又は支持物４３０は、サンプル収集機器中の１つ以上のチャネル４２２ａ、４２２ｂを支持し得る。例えば、第一のチャネル及び第二のチャネルが提供され得る。前記チャネルのそれぞれは、前記機器のサンプル受け入れ端４２６に提供され得る第一の端４２３ａ、４２３ｂを有し得る。それぞれのチャネルの前記第一の端は開口し得る。前記チャネルは、外気に対して開口できる。前記チャネルの第一の端が血液等の流体に接触する場合、前記流体は前記チャネル中に引き抜かれ得る。血液は毛細管作用、又は本明細書の他の部分に記載される任意の他の技法により引き抜かれる。前記血液は、前記チャネルの長さに沿って、前記チャネルのそれぞれの第二の端４２５ａ、４２５ｂまで移動し得る。いくつかの実施形態では、前記流体は、毛細管作用、又は本明細書の他の部分に記載される任意の他の技法により、前記チャネルの第二の端に到達し得る。他の実施形態では、前記流体は、前記チャネルの第二の端に到達する必要はない。前記チャネルは、互いに流体的に分離され得る。
【００７９】
いくつかの実施形態では、前記チャネルが前記容器４４６ａ、４４６ｂの内部と流体連通にない場合、前記流体は、外に出ることなく、前記チャネルの第二の端まで通過し得る。例えば、前記流体は、前記チャネル内に前記流体が前記チャネルを出ることなく、前記チャネルの端まで、又はその近くまで流れることを引き起こし得る毛細管作用により引き抜かれ得る。
【００８０】
基部４４０は、前記サンプル収集の機器支持物４３０に結合され得る。前記機器の使用中に、前記基部は、前記支持物に対して移動し得る。いくつかの実施形態では、前記基部は、前記支持物に対して縦方向に滑動し得る。一実施例では、前記基部は、（ｉ）前記チャネルが、前記容器の内部と流体連通にない場合に伸長される部分、及び（ｉｉ）ａ前記容器の内部と流体連通にある場合に圧縮される部分を有し得る。サンプル収集機器は、図３に示されるように、最初に伸長された状態で提供されることができる。前記サンプルが採集され及び前記チャネルの長さを通過して流された後に、ユーザーは、前記サンプル収集機器にその圧縮状態を提供するために、図４に示されるように、前記基部を押し入れる。一旦前記基部が押し入れられると、前記基部は自然に押し入れられたままでとどまるか、又は押圧力が取り除かれると、伸長された状態に跳ね戻ることができる。ある場合には、基部は、伸長された状態に引き出されることができるか、又はその中の容器へのアクセスを提供するために、完全に引き出されることができる。
【００８１】
前記基部４４０は、１つ以上の容器４４６ａ、４４６ｂを支持する能力を有し得る。前記基部は、少なくとも部分的に１つ以上の容器を囲む筐体を有し得る。ある場合には、前記基部が支持物４３０と係合した場合に、前記容器は完全に包囲され得る。前記基部は、容器を受け入れるために、１つ以上の刻み目、突起部、溝、又は形状づけられた特徴を有し得る。前記基部は、容器の形状に相補的である形状を持つために形成され得る。前記容器は、前記基部に対して正立位置に維持され得る。
【００８２】
チャネルの数と同じ数の容器が提供され得る。各チャネルは、それぞれの容器に対応する。一実施例では、サンプル収集機器は、第一のチャネル及び第二のチャネルと同時に、それぞれ第一の容器及び第二の容器を有し得る。第一のチャネル４２２ａは、第一の容器４４６ａと連通状態にあるか、又は、連通状態にもたらされるために構成されることができ、及び第二のチャネル４２２ｂは、第二の容器４４６ｂと連通状態にあるか、又は、連通状態にもたらされるために構成されることができる。前記第一のチャネルは、最初は第一の容器と流体連通になくてよく、及び前記第二のチャネル最初は第二の容器と流体連通になくてよい。前記基部が前記支持物に対して押し入れられた時に、前記第一の及び第二のチャネルは、それぞれ前記第一の及び第二の容器の内部と、流体連通にもたらされることができる。前記第一の及び第二のチャネルは、前記第一の及び第二の容器と同時に流体連通にもたらされることができる。代替的に、それらは同時に流体連通にもたらされる必要はない。前記流体連通のタイミングは、前記容器の高さ及び／又は前記チャネルの長さに依存し得る。前記流体連通のタイミングは前記チャネルの第二の端及び前記容器の間の相対的な距離に依存し得る。
【００８３】
いくつかの実施形態では、各容器は、本体４４９ａ、４４９ｂ及びキャップ４４８ａ、４４８ｂを有し得る。前記容器本体は、管状の形状を有し得る。ある場合には、前記容器本体は円筒状の部分を有し得る。前記容器の底は、平坦な、先細の、丸みを付けられた、又はそれらの任意の組み合わせであり得る。前記容器は、開口端及び閉鎖端を含み得る。前記開口端は１つ以上のチャネルにより近い前記容器の端にある、容器の最上端であることができる。前記閉鎖端は、１つ以上のチャネルにより遠い前記容器の端にある、前記容器の底端であることができる。様々な容器の実施形態が、本明細書の他の部分でより詳細に記載され得る。
【００８４】
基部４４０は、光学的窓４４２ａ、４４２ｂ等の１つ以上の光学的測定器を有し得る。前記光学的窓は、前記容器４４６ａ、４４６ｂの上に配置され得る。ある場合には、前記光学的窓は、前記容器本体に配置され得る。前記光学的窓及び容器の両方が、サンプルが前記サンプル収集機器の外側から前記容器に到達したかを、ユーザーが見ることを可能にする、光学的に透過性の物質で形成され得る。いくつかの実施形態では、前記容器は、充填レベルの要件を表示するために、前記容器自身の上にマーキングを組み込み得る。
【００８５】
前記容器はキャップ４４８ａ、４４８ｂを含み得る。前記キャップは前記容器の開口端の上にかぶせて嵌合するために構成され得る。前記キャップは、前記容器の開口端を遮断し得る。前記キャップは、流体的に前記容器を密封し得る。例えば、前記キャップは、気体及び／又は液体不浸透性であり得る。ある場合には、前記キャップの一部分は、前記容器本体の一部に嵌入し得る。前記キャップは、前記容器本体の一部分の上に突き出ることができる、へり又は棚を含み得る。いくつかの実施形態では、前記キャップは中空又は陥没を有し得る。前記中空又は陥没は、前記チャネルの第二の端をキャップの中心まで導くことを助け得る。ある場合には、前記サンプル収集機器が伸長状態にある場合に、チャネル４２５ａ、４２５ｂの第二の端は、前記容器のキャップの上に横たわることができる。前記チャネルの第二の端は前記容器のキャップに接触しても、又はしなくてもよい。ある場合には、前記チャネルの第二の端は、キャップの中空又は陥没の中で休止し得る。ある場合には、前記チャネルの第二の端は、前記容器の内部に達することなく、前記キャップを部分的に貫通できる。随意的に、前記キャップのいくつかの実施形態は、真空を保持するために圧着片を含んでよい。
【００８６】
チャネルの第二の端は、角度付けされた、先細の又は先のとがった端４２７ａ及び４２７ｂを有し得る。いくつかの実施形態では、前記端４２７ａ及び４２７ｂは、前記チャネル４２２ａ及び４２２ｂとは別個に形成された針の一部であり、及び次いで前記チャネル４２２ａ及び４２２ｂと結合され得る。前記針は、前記チャネル４２２ａ及び４２２ｂを画成する、前記本体と同じ又は異なる物質から形成され得る。随意的に、いくつかの実施形態は、前記端４２７ａ及び４２７ｂを、前記チャネル４２２ａ及び４２２ｂと一体的に形成された部材の上に形成し得る。ある場合には、前記チャネルの第二の端は、前記容器のキャップ４４８ａ、４４８ｂ等の物質を貫通するために構成され得る。前記キャップは、貫通部材がない場合に、サンプルが通過することを防止し得る物質から形成され得る。前記キャップが、単一の中空ではない片から形成され得る。代替的に、前記キャップは、貫通部材を受け入れることができる、切込み、開口部、孔、薄い部分、又は任意の他の特徴を有し得る。切込み又は他の開口部は、貫通部材が切込み又は開口部の中にない場合、又は貫通部材が切込み又は開口部から除去された場合に、その中にサンプルを保持する能力を有することができる。ある場合には、貫通部材が除去されたときに、この貫通部材により形成された開口部を閉じることができるように、前記キャップは自己回復物質から形成され得る。前記チャネルの第二の端は、前記キャップを通過して及び前記容器の内部に達する貫通部材であり得る。いくつかの実施形態では、前記貫通部材がサンプルの通過を可能にする中空針であることができ、及び単に貫通するための針ではないことが明白である。いくつかの実施形態では、貫通するチップは、前記キャップ材料から、芯を取り除かない、限定はされないが先細のカニューレ等の芯が取り除かれていない（ｎｏｎ−ｃｏｒｉｎｇ）設計であり得る。
【００８７】
１つ以上の係合組立品が提供され得る。この係合組立品は、チャネル・ホルダー４５０及び／又はスプリング４５２又は伸縮素材等の力を発揮する構成要素を含み得る。一実施形態では、前記ホルダー４５０は、アダプター・チャネル４５４を前記支持物に固定させ続けることができる。本明細書の他の部分に記載されるように、前記アダプター・チャネル４５４は、前記収集チャネルと一体化されて形成され得るか、又は、スタンドアロンの片、前記収集チャネルの一部分、又は前記容器の一部分であり得る分離された要素であり得る。一実施形態では、前記ホルダー４５０は、アダプター・チャネル４５４が、前記支持物に対して滑動することを防止し得る。前記ホルダー４５０は、随意的にスプリング等の力を発揮する構成要素がその上に休止する支持物を提供し得る。
【００８８】
一実施例では、スプリングがその自然な状態にあるときに前記基部３４０が伸長された状態にあることができるために、前記係合組立品は、それぞれが、力を発揮し得るスプリング４５２を含み得る。前記基部が伸長された状態にあるときに、前記容器４４６ａ、４４６ｂ及び前記係合組立品の間に空間が提供され得る。ある場合には、前記基部４４０が伸長された状態にあるときに、前記チャネルの第二の端４２５ａ、４２５ｂは、前記容器の内部と流体連通にない位置にあり得る。
【００８９】
サンプル収集機器は、任意の数の係合組立品を含み得る。例えば、チャネルの数と同じ数の係合組立品が提供され得る。各チャネルは、係合組立品を有し得る。例えば、もし第一のチャネル及び第二のチャネルが提供されると、前記第一のチャネルに対して第一の係合組立品が提供されることができ、及び前記第二のチャネルに対して第二の係合組立品が提供され得る。同じ数の係合組立品及び容器が提供され得る。一実施形態では、同じ数の係合組立品及び容器が提供され得る。
【００９０】
前記基部が圧入されるとき、前記スプリング４５２は圧縮され得る。前記チャネルの第二の端４２５ａ、４２５ｂは前記容器のキャップを貫通し得る。前記チャネルの第二の端は前記容器の内部に入ることができる。ある場合には、前記流体を前記チャネルから前記容器中に追い込むために力が提供され得る。例えば、前記チャネルの第一の及び第二の端の間に圧力差が生成され得る。前記チャネルの第一の端４２３ａ、４２３ｂに陽圧が提供されることができ、及び／又は前記チャネルの第二の端に陰圧が提供され得る。前記陽圧は、前記チャネルの第二の端及び／又は外気に対して正であることができる。前記陰圧は、前記チャネル第一の端及び／又は外気に対して負であり得る。一実施例では、前記容器は、その中に真空を有し得る。前記チャネルの第二の端が容器を貫通するとき、前記容器内の前記陰圧は前記サンプルを前記容器中に引き込む。代替的な実施形態では、前記サンプルは、毛細管力、重力、又は任意の他の原動力に駆動されて、前記容器に入ることができる。本明細書に記載される実施形態に対する変形及び代替物があることができ、及びどの単一の実施形態も、完全な発明を包含すると解釈されるべきではない。
【００９１】
ある場合には、サンプル収集の異なるステージにおいて異なるタイプの原動力が用いられ得る。従って、１つのタイプの原動力が、前記サンプルを前記チャネル内に抜き取るために用いられることができ、及び次いで異なるタイプの原動力が、サンプルを前記チャネルから前記容器内に移動させるために用いられ得る。例えば、毛細管力が、前記サンプルをチャネル内に抜き取ることができ、及び圧力差が、前記サンプルを前記チャネルから前記容器内へ追い込むことができる。サンプルを前記チャネル及び前記容器内に抜き取るために、原動力の任意の組み合わせが用いられ得る。いくつかの実施形態では、サンプルを前記チャネル内に抜き取る原動力は、異なるサンプルを前記容器中に抜き取るために用いられる原動力とは異なる。いくつかの代替的な実施形態では、前記原動力は各ステージについて同一である。いくつかの実施形態では、前記原動力は順次加えられるか、又は定義された時間間隔に加えられる。非限定的な実施例として、サンプルを前記容器内に抜き取るための原動力は、少なくとも１つのチャネルが最小充填レベルに達するまでは、加えられない。随意的に、サンプルを前記容器内に抜き取るための原動力は、少なくとも２つのチャネルのそれぞれが、最小充填レベルに達するまでは、加えられない。随意的に、サンプルを前記容器内に抜き取るための原動力は、全てのチャネルのチャネルのそれぞれが、最小充填レベルに達するまでは、加えられない。いくつかの実施形態では、前記原動力は同時に加えられる。
【００９２】
いくつかの実施形態は、前記サンプル収集機器に連結され、及び収集された体液を、１つ以上のチャネルから、それぞれの容器に押し出すために構成された加圧ガス源を用い得る。随意的に、前記容器には付随しない真空源を、サンプル流体を前記容器に向けて引き込むために用い得る。
【００９３】
前記チャネルの追加的な、いくつかの実施形態は、前記チャネルが１回充填されると、その中には十分な毛細管力があることができ、この力は重力よりも大きいために、サンプルは、単に重力に基づいては前記チャネルからは逃れられないようにし得るように構成され得る。追加的な原動力が、前記チャネルの毛細管作用による保持を破るために用いられる。随意的に、本明細書の他の部分に記載されるように、限定はされないがスリーブ等の機器は、前記容器に最も近い端において、前記チャネルを退出する体液を収容することができ、従って前記容器への移動までの、損失を最小化し得る。
【００９４】
随意的に、限定はされないが溶媒圏（ｌｙｏｓｐｈｅｒｅ）、スポンジ等の他の物質、又は他の原動力提供者が、サンプルを前記容器内に引き抜く原動力を提供するために用いられ得る。多重の力が用いられる場合、これは、サンプルを前記容器内に引き抜くための第一次の、第二次の、又は第三次の原動力である。随意的に、いくつかの実施形態は、前記サンプルを望ましい様式で移動させるために、限定はされないがプランジャー等の押圧型の原動力提供者を含み得る。
【００９５】
サンプルが前記チャネルに導入されてからチャネルの長さに沿って移動するために、いくらかの時間が経過する。ユーザーは、サンプルを前記サンプル収集機器に導入し、及び前記サンプルが前記チャネルの長さを移動するために待つことができる。前記サンプルが、限定はされないが前記チャネルの端等の望ましい充填レベルに達したかを表示する、１つ以上の光学的測定器が提供され得る。他の実施形態では、前記ユーザーは、前記基部を押し込むまで、所定の時間を待つことができる。前記ユーザーが、前記サンプルが前記チャネルの十分な長さを移動したことを決定し、及び／又は前記サンプルが導入されてから十分な時間が経過した後に前記基部が押し入れられる。前記基部が押し入れられた後に、前記チャネルは前記容器と流体連通にもたらされ、及びサンプルは前記チャネルから前記容器内に流れ得る。ユーザーがいつ前記容器が充填されたかを知り得るために、光学的測定器が提供され得る。
【００９６】
前記容器が充填されるとすぐに、それらは本明細書の他の部分に記載されるシステム及び方法を用いて、望ましい場所に輸送され得る。ある場合にはサンプル収集機器全体が輸送され得る。輸送のために、前記キャップが前記サンプル収集機器に配置され得る。他の実施形態では、前記基部部分及び／又は支持物部分は、前記機器の残りの部分から除去され得る。一実施例では、前記基部が前記サンプル収集機器から除去されることができ、及び前記容器は前記基部と共に輸送され得る。代替的に、前記基部は、前記容器へのアクセスを提供するために前記サンプル収集機器から除去されることができ、及び前記容器は前記機器から取り外されて及び送られる。前記基部の除去は、前記基部を切り離すために、前記サンプル収集機器のいくらかの分解を含む。このことは、偶発的な脱係合を防止するために、戻り止め、限定はされないが、ラッチ又は他の係止機構を脱係合する等の積極的行為が、前記基部を切り離す前にユーザーにより遂行され得る。随意的に、いくつかの実施形態は、前記容器の除去を、前記基部の除去を伴わずに可能にし得るが、前記基部上の開口部、アクセス・ポート又は開くことができるカバー等の手段により前記容器へのアクセスを可能にする。
【００９７】
いくつかの実施形態では、前記チャネル及び／又は容器は、本明細書の他の部分に記載される、分離部材、コーティング、抗凝血剤、ビーズ、又は任意の他の特徴等の特徴の１つ以上を含み得る。一実施例では、前記サンプル収集機器に導入される前記サンプルは全血であり得る。２個のチャネル及びそれぞれの容器が提供され得る。この非限定的な実施例では、前記チャネルのそれぞれは、限定はされないが前記チャネルを被覆する抗凝血剤等のコーティングを有する。そのような抗凝血剤のコーティングは、以下の機能の１つ以上を果たし得る。第一に、前記抗凝血剤は、前記サンプル収集プロセスの間に、全血が前記チャネルの内部で凝固することを防止する。収集されるべき全血の量に依存して、十分な量の血液が前記チャネル中にもたらされる前に、凝血が時期を早めて前記チャネルを閉塞し得る。別の機能は、抗凝血剤を全血サンプルに導入することである。前記抗凝血剤を前記チャネル内に有することにより、抗凝血剤を前記容器４４６ａ又は４４６ｂ内にのみ有するいくつかの実施形態に比較して、このプロセスは、前記収集プロセスにおいて、より早く開始できる。この早期の抗凝血剤の導入は、全血サンプルが、限定はされないが、前記チャネル４２２ａ又は４２２ｂに結合された針の内表面等の、抗凝血剤により被覆されない部分を有し得る、経路に沿って導かれる場合においても有益であり得る。随意的に、いくつかの実施形態は、表面の接触角（濡れ性）を修飾するために用いられ得る界面活性剤を含み得る。
【００９８】
いくつかの実施形態では、前記チャネルの内表面及び／又は限定はされないが、サンプル収集容器の内部への前記サンプル注入口等の、前記流体経路に沿った他の表面は、界面活性剤及び／又は抗凝血剤溶液により被覆され得る。前記界面活性剤は、前記流体性機器の疎水性の層に濡れ性のある表面を提供し、及び液体サンプル、例えば、血液による調量チャネルの充填を促進する。前記抗凝血剤溶液は、前記サンプル、例えば、血液が、前記流体性機器に提供されたときに、凝固を防止することを助ける。使用され得る例示的な界面活性剤は、限定することなしに、Ｔｗｅｅｎ、ＴＷＥＥＮ(R)２０、Ｔｈｅｓｉｔ(R)、デオキシコール酸ナトリウム、Ｔｒｉｔｏｎ、Ｔｒｉｔｏｎ(R)Ｘ−１００、Ｐｌｕｒｏｎｉｃ及び／又は界面活性剤の適正な濡れ性の特性を提供する他の非溶血性洗剤が含まれる。ＥＤＴＡ及びヘパリンは、用いられ得る限定されない抗凝血剤である。１つの非限定的な実施例では、実施形態の溶液は、５０％メタノール／５０％水中に、２％Ｔｗｅｅｎ、２５ｍｇ／ｍＬＥＤＴＡを含み、この溶液は次いで風乾される。メタノール／水の混合物は、ＥＤＴＡ及びＴｗｅｅｎを溶解する手段を提供し、及びプラスチックの表面で迅速に乾燥もする。この溶液は、前記チャネル又は前記流体流路に沿った他の表面に、被覆される表面上に、例えば、ピペッティング、吹き付け、印刷、又はウィッキング（ｗｉｃｋｉｎｇ）等の均一な薄膜を保証する任意の技法を用いて塗布され得る。
【００９９】
前記チャネル中のコーティングのある、本明細書における実施形態のいかなるものも、前記チャネルの全体の経路に沿って延伸し得ることを理解されたい。随意的に、前記コーティングは、前記チャネルの大部分を被覆するが、すべてではない。随意的に、いくつかの実施形態は、１つのチャネルからコーティング物質が、同時に目標のサンプル流体と接しており、及び従って接続する流体経路を有する、すべてのチャネルを経由して、近くのチャネルに転移する、交差汚染の危険性を最小化するために、入り口の開口部に最も近い領域では前記チャネルを被覆しない。
【０１００】
本明細書における実施形態は、前記サンプル収集機器の中に２個の別個のチャネルを持つものとして示されているが、いくつかの実施形態は、２個より多い別個のチャネルを用い得ることを理解されたい。随意的に、いくつかの実施形態は２未満の完全に別個のチャネルを用い得る。いくつかの実施形態はただ１個の別個のチャネルを用い得る。随意的に、いくつかの実施形態は、最初は１個のチャネルとして出発し、及び次いで２つ以上のチャネルに分岐する、倒立したＹ字型のチャネルを用い得る。これらの概念の、いかなるものも本明細書に記載される他の実施形態との使用のために適応され得る。
自己支持型収集チャネルを持つ収集機器
【０１０１】
図５Ａ〜５Ｂは、本明細書に記載される実施形態により提供されるサンプル収集機器５００の別の実施例を提供する。前記サンプル収集機器は、収集機器本体５２０、支持物５３０、及び基部５４０を含み得る。ある場合には、キャップが随意的に提供され得る。前記収集機器本体は、収集管により画成される、サンプルを受け入れる能力のある１つ以上の収集チャネル５２２ａ、５２２ｂを含み得る。基部は、前記基部内に収納される１つ以上の容器にサンプルが到達したかの可視的な表示を提供し得る１つ以上の光学的測定器５４２ａ、５４２ｂを含み得る。支持物は、サンプルが到達したか、又は前記チャネルの一部分を通過したかの、可視的な表示を提供し得る１つ以上の光学的測定器５３２ａ、５３２ｂを有し得る。
【０１０２】
サンプル収集機器の収集機器本体５２０は、その中にチャネル５２２ａ、５２２ｂを持つ１つ以上の管の少なくとも一部分を含む。随意的に、前記機器収集本体５２０も、管により画成されるチャネル５２２ａ、５２２ｂと連結するチャネルを画成し得る。いくつかの実施形態では、前記チャネルの一部分は、前記収集機器本体を超えて延伸し得る。前記チャネルは、前記収集機器本体の１つの端、又は２つの端を超えて延伸し得る。
【０１０３】
前記収集機器本体520は、支持物５３０に結合され得る。前記収集機器本体は、その中に１つ以上のチャネル部分を含み得る。前記収集機器本体は、永久的に前記支持物に固定され得るか、又は前記支持物に関して取り外し可能であり得る。ある場合には、前記収集機器本体及び前記支持物は、単一の統合された片として形成され得る。代替的に、前記収集機器本体及び支持物は、別個の片として形成され得る。
【０１０４】
前記機器の作動の間、前記収集機器本体５２０及び支持物５３０は、互いに対して移動し得る。ある場合には、前記本体５２０の一部分は、前記支持物５３０内に挿入可能であり、及び／又は前記支持物の一部分が前記本体中に挿入可能である。前記本体は、前記支持物に対して移動する能力を有し得る。ある場合には、サンプル収集機器は、前記サンプル収集機器の長さに沿って延伸する縦軸を有し得る。前記本体及び／又は支持物は、縦軸の方向において、互いに移動し得る。前記本体及び／又は支持物は、互いに対して、限定された距離を移動し得る。前記本体及び／又は支持物は回転動作を伴わずに同軸的に移動し得る。代替的に、回転動作が提供され得る。
【０１０５】
前記収集機器本体５２０は光学的に透過性の物質で形成され得る。例えば、前記収集機器本体は、透明な又は半透明な物質から形成され得る。代替的に、前記本体不透明な物質から形成され得る。前記支持物５３０は、光学的に不透明な、半透明な、又は透明な物質から形成され得る。前記支持物は、前記収集機器本体と同じ光学的特性を有しても、又は有さなくてもよい。前記支持物は、前記収集機器本体とは異なる物質から、又は前記収集機器本体と同じ物質から形成され得る。本明細書に記載される実施形態に対する変形及び代替物があることができ、及びどの単一の実施形態も、完全な発明を包含すると解釈されるべきではない。
【０１０６】
前記収集機器本体、支持物、及び／又は基部は、任意の形状又はサイズを有し得る。いくつかの実施例では、前記収集機器本体支持物、及び／又は基部は、は、円形、楕円形、三角形、四角形（例えば、正方形、長方形、台形）、五角形、六角形、八角形、又は任意の他の断面の形状を有し得る。前記断面の形状は、長さに沿って同じであり続けるか、又は変化し得る。ある場合には、前記収集機器本体、支持物、及び／又は基部は、約１０ｃｍ２、７ｃｍ２、５ｃｍ２、４ｃｍ２、３ｃｍ２、２．５ｃｍ２、２ｃｍ２、１．５ｃｍ２、１ｃｍ２、０．８ｃｍ２、０．５ｃｍ２、０．３ｃｍ２、又は０．１ｃｍ２以下の断面積を有し得る。前記断面積は、長さに沿って同じであり続けるか、又は変化し得る。前記断面の形状は前記本体、支持物、及び基部について同じであり得るか、又は変化し得る。ある場合には、前記収集機器本体、支持物、及び／又は基部は、約１０ｃｍ２、７ｃｍ２、５ｃｍ２、４ｃｍ２、３ｃｍ２、２．５ｃｍ２、２ｃｍ２、１．５ｃｍ２、１ｃｍ２、０．８ｃｍ２、０．５ｃｍ２、０．３ｃｍ２、又は０．１ｃｍ２以下の断面積を有し得る。前記断面積は長さに沿って変化し得るか、同じであり続け得る。前記断面のサイズは前記本体、支持物、及び基部について同じであり得るか、又は変化し得る。前記収集機器本体、支持物、及び／又は基部は、約２０ｃｍ、１５ｃｍ、１２ｃｍ、１０ｃｍ、９ｃｍ、８ｃｍ、７ｃｍ、６ｃｍ、５ｃｍ、４ｃｍ、３ｃｍ、２ｃｍ、１ｃｍ、０．５ｃｍ、又は０．１ｃｍ以下の長さを有し得る。前記収集機器本体は、支持物若しくは基部より大きいか、若しくはより短い長さを有し得るか、又は前記支持物、若しくは基部と等しい長さを有し得る。
【０１０７】
前記チャネル５２２ａ、５２２ｂ支持され得るｂｙ前記機器本体５２０及び／又は前記支持物５３０により支持され得る。ある場合には、管又はその中のチャネル全体の長さは、前記機器本体及び前記支持物の組み合わせの中に包含され得る。代替的に、図５に見られるように前記チャネルは前記機器本体及び／又は支持物を超えて延伸し得る。ある場合には、前記チャネルは、前記機器本体／支持物の組み合わせの１つの端、又は両方の端を超えて延伸し得る。ある場合には、前記チャネルの一部分が前記機器本体内にあることができ、及び前記チャネルの一部分が前記支持物内にあることができる。前記チャネルの位置は、前記機器本体及び／又は前記支持物により固定され得る。ある場合には、前記チャネルは機器本体に固定されることができ、及び／又は前記機器本体に対して移動しない。前記チャネルは前記支持物に対して移動し得る。ある場合には、複数のチャネルが提供され得る。少なくとも前記チャネルの一部分は、互いに実質的に平行である。前記チャネルは、互いに平行であることができ、及び／又は前記サンプル収集機器の長さに沿って延伸する縦軸に平行であることができる。代替的に、前記チャネルのいかなる部分もたがいに平行である必要はない。ある場合には、少なくとも前記チャネルの一部分は、互いに平行ではない。前記チャネルはわずかに湾曲し得る。随意的に、それらは超苦戦であり得るが、前記サンプル収集点に近づくにつれてより接近するように整列される。前記チャネル５２２ａ及び５２２ｂを画成する管が、透明な、透過性の、又は他の少なくとも１つのチャネルにおいて、サンプルが望ましい充填レベルに達したことの、検出可能な変化を提供するために十分な物質から形成され得ることを理解されたい。随意的に、前記検出可能な変化は、両方のチャネルが少なくとも望ましい充填レベルに達した時を検出するために用いられ得る。
【０１０８】
前記サンプル収集機器内に基部５４０が提供され得る。前記基部は前記支持物５３０に結合され得る。ある場合には、前記基部の一部分５４０は前記支持物５３０に挿入可能であり、及び／又は前記支持物の一部分は前記基部内に挿入可能である。前記基部は前記支持物に固定されることができるか、又は前記支持物に対して移動可能であり得る。前記本体に結合された前記支持物の端とは反対側の前記支持物の端に前記基部が提供され得る。前記基部は、前記支持物とは別個の片として形成され得る。前記基部は前記支持物から分離可能である。代替的に、前記基部は前記支持物に固定されることができ、及び／又は前記支持物と一体化された片として形成され得る。
【０１０９】
基部５４０は、その中に１つ以上の容器を収納し得る。前記容器は、前記チャネルと流体的連通にあることができ、及び／又は前記チャネルとの流体的連通状態にもたらされることができる。チャネルの端は、前記容器内にあることができるか、又は前記容器内にもたらされることができる。基部は、前記基部内に収納される１つ以上の容器にサンプルが到達したかの可視的な表示を提供し得る１つ以上の光学的測定器５４２ａ、５４２ｂを含み得る。いくつかの実施形態では、前記光学的測定器は、前記基部の内部をユーザーが見ることを可能にする光学的窓であり得る。前記光学的窓は、透明な及び／又は半透明な物質から形成され得る。代替的に、前記光学的窓は、その中に何ら物質を持たない開口部であり得る。前記光学的窓は、前記基部内の容器を直接目視することを可能にし得る。前記基部内の容器は、ユーザーが、サンプルが前記基部の容器に到達したかを目視することを可能にする透明な及び／又は半透明な物質から形成され得る。例えば、血液が前記チャネルを経由して容器に到達する場合、前記容器はその中の血液を示し得る。他の実施形態では、前記光学的測定器は、容器が充填されたことを表示する他の特性を含み得る。例えば、十分な量のサンプルが容器内に充填されたかを決定し得る１つ以上のセンサーが、前記基部又は容器内に提供され得る。前記１つ以上のセンサーは、前記サンプルが、容器に提供され、及び／又はサンプルの一定量が容器に提供されたかの、前記基部上の光学的測定器に信号を提供し得る。例えば、前記光学的測定器は、ディスプレー、限定はされないが、前記容器が十分に充填されたことの表示を提供し得る、ＬＣＤディスプレー、光ディスプレー（例えば、ＬＥＤディスプレー）、プラズマ・スクリーン・ディスプレー等を含み得る。代替的な実施形態では、光学的測定器は提供される必要はないが、限定はされないが、音声測定器又は温度制御された測定器、又は他の機器等の前記容器が充填されたときに、ユーザーにより検知されるもの等の検出可能な信号により表示し得る、代替的機器が提供され得る。
【０１１０】
支持物は、サンプルが到達したか、又は前記支持物内に収納されるチャネルの一部分を通過したかの、可視的な表示を提供し得る１つ以上の光学的測定器５３２ａ、５３２ｂを有し得る。いくつかの実施形態では、前記光学的測定器は、前記支持物の内部をユーザーが見ることを可能にする光学的窓であり得る。前記光学的窓は、透明な及び／又は半透明な物質から形成され得る。代替的に、前記光学的窓は、その中に何ら物質を持たない開口部であり得る。前記光学的窓は、前記支持部内のチャネルを直接目視することを可能にし得る。前記チャネルは、ユーザーが、サンプルが前記光学的窓の下にある、前記チャネルの部分に到達したかを目視することを可能にする、透明な及び／又は半透明な物質から形成され得る。他の実施形態では、前記光学的測定器は、前記サンプルが前記チャネルの一部分を通過したかを表示し得る、本明細書の他の部分に記載されるセンサー等の他の特徴を含み得る。
【０１１１】
図６Ａ〜６Ｂを参照し、本明細書に記載される実施形態によるサンプル収集機器５００の追加的な図が提供される。
【０１１２】
いくつかの実施形態では、チャネル５２２ａ、５２２ｂを含む管の部分は、前記収集機器本体５２０を超えて延伸し得る。前記延伸するチャネルの一部分は、被験者からサンプルを受け入れるために構成された前記チャネルの部分を含む。一実施例では、前記チャネルは、前記チャネルのサンプル受け入れ端であることができる、第一の端５２３ａ、５２３ｂを有し得る。
【０１１３】
前記チャネルは、随意的に剛性物質により画成され得る。代替的に、前記チャネルは可撓性物質により画成され得るか、又は柔軟な構成要素を有し得る。前記チャネルは、湾曲又は曲がるために設計されても、又はされなくてもよい。前記チャネルは互いに実質的に平行であっても、又はなくてもよい。ある場合には、前記チャネルの第一の端は、緩和された状態では、いからかの距離だけ離れることができる。前記機器の作動の間、前記チャネルの第一の端は、互いに前記の距離だけ離れたままであり得る。代替的に、前記チャネルの第一の端は、互いにより近くにもたらされることができる。例えば、前記チャネルの第一の端は、互いに押し付け合うことができる。前記チャネルのそれぞれの開口端は、別個にサンプルを受け取り得る。前記サンプルは、順次に受け取られることができる。前記サンプルは同じ被験者からのものであり得る。代替的に、前記チャネルは、同じサンプルを同時に受け取る能力を有し得る。
【０１１４】
前記チャネル５２２ａ、５２２ｂは、本明細書の他の部分で言及される１つ以上の特徴又は特性を含み得る。少なくとも前記チャネルの一部分は、互いに平行であり得る。代替的に、前記チャネルは、互いに対して一定の角度にあり得る。いくつかの実施形態では、前記チャネルは、前記サンプル収集機器のサンプル受け入れ端５２６であり得る、第一の端を有し得る。前記チャネルの第一の端は、サンプルを受け入れる能力のある開口端であり得る。いくつかの実施形態では、前記チャネルのそれぞれの端は、前記サンプル収集機器のサンプル受け入れ端に提供され得る。１個、２個、又はそれより多いチャネルが、前記サンプル収集機器のサンプル受け入れ端において第一の端を有し得る。
【０１１５】
いくつかの実施形態では、前記機器本体５２０は前記支持物５３０に対して移動可能である。前記機器本体の一部分が、前記支持物内に挿入可能であり得るか、又はその逆も可能である。一実施例では、前記機器本体はへり５２７及び内部部分５２９を含み得る。前記へりは、前記内部部分よりも大きな断面積を有し得る。前記内部部分は、前記支持物内に挿入される能力を有し得る。前記へりは、本体全体に前記支持物が挿入することを防止する止め具として作用し得る。前記へりは前記支持物のショルダー上で休止し得る。
【０１１６】
図７Ａ〜７Ｂは、本明細書に記載される実施形態により提供されるサンプル収集機器７００の実施例の部分的な切り欠き図を示す。前記チャネル７２２ａ、７２２ｂを前記機器の基部７４０の中に収納される１つ以上の容器７４６ａ、７４６ｂと流体連通にもたらす前は、前記サンプル収集機器は伸長状態にある。前記サンプル収集機器は、本体７２０、支持物７３０、及び基部７４０を含み得る。前記本体及び／又は支持物は、１個、２個以上のチャネルの少なくとも一部分を支持及び／又は包含し得る。前記基部は、１個、２個以上の容器を支持及び／又は包含し得る。本明細書に記載される実施形態に対する変形又は代替物があることができ、及びどの単一の実施形態も完全な発明を包含するとは解釈されるべきでない。
【０１１７】
一実施形態では、本体７２０及び／又は支持物７３０は、サンプル収集機器の１つ以上のチャネル７２２ａ、７２２ｂを支持し得る。一実施例では、２個のチャネルが提供されるが、２チャンネルの実施形態に関する記載は、限定はされないが、１、３、４、５、６、又はそれより多いチャネル等の任意の数のチャネルに適用し得る。それぞれのチャネルの前記第一の端は開口し得る。前記チャネルは、外気に対して開口できる。前記チャネルの第一の端が血液等の流体に接触する場合、前記流体は前記チャネル中に引き抜かれ得る。血液は毛細管作用、又は本明細書の他の部分に記載される任意の他の技法により引き抜かれる。前記流体は、前記チャネルの長さに沿って、前記チャネルのそれぞれの第二の端まで移動し得る。前記チャネルは、互いに流体的に分離され得る。例えば、流体は、第一の端７２３ａを経由して第一のチャネル７２２ａに入り、前記チャネルの長さを通過し、及び第一のチャネルから第二の端において出ることができる。同様に、流体は第一の端７２３ｂを経由して、第二のチャネル７２２ｂに入り、前記チャネルの長さを通過し、及び第二のチャネルから第二の端で出ることができる。前記第一の及び第二のチャネルは、第一のチャネルからの流体が第二のチャネルの中を通過しないために、及びその逆のために、流体的に分離され得る。いくつかの実施形態では、前記流体は、前記チャネル第二の端まで、最初に出ることなく移動し得る。
【０１１８】
前記チャネル722a,722bは平行な構成を有し得る。例えば、前記チャネルの第一の端723a,723bの間は、前記チャネルの第二の端の間とほぼ同じ距離だけ離れ得る。前記チャネルの第一の端は互いに接触しても、又はしなくてもよい。
【０１１９】
支持物７３０は、光学的窓７３２ａ、７３２ｂ等の１つ以上の光学的測定器を有し得る。前記光学的窓は、前記チャネル７２２ａ、７２２ｂの上に配置され得る。ある場合には、前記光学的窓は、前記チャネルの一部分の上に配置され得る。単一の窓が、単一のチャネル又は複数のチャネルへの眺望を提供し得る。一実施例では、容器と同じ数の光学的窓が提供され得る。それぞれの光学的窓は、それぞれのチャネルに対応し得る。前記光学的窓及びチャネルの両方が、サンプルが前記容器に到達したか、及び／又は前記チャネルの下の部分を通過したかを、前記サンプル収集機器の外側からユーザーが見ることを可能にする、光学的に透過性の物質で形成され得る。そのような決定は、いつ前記サンプル収集機器を圧縮するかを決定することにおいて有用である。
【０１２０】
基部７４０は、前記サンプル収集の機器支持物７３０に結合され得る。前記基部は、前記支持物と直接接触しても、又はしなくてもよい。前記機器の使用中に、前記基部は前記支持物に対して固定され得る。ある場合には、前記基部は、前記支持物に対して移動し得る。前記基部の一部分は、前記支持物の一部分に挿入可能であり、及び／又はその逆も可能である。いくつかの実施形態では、前記基部は、前記支持物から、前記支持物に対して縦方向に、滑動して出ることができる。ある場合には、前記基部は、回転することなく、前記支持物と同軸的に滑動し得る。ある場合には、基部は、前記支持物に対して移動することなく回転し得る。
【０１２１】
前記基部７４０は、１つ以上の容器７４６ａ、７４６ｂ支持する能力を有し得る。前記基部は、少なくとも部分的に１つ以上の容器を囲む筐体を有し得る。ある場合には、前記基部が支持物７３０と係合した場合に、前記容器は完全に包囲され得る。前記基部の高さは、前記容器の高さを超えて延伸し得る。代替的に、前記基部の高さは、前記容器の高さ程度か、又はそれ未満まで延伸し得る。前記基部は、容器を受け入れるために、１つ以上の刻み目、突起部、溝、又は形状づけられた特徴を有し得る。前記基部は、容器の形状に相補的である形状を持つために形成され得る。例えば、前記基部は、その中に管形状をした容器が、ぴったり嵌合し得る１つ以上の管形状をした刻み目を有し得る。前記容器は、前記基部中に摩擦嵌合し得る。前記容器は、前記基部に対して正立位置に維持され得る。本明細書に記載される実施形態に対する変形又は代替物があることができ、及びどの単一の実施形態も完全な発明を包含するとは解釈されるべきでない。
【０１２２】
チャネルの数と同じ数の容器が提供され得る。例えば、Ｎ個のチャネルが提供され、次いでＮ個の容器が提供されることができ、ここでＮは正の整数である（例えば、１、２、３、４、５、６、７、８、又はそれより多い）。各チャネルは、それぞれの容器に対応する。一実施例では、サンプル収集機器は、第一のチャネル及び第二のチャネルと同時に、それぞれ第一の容器及び第二の容器を有し得る。第一のチャネル７２２ａは、第一の容器７４６ａと連通状態にあるか、又は、連通状態にもたらされるために構成されることができ、及び第二のチャネル７２２ｂは、第二の容器７４６ｂと連通状態にあるか、又は、連通状態にもたらされるために構成されることができる。
【０１２３】
いくつかの実施形態では、各容器は、本体７４９ａ、７４９ｂ及びキャップ７４８ａ、７４８ｂを有し得る。前記容器は、本明細書の他の部分に記載される任意の特徴又は特性を有し得る。
【０１２４】
基部７４０は、光学的窓７４２ａ、７４２ｂ等の１つ以上の光学的測定器を有し得る。前記光学的窓は、前記容器７４６ａ、７４６ｂの上に配置され得る。ある場合には、前記光学的窓は、前記容器本体に配置され得る。単一の窓が、単一の容器又は複数の容器への眺望を提供し得る。一実施例では、容器と同じ数の光学的窓が提供され得る。それぞれの光学的窓は、それぞれの容器に対応し得る。前記光学的窓及び容器の両方が、サンプルが前記容器に到達したかを、前記サンプル収集機器の外側から、ユーザーが見ることを可能にする、光学的に透過性の物質で形成され得る。そのような可視的な評価は、前記サンプルがいつ前記容器に到達したか及び前記基部が前記サンプル収集機器から取り除かれるかを決定するために有用であり得る。
【０１２５】
１つ以上の係合組立品が提供され得る。この係合組立品は、チャネル・ホルダー７５０及び／又はスプリング７５２又は伸縮素材等の力を発揮する構成要素を含み得る。一実施形態では、前記ホルダー７５０は、アダプター・チャネル７５４を前記支持物に固定させ続けることができる。本明細書の他の部分に記載されるように、前記アダプター・チャネル４５４は、前記収集チャネルと一体化されて形成され得るか、又は、スタンドアロンの片、前記収集チャネルの一部分、又は前記容器の一部分であり得る分離された要素であり得る。一実施形態では、前記ホルダー７５０は、アダプター・チャネル７５４が、前記支持物に対して滑動することを防止し得る。前記ホルダー７５０は、随意的にスプリング等の力を発揮する構成要素がその上に休止する支持物を提供し得る。
【０１２６】
一実施例では、スプリングがその自然な状態にあるときに前記本体７２０が伸長された状態にあることができるために、前記係合組立品は、それぞれが、力を発揮し得るスプリング７５２を含み得る。前記本体が伸長された状態にあるときに、前記容器７４６ａ、７４６ｂ及び前記係合組立品の間に空間が提供され得る。前記本体４４０が伸長された状態にあるときに、前記本体の内部部分７２９は、露出されることができ、及び／又は前記支持物７３０により覆われないことができる。ある場合には、前記本体がその伸長状態にあるとき、前記チャネルの第二の端７２２ａ、７２２ｂは、前記容器のキャップに接触しても、又はしなくてもよい。前記チャネルの第二の端は、前記容器の内部と流体連通にないときは、適正な位置にあり得る。本明細書に記載される実施形態に対する変形又は代替物があることができ、及びどの単一の実施形態も完全な発明を包含するとは解釈されるべきでない。
【０１２７】
サンプル収集機器は、任意の数の係合組立品を含み得る。例えば、チャネルの数と同じ数の係合組立品が提供され得る。各チャネルは、係合組立品を有し得る。例えば、もし第一のチャネル及び第二のチャネルが提供されると、前記第一のチャネルに対して第一の係合組立品が提供されることができ、及び前記第二のチャネルに対して第二の係合組立品が提供され得る。同じ数の係合組立品及び容器が提供され得る。
【０１２８】
図８Ａ〜８Ｂは、前記機器内の容器８４６ａ、８４６ｂの内部と流体連通にあるチャネル８２２ａ、８２２ｂを有するサンプル収集機器８００の実施例を提供する。前記サンプル収集機器は本体８２０、支持物８３０、及び基部８４０を含み得る。前記本体及び／又は支持物は、１個、２個、又はそれより多いチャネルの少なくとも一部分を支持及び／又は包含できる。前記チャネルは前記本体の端を超えて伸長し得る。前記基部は、１個、２個以上の容器を支持し及び／又は包含し得る。
【０１２９】
一実施形態では、本体８２０及び／又は支持物８３０は、サンプル収集機器中の１つ以上のチャネル８２２ａ、８２２ｂを支持し得る。例えば、第一のチャネル及び第二のチャネルが提供され得る。前記チャネルのそれぞれは、前記本体を超えて延伸し得る、前記機器のサンプル受け入れ端４２６に提供され得る第一の端８２３ａ、８２３ｂを有し得る。それぞれのチャネルの前記第一の端は開口し得る。前記チャネルは、外気に対して開口できる。前記チャネルは剛性又は柔軟であり得る。いくつかの実施形態では、前記チャネルは、互いに湾曲して接触をし始めることを許容する長さを有し得る。前記チャネルの第一の端が血液等の流体に接触する場合、前記流体は前記チャネル中に引き抜かれ得る。それぞれのチャネル端は、それぞれのチャネル内に抜き取られる流体に別個に接触され得る。このことは、任意の一時点で、前記チャネル内への１つの開口部だけが、前記サンプル流体との接触することができるように、前記サンプル収集機器を一定の角度に曲げることを含む。代替的に、全てのチャネルが、同じサンプルに同時に接触させられることができ、このサンプルはそれぞれのチャネルに同時に抜き取られる。代替的に、全てではないが複数のチャネルが、同じサンプルに同時に接触させられることができ、このサンプルはそれぞれのチャネルに同時に抜き取られる。前記流体は、毛細管作用、又は本明細書の他の部分に記載される任意の他の技法により抜き取られ得る。前記流体は、前記チャネルの長さに沿って、前記チャネルのそれぞれの第二の端まで移動し得る。いくつかの実施形態では、前記流体は、毛細管作用又は本明細書の他の部分に記載される任意の他の技法により、前記チャネルの第二の端まで到達し得る。他の実施形態では、前記流体は前記チャネルの第二の端まで到達する必要はない。前記チャネルは、互いに流体的に分離され得る。
【０１３０】
いくつかの実施形態では、前記チャネルが前記容器８４６ａ、８４６ｂの内部と流体連通にない場合は、前記流体は、前記チャネルの第二の端まで、外に出ることなく通過し得る。例えば、前記流体は、毛細管作用により、前記チャネル中に抜き取られることができ、前記流体が前記チャネルから外に出ることを引き起こさずに、前記流体が前記チャネル又はその近くまで流れることを引き起こし得る。
【０１３１】
前記機器の使用中に、前記本体８２０は、前記支持物８３０に対して移動し得る。いくつかの実施形態では、前記基部は、前記支持物に対して縦方向に滑動し得る。一実施例では、前記基部は、（ｉ）前記チャネルが、前記容器の内部と流体連通にない場合に伸長される部分、及び（ｉｉ）ａ前記容器の内部と流体連通にある場合に圧縮される部分を有し得る。サンプル収集機器は、図７に示されるように、最初に伸長された状態で提供されることができる。前記サンプルが採集され及び前記チャネルの長さを通過して流された後に、ユーザーは、前記サンプル収集機器にその圧縮状態を提供するために、図８に示されるように、前記基部を押し入れることができる。
ある場合には、前記本体が伸長状態にある場合に、前記本体内部部分は露出される。前記本体が圧縮された状態にある場合、前記本体の内部部分は、前記支持物により覆われ得る。前記本体のへりが、前記支持物に接触し得る。一旦前記基部が押し入れられると、前記基部は自然に押し入れられたままでとどまるか、又は押圧力が取り除かれると、伸長された状態に跳ね戻ることができる。ある場合には、本体は、伸長された状態に引き出されることができるか、又はその中の容器へのアクセスを提供するために、完全に引き出されることができる。随意的に、いくつかの組立品では、前記本体の除去は前記容器に対するアクセスを提供しない。
【０１３２】
基部８４０は、前記サンプル収集の機器支持物８３０に結合され得る。前記基部８４０は１つ以上の容器８４６ａ、８４６ｂを支持する能力を有し得る。前記基部は、少なくとも部分的に１つ以上の容器を囲む筐体を有し得る。ある場合には、前記基部が支持物８３０と係合した場合に、前記容器は完全に包囲され得る。前記基部は、容器を受け入れるために、１つ以上の刻み目、突起部、溝、又は形状づけられた特徴を有し得る。前記基部は、容器の形状に相補的である形状を持つために形成され得る。前記容器は、前記基部に対して正立位置に維持され得る。
【０１３３】
チャネルの数と同じ数の容器が提供され得る。各チャネルは、それぞれの容器に対応する。一実施例では、サンプル収集機器は、第一のチャネル及び第二のチャネルと同時に、それぞれ第一の容器及び第二の容器を有し得る。第一のチャネル８２２ａは、第一の容器８４６ａと連通状態にあるか、又は、連通状態にもたらされるために構成されることができ、及び第二のチャネル８２２ｂは、第二の容器８４６ｂと連通状態にあるか、又は、連通状態にもたらされるために構成されることができる。前記第一のチャネルは、最初は第一の容器と流体連通になくてよく、及び前記第二のチャネル最初は第二の容器と流体連通になくてよい。前記本体が前記支持物に対して押し入れられた時に、前記第一の及び第二のチャネルは、それぞれ前記第一の及び第二の容器の内部と、流体連通にもたらされることができる。前記本体が前記支持物に対して押し入れられた時に、前記第一の及び第二のチャネルは、前記第一の及び第二の容器とそれぞれ流体連通にもたらされることができる。前記第一の及び第二のチャネルは、前記第一の及び第二の容器とそれぞれ同時に流体連通にもたらされることができる。代替的に、それらは同時に流体連通にもたらされる必要はない。前記流体連通のタイミングは、前記容器の高さ及び／又は前記チャネルの長さに依存し得る。前記流体連通のタイミングは前記チャネルの第二の端及び前記容器の間の相対的な距離に依存し得る。
【０１３４】
いくつかの実施形態では、各容器は本体８４９ａ、８４９ｂ及びキャップ８４８ａ、８４８ｂを有し得る。前記容器本体は、管状の形状を有し得る。ある場合には、前記容器本体は円筒状の部分を有し得る。前記容器の底は、平坦な、先細の、丸みを付けられた、又はそれらの任意の組み合わせであり得る。前記容器は、開口端及び閉鎖端を含み得る。前記開口端は１つ以上のチャネルにより近い前記容器の端にある、容器の最上端であることができる。前記閉鎖端は、１つ以上のチャネルにより遠い前記容器の端にある、前記容器の底端であることができる。前記閉鎖端は、前記容器の１つ以上のチャネルからより遠い端にあり得る前記容器の底端であることができる。本明細書に記載される実施形態に対する変形又は代替物があることができ、及びどの単一の実施形態も完全な発明を包含するとは解釈されるべきでない。
【０１３５】
支持物８３０は、光学的窓８３２ａ、８３２ｂ等の１つ以上の光学的測定器を有し得る。前記光学的窓は、前記チャネル８２２ａ、８２２ｂの上に配置され得る。前記光学的窓は、前記チャネルの一部分の上に配置され得る。前記光学的窓は、サンプルが前記容器に入ったか否かの表示を提供し得る。前記光学的窓は、どれだけのサンプルが前記容器に入ったか、及び／又は前記光学的窓により示されるチャンネルの部分を通過したかを示し得る。このことは、ユーザーにとって、前記本体をサンプル採集機器の中に押し込むために、十分なサンプルが流れたかを評価するために有用であり得る。ある場合には、前記チャネルを前記容器との流体連結にもたらす雨に、前記サンプルが、チャネルの第二の端、又はその近くまで到達することが望ましいことがあり得る。ある場合には、前記サンプルが、前記チャネルに、前記容器との流体連結をもたらすために、前記本体を押し入れる前に、前記チャネルの特定の部分に達することが望ましいことがあり得る。前記チャネルの特定の部分が、前記光学的窓の下にあり得る。
【０１３６】
基部８４０は、光学的窓８４２ａ、８４２ｂ等の１つ以上の光学的測定器を有し得る。前記光学的窓は、前記容器８４６ａ、８４６ｂの上に配置され得る。ある場合には、前記光学的窓は、前記容器本体に配置され得る。前記光学的窓は、サンプルが前記容器に入ったかどうかの表示を提供し得る。前記光学的窓は、どのくらいのサンプルが前記容器を満たしたかを示し得る。このことは、十分な量のサンプルが前記容器を満たしたかを評価するために有用であり得る。ある場合には、前記チャネルとの流体連通から前記容器を取り外す前に、特定の量のサンプルが前記容器に入ることが望ましいことがあり得る。前記機器の基部を取り除いて、それにより前記容器を前記チャネルとの流体連通から外し始める前に、前記容器内に所定の容積のサンプルがあることが望まれる。
【０１３７】
前記容器及び／又は前記チャネルとのは、本明細書の他の部分に記載されるもの等の特性又は特徴を有し得る。ある場合には、前記チャネルの第二の端は、前記容器のキャップを貫通し、それにより前記チャネルを前記容器との流体連通にもたらす。ある場合には、前記チャネルは、前記容器から引き抜かれることができ、及び前記容器のキャップは、液密な密封を形成することができ、それにより、前記チャネルが前記容器との流体連通から外されたときに液密な環境を前記容器内で可能にする。
【０１３８】
１つ以上の係合組立品が提供され得る。この係合組立品は、チャネル・ホルダー及び／又はスプリング又は伸縮素材等の力を発揮する構成要素を含み得る。前記ホルダーは、チャネルを前記支持物に固定させ続けることができる。前記ホルダーは、前記チャネルが、前記支持物に対して滑動することを防止し得る。前記ホルダーは、随意的にスプリング等の力を発揮する構成要素がその上に休止する支持物を提供し得る。
【０１３９】
一実施例では、スプリングがその自然な状態にあるときに前記本体が伸長された状態にあることができるために、前記係合組立品は、力を発揮し得るスプリングを含み得る。前記本体が伸長された状態にあるときに、前記容器８４６ａ、８４６ｂ及び前記サンプル本体８２０の底との間に空間が提供され得る。前記容器の内部と流体連通にない場合に、前記チャネルの第二の端は所定の位置にあることができる。
【０１４０】
前記本体が圧入されるとき、前記スプリング８５２は圧縮され得る（図９Ａ〜９Ｃも参照のこと）。前記チャネルの第二の端は前記容器のキャップを貫通し得る。前記チャネルの第二の端は前記容器の内部に入ることができる。ある場合には、前記流体を前記チャネルから前記容器中に追い込むために力が提供され得る。例えば、前記チャネルの第一の及び第二の端の間に圧力差が生成され得る。前記チャネルの第一の端８２３ａ、８２３ｂに陽圧が提供されることができ、及び／又は前記チャネルの第二の端に陰圧が提供され得る。前記陽圧は、前記チャネルの第二の端及び／又は外気に対して正であることができる。前記陰圧は、前記チャネル第一の端及び／又は外気に対して負であり得る。一実施例では、前記容器８４６ａ及び８４６ｂは、その中に真空を有し得る。前記チャネルの第二の端が容器を貫通するとき、前記容器内の前記陰圧は前記サンプルを前記容器中に吸い込む。代替的な実施形態では、前記サンプルは、毛細管力、重力、又は任意の他の原動力に駆動されて、前記容器に入ることができる。随意的に、前記容器を流体で満たすために単一の又は多重の力の組み合わせがあってよい。
【０１４１】
ある場合には、異なるタイプの原動力が前記サンプルを前記チャネル内に抜き取るために、及びサンプルを前記チャネルから前記容器内に移動させるために用いられ得る。例えば、毛細管力が、前記サンプルをチャネル内に抜き取ることができ、及び圧力差が、前記サンプルを前記チャネルから前記容器内へ追い込むことができる。サンプルを前記チャネル及び前記容器内に抜き取るために、原動力の任意の組み合わせが用いられ得る。
【０１４２】
サンプルがチャネルに導入されてから、前記チャネルの長さに沿って移動するためにいくらかの時間が経過する。ユーザーは、サンプルを前記サンプル収集機器に導入し、及び前記サンプルが前記チャネルの長さを移動するために待つことができる。前記サンプルが、前記チャネルの端等の望ましい充填レベルに達したかを表示する、１つ以上の光学的測定器が、前記チャネルの長さに沿って提供され得る。他の実施形態では、前記ユーザーは、前記本体を押し込むまで、所定の時間を待つことができる。前記ユーザーが、前記サンプルが前記チャネルの十分な長さを移動したことを決定し、及び／又は前記サンプルが導入されてから十分な時間が経過した後に前記本体が押し入れられる。前記本体は、前記ユーザーが押すことを容易にするために平坦な表面を有する。ある場合には、前記平坦な表面は、ユーザーの指が前記本体を押し下げるために十分であり得る断面積を有する。前記本体が押し入れられた後に、前記チャネルは前記容器と流体連通にもたらされ、及びサンプルは前記チャネルから前記容器内に流れ得る。ユーザーがいつ前記容器が充填されたかを知り得るために、光学的測定器が提供され得る。
【０１４３】
前記容器が充填されるとすぐに、それらは本明細書の他の部分に記載されるシステム及び方法を用いて、望ましい場所に輸送され得る。以前に記載したように、サンプル収集機器全体が輸送され得る。一実施形態では、前記基部部分が前記機器の残りの部分から取り外され得る。一実施例では、前記基部は前記サンプル収集機器から取り外されることができ、及び前記容器は前記基部と共に輸送され得る。代替的に、前記容器へのアクセスを提供するために、前記基部は前記サンプル収集機器から取り外されることができ、前記容器は前記機器から取り外され送られることができる。
【０１４４】
図９Ａ〜９Ｃを参照し、サンプル収集機器９００の実施例及びについて記載する。１つの非制限的な例では、前記機器は本体９２０、支持物９３０、及び基部９４０を有し得る。前記本体９２０、支持物９３０、及び基部９４０は互いに対して移動し得る。ある場合には、前記機器の様々な構成要素は、異なる使用のステージの間に移動可能であり得る。使用のステージの例としては、前記機器が伸長状態にある場合、圧縮状態、及び分離された状態にある場合が挙げられる。
【０１４５】
図９Ａは、伸長状態にある前記機器９００の実施例を示す。前記本体９２０前記支持物に対して伸長し得る。サンプルを輸送するために構成されたチャネル９２２ａ、９２２ｂは前記本体に対して固定され得る。チャネルの第一の端は、前記本体及び／又は前記サンプル収集機器の残りの部分から外へ延伸し得る。前記チャネルの第二の端は、前記サンプル収集機器の一部分の中にあることができ、及び／又はそれにより包含され得る。前記チャネルは、前記基部９４０により収納されるそれぞれの容器から流体的に分離され得る。前記支持物９３０は、前記本体及び基部の間に配置され得る。前記支持物は、少なくとも部分的に前記チャネルの一部分を包含し得る。ある場合には、前記支持物は前記チャネルの第二の端を包含し得る。
【０１４６】
伸長状態にあるときには、前記機器は、伸長された長さを有し得る。前記機器の長さは、前記基部の底部から前記チャネル第一の端までであり得る。代替的に、前記機器の長さは、前記基部の底部から前記本体の頂部までで測定され得る。
【０１４７】
図９Ａに見られるように、前記機器９００前記サンプルが前記機器に導入されるときに、伸長状態にあり得る。例えば、サンプルは、少なくともチャネルの第一の端により接触され得る。前記サンプルは、毛細管作用又は本明細書に記載される任意の他の技法又は原動力により前記チャネル中に引き抜かれ得る。サンプルを前記機器内に抜き取るために、前記力は単独か、又は組み合わせで作用できる前記機器９００は前記サンプルが前記チャネルを横断する間伸長状態に留まることができる。前記サンプルは、所望のサンプル取得容積を満たすために、前記チャネルの長さの全体、前記チャネルの長さの一部分、又は少なくとも最小部分を満たすことができる。
【０１４８】
図９Ｂは、圧縮状態にある前記機器９００の実施例を示す。前記本体９２０は前記支持物に対して圧縮され得る。前記チャネル９２２ａ、９２２ｂは、前記本体に固定され得る。前記チャネルは、それぞれの容器と流体的連通にあり得る。前記機器は、圧縮状態にもたらされるとき、第一のチャネルは、第一の容器の内部と流体連通にもたらされることができ、及び第二のチャネルは、第二の容器の内部と流体連通にもたらされ得る。
【０１４９】
非制限的な例として、ユーザーは、前記機器を圧縮状態をもたらすために、前記本体９２０を前記支持物９３０（又は逆も成り立つ）に対して押すことができる。部品間の相対的な動作は、それらの内の１つだけの動きを含み得る。随意的に、動きは、それらの内の１つだけの動作を含み得る。本実施例では、前記本体９２０は、前記本体内部部分が露出されることがなく、及び／又は前記本体のへりが前記支持物に接触することができるように、前記支持物９３０に対して最後まで押されることができる。前記機器が完全に圧縮されたときに、係合され得る、任意の停止機構が用いられ得る。代替的に、前記本体部分的にのみ押されることができる。例えば、前記本体の内部部分の一部分は、露出され得る。前記支持物は、前記本体及び基部の間に配置され得る。前記支持物は、少なくとも部分的に前記チャネルの一部分を包含し得る。ある場合には、前記チャネルの第二の端は、前記機器の支持物を超えて延伸し得る。
【０１５０】
圧縮状態にあるときに、前記機器９００は圧縮された長さを有し得ることを理解されたい。前記機器９００の長さは、前記基部の底部から前記チャネル第一の端までであり得る。代替的に、前記機器の長さは、前記基部の底部から前記本体の頂部までで測定され得る。前記機器の圧縮された長さは、前記機器の伸長された長さより少なくてよい。いくつかの実施形態では、前記機器の圧縮された長さは、前記機器の伸長された長さよりも、少なくとも約０．１ｃｍ、０．５ｃｍ、１．０ｃｍ、１．５ｃｍ、２．０ｃｍ、２．５ｃｍ、３．０ｃｍ、３．５ｃｍ、４．０ｃｍ、又は５．０ｃｍ少なくてよい。前記機器の圧縮された長さは、前記機器の伸長された長さの約５０％、６０％、７０％、７５％、８０％、８５％、９０％、９５％、９７％又は９９％であってよい。
【０１５１】
前記機器９００に、１つ以上の係合組立品が提供され得る。この係合組立品は、チャネル・ホルダー９５０及び／又はスプリング９５２又は伸縮素材等の力を発揮する構成要素を含み得る。前記ホルダー９５０は、前記アダプター・チャネル９５４を前記支持物に固定し続けることができる。本明細書の他の部分に記載されるように、前記アダプター・チャネル９５４は、前記収集チャネルと一体的に形成され得るか、又は又は、スタンドアロンの片、前記収集チャネルの一部分、又は前記容器の一部分であり得る分離された要素であり得る。一実施形態では、前記ホルダー９５０は、アダプター・チャネル９５４が、前記支持物に対して滑動することを防止し得る。前記ホルダー９５０は、随意的にスプリング等の力を発揮する構成要素がその上に休止する支持物を提供し得る。前記機器が圧縮状態にあるときには、前記スプリング等の、力を発揮する構成要素は、圧縮状態にあり得る。前記機器が圧縮状態にあるときに、前記スプリングは、前記機器の本体に力を発揮し得る。
【０１５２】
前記機器は、前記サンプルが、前記チャネルからそれぞれの容器へ、移動されるときには、圧縮状態にあり得る。いくつかの実施例では、それらが流体性連通にもたらされたときに、前記移動が前記チャネル及び前記容器の内部の間の圧力差により生じる。例えば、前記チャネルの第二の端が、前記容器の内部と流体的連通にもたらされ得る。前記容器は、その中に真空及び／又は陰圧を有し得る。前記チャネルが、容器と流体的連通にもたらされたときに、前記サンプルは前記容器中に吸い込まれることができる。前記サンプルが前記容器に移動される間、前記機器は、圧縮状態に留まり得る。前記サンプルは、前記容器全体又は容器の一部分を満たし得る。前記チャネルからの前記サンプルの全体（及び／又は前記サンプルの９０％、９５％、９７％、９８％、９９％、９９．５％又は９９．９％を超える量）が、前記容器に移動され得る。代替的に、前記チャネルからの前記サンプルの一部分だけが、前記容器に移動され得る。
【０１５３】
図９Ｃを参照し、分離された状態にある機器９００の実施例が記載される。前記基部９４０は、前記機器９００の残りの部分から分離され得る。前記本体９２０は、前記支持物９３０に対して伸長又は圧縮され得る。一実施例では、ユーザーにより前記本体に対して、力が発揮されない限り、前記本体が、伸長状態に伸長して戻ることができるような、前記伸長状態が自然な状態であることができる。前記チャネル９２２ａ、９２２ｂは前記本体に固定され得る。
【０１５４】
前記機器９００が分離された状態にあるときに、前記基部９４０は、前記機器の支持物９３０から分離され得る。前記チャネル９２２ａ、９２２ｂは、それぞれの容器９４６ａ、９４６ｂとの流体的連通から取り外されることができる。前記機器９００が分離された状態にもたらされたとき、第一のチャネルが第一の容器の内部と流体連通にもたらされることができ、及び第二のチャネルは、第二の容器の内部と流体連通にもたらされることができる。このことは、順次に、又は同時に生じ得る。前記チャネルが前記容器から取り除かれたとき、望ましくない物質が前記容器に入ることを防ぐために、前記容器は密封された状態を取ることができる。いくつかの実施形態では、前記チャネルを取り除いた後に、前記容器は液密になり得る。随意的に、前記容器は、前記チャネルを取り除いた後に、前記容器は気密になり得る。
【０１５５】
ユーザーは、前記基部９４０を、その中にある前記容器を取り除くために、前記機器に分離された状態にもたらすために、前記支持物９３０から分離し得る。実施形態では、前記基部は前記支持物から分離され得るか、又はその逆も成り立つ。前記支持物から前記基部を分離することは、前記基部により支持される前記容器９４６ａ、９４６ｂを露出し得る。前記容器は、圧入又は他の方法により前記基部内に保持される。前記容器９４６ａ、９４６ｂは、前記基部から取り除かれ得る。非制限的な実施例として、前記容器９４６ａ、９４６ｂを取り除くことは、分析施設に輸送するための、温度及び湿度が調製された他の容器に配置されることを可能にする。随意的に、分析施設における処理のために送付される前に、前記容器９４６ａ、９４６ｂは、限定はされないが、遠心分離等の前処理を可能にするために取り除かれ得る。代替的に、前記容器９４６ａ、９４６ｂは、前記基部と共に留まり得る。
【０１５６】
図１０Ａ〜１０Ｂは、分離された状態におけるサンプル収集機器１０００の追加的な図を提供する。分離された状態にあるときに、前記機器の支持物１０３０及び／又は本体１０２０から、前記基部１０４０は分離され得る（部分的に又は完全に）。このことは、前記容器１０４６ａ及び１０４６ｂの、前記機器１０００が分離状態にないときには、外部に対して露出されていない、基部１０４０の端を介しての除去を可能にする。
【０１５７】
前記機器が分離された状態にあるときに、１つ以上のチャネル１０２２ａ、１０２２ｂは、前記基部１０４０内に収容される１つ以上の容器１０４６ａ、１０４６ｂとは流体的に分離される。前記容器は、それらの環境からは流体的に密封され得る。前記容器は、その中に前記収集チャネルを経由して移動され、最小限の充填レベルに達し、次いでそれぞれの容器の中に、実質的に完全に堆積されたサンプルを含むことができる。前記基部１０４０は、１つ以上の光学的測定器１０４６ａ、１０４６ｂを含み得る。前記光学的測定器は、前記容器中で、最小充填レベルに達するまで、前記機器１０００を分離状態に移らせないために、その中の前記容器の一部分を示す。非制限的な実施例として、前記容器は、ユーザーが前記基部の外側から前記容器内のサンプルを見ることを許容する光学的に透過性の物質を有し得る。
【０１５８】
いくつかの実施形態では、前記基部１０４０は、少なくとも前記容器の一部分を包含し得る。前記基部中空の内部及びこの中空の内部を囲む壁を有し得る。前記基部は、前記容器を支持する１つ以上の形作られた特徴を有し得る。前記中空の内部内に前記容器が提供され得る。前記壁は前記容器を取り囲むことができる。前記基部は、前記容器がそこを通過して露出される開口された頂部を有し得る。前記容器はこの開口された頂部を通って除去されることができても、又はできなくてもよい。
複数の収集チャネルを持った収集機器
【０１５９】
図１１Ａ〜１１Ｆを参照し、本明細書において記載される更なる実施形態について記載する。この実施形態は、流体サンプルの収集に用いられる、限定はされないが、被験者皮膚又は他の標的領域等の体表面上にプールされ得るか、さもなければ形成され得る体液サンプルの収集機器１１００を提供する。この実施形態は、その中に異なる容積を有する、少なくとも２つの収集チャネルを画成する機器本体を示しているが、より少ない又はより多い数の収集チャネルを持つ機器が除外されないことを理解されたい。１つ以上の前記チャネルに対して同じ収集容積が用いられる実施形態も除外されない。本明細書に記載される実施形態に対する変形又は代替物があることができ、及びどの単一の実施形態も完全な発明を包含するとは解釈されるべきでない。
【０１６０】
図１１Ａは、表面上の流体サンプルと係合するために構成された遠位端１１０２を持つ体液サンプル収集機器１１００の一実施形態の透視図を示す。この実施形態では、前記遠位端１１０２は、表面の上の滴又は体液のプール若しくは形成されたサンプルと、よりよく係合するための、形状を有し得る。いくつかの実施形態は、所望の形状に加えて、前記チャネルを前記機器１１００中に導く前記遠位端１１０２上の１つ以上の開口部１１０４及び１１０６へ向かう流体の流れを促進するために、限定はされないが、化学的処理、テクスチャリング（ｔｅｘｔｕｒｉｎｇ）、表面特徴、又はコーティング等の表面処理も前記遠位端１１０２において有し得る。
【０１６１】
図１１Ａに見られるように、前記サンプル収集機器１１００のこの実施形態は、サンプル流体を受け入れるための、２つの開口部１１０４及びを有する。いくつかの実施形態は、前記遠位端において、２つより多い開口部を有し得ることを理解されたい。いくつかの実施形態は前記遠位端においてただ１つの開口部を有し得る。随意的に、いくつかの実施形態は、前記機器１１００の前記遠位端１１０２から出ている側面又は他の表面に沿って、追加的な開口部を有し得る。前記開口部１１０４及び１１０６は、任意の断面形状を有し得る。いくつかの限定されない例では、前記開口部は、円形、楕円形、三角形、四角形（例えば、正方形、長方形、台形）、五角形、六角形、八角形、又は任意の他の断面の形状を有し得る。前記断面の形状は、前記収集機器本体の長さに沿って、同一であり続けることができるか、又は変化し得る。ある場合には、前記開口部は、約２ｍｍ２、１．５ｍｍ２、１ｍｍ２、０．８ｍｍ２、０．５ｍｍ２、０．３ｍｍ２、又は０．１ｍｍ２以下の断面積を有し得る。いくつかの実施形態は同じ形状の前記開口部を有する。他のものは、１つ以上の開口部に対して異なる形状を用い得る。
【０１６２】
前記サンプル収集機器１１００の本体であることができる、前記サンプル充填部分１１２０は、ユーザーがサンプルが前記サンプル充填部分１１２０内のサンプル収集チャネル（図１１Ｂを参照のこと）に入ったかを見ることを可能にし得る透明な及び／又は半透明な物質により形成され得る。いくつかの実施形態では、全体のサンプル充填部分１１２０が透明又は半透明である。代替的に、いくつかの実施形態は、ユーザーに前記サンプル収集機器１１００内へのサンプルの充填を可視化するために、前記チャネルの上の全ての面積だけ、又は前記チャネル又はサンプル充填部分１１２０の選択された面積だけが、透明又は半透明であることができる。随意的に、前記サンプル充填部分は不透明な物質で形成されるが、その中の充填レベルの可視化のために開口部又は窓を有する。前記機器１１００は、ユーザーが望ましい充填レベルに達したかを見ることを可能にする、１つ以上の可視化窓１１１２及び１１１４を更に含み得る。この可視化窓は透明及び／又は半透明な物質で形成され得る。代替的に、この可視化窓は、その中になんらの物質も持たない開口部であり得る。追加的な可視化窓は、前記収集チャネル中の全ての前記流体が空になり、前記容器１１４６ａ及び１１４６ｂに入ったかを決定するためにも用いられ得る（図１１Ｂを参照のこと）。
【０１６３】
図１１Ａは、支持物１１３０のいくつかの実施形態が、サンプル流体を受け入れるための位置に基部１１４０中の前記容器が移動されたかを示すために、前記容器１１４６ａ及び１１４６ｂの中の充填レベルを示すために配置される光学的窓１１３２及び１１３４を有し得ることも示す。随意的に、前記窓１１３２及び１１３４は、活性化の間に「開始」及び「終了」を決定するための基部のスナップ特徴に対してガイドとして作用する切り抜きであり得る。前記基部は、１つ以上のサンプル容器を保持するために構成され得ることを理解されたい。限定ではなく例として、基部１１４０の全体が、サンプル充填の前又は後に、前記サンプル収集機器から取り除かれ得る。前記基部１１４０は、輸送の間に前記サンプル容器をその中に維持するホルダーとして用いられることができ、及びそのような実施形態では、前記基部１１４０及び前記サンプル容器は、発送用トレイ又は輸送のためのホルダー中に装填され得る。代替的に、いくつかの実施形態は、前記サンプル容器を前記基部１１４０から取り出し、及び次いで前記容器を、それを保持する前記基部１１４０なしで輸送し得る。
【０１６４】
図１１Ｂは、図１１Ｃに示される実施形態の切断線Ｂ−Ｂに沿った断面図を示す。図１１Ｂは、前記部分１１２０内の前記チャネル１１２６及び１１２８を示す。前記サンプル充填部分１１２０は、前記部分１１２０を画成するために、結合する２つ以上の片から形成され得る。前記チャネルは、１つの片内に画成することができ、及び次いで前記チャネルの反対側の壁又は頂部の壁を画成するための前記第一の片と一致する別の片を有することができる。製造に関しては、１つの片が、成形されたか、又はさもなければ、前記本体中に形成されたチャネルを有することを許容し、及びそれに対向する片が、前記チャネルのためのカバーとして作用するために結合するか、又は前記チャネルの部分を含むこともできる。前記チャネル１１２６及び１１２８は、部分１１２０の中にのみ形成され得るか、又は基部又は担体１１４０中に保持される前記容器と結合する特徴を有する支持物１１３０内に延伸し得る。いくつかの実施形態は、部分１１２０及び１１３０を一緒に一体的に形成し得る。支持物１１３０も、それぞれの容器１１４６ａ及び１１４６ｂを持つ前記チャネル１１２６及び１１２８と流体的に連結するを保持するために構成され得る。
【０１６５】
これらの本明細書における実施形態は２個のチャネル及び２個の容器を使用することにより記載されているが、他の数のチャネル及び容器が除外されないことを理解されたい。いくつかの実施形態は、いくつかのチャネルが同じ容器に連結する、容器よりも多いチャネルを有し得る。いくつかの実施形態は、多重の容器が操作可能に同じチャネルに連結される、チャネルよりも多い容器を有し得る。
【０１６６】
図１１Ｂに見られるように、前記チャネル１１２６及び１１２８は、異なるサイズであり得る。このことは、前記容器１１４６ａ及び１１４６ｂに移動される前に、各チャネル中に異なる流体容積が収集されることを可能にする。随意的に、いくつかの実施形態は、同じ容積の流体を収容するために形成された、チャネル１１２６及び１１２８を有し得る。いくつかの実施形態では、前記遠位端１１０２の近傍の開口部同士が、前記容器１１４６ａ及び１１４６ｂへの進入のために更に離れて配列され得る、近位端のもの同士よりも互いに接近することができるように、前記チャネル１１２６及び１１２８の流体経路が形作られ、及び／又は角度が付けられる。本明細書に記載される実施形態に対する変形又は代替物があることができ、及びどの単一の実施形態も完全な発明を包含するとは解釈されるべきでない。
【０１６７】
図１１Ｂは、いくつかの実施形態が、前記チャネル１１２６及び１１２８と連通する、前記本体１１３０中のアダプター・チャネル１１５０及び１１５２に対して針を使い得ることも示す。この針のそれぞれは、前記収集チャネル１１２６及び１１２８から、前記針の端まで、その中を流体が通過することを可能にする、チャネルを有する。図１１Ｂに見られるように、前記基部１１４０中の、前記容器１１４６ａ及び１１４６ｂは、矢印１１５６で示されるように、前記支持物１１３０に対して滑動し得る。支持物１１３０及び基部１１４０の間の相対的な動きは、間隔１１５４を閉じることができる。間隔１１５４を閉じることは、アダプター・チャネル１１５０を、前記容器１１４６ａの内部及び前記収集チャネル１１２６の間に流体連通が形成されるまで、前記容器１１４６ａのキャップ１１４８ａ内にもたらす。その時点で、前記形態の中の原動力が、前記チャネル１１２６内の流体を前記容器１１４６ａ内に移動する。
【０１６８】
例として及び制限ではなく、原動力の任意の組み合わせが、サンプルを前記容器内に引き抜くために用いられ得る。いくつかの実施形態はサンプルを前記容器内に引き抜くために前記容器１１４６ａ内の真空による引きを用い得る。流体を前記容器内に移動するために外部の圧力からの押す力を用い得る。いくつかの実施形態は両方を用い得る。毛細管及び／又は重力に依存し得る。いくつかの実施形態では、前記チャネル中にサンプルを引き抜くために用いられた前記原動力は、サンプルを前記容器内に引き抜くために用いられた原動力とは異なる。いくつかの代替的な実施形態では、前記原動力は各ステージで同一である。いくつかの実施形態では、前記原動力は、順次加えられるか、又は定義された時間において加えられる。非制限的な実施例として、サンプルを前記容器に引き抜くための原動力は、少なくとも１つのチャネルが最小充填レベルに達するまでは加えられない。随意的に、サンプルを前記容器に引き抜くための原動力は、２つのチャネルがそれぞれ最小充填レベルに達するまでは加えられない。随意的に、サンプルを前記容器に引き抜くための原動力は、全てのチャネルがそれぞれ最小充填レベルに達するまでは加えられない。いくつかの実施形態では、前記原動力同時に加えられる。この列挙された特徴は、本明細書のいかなる実施形態にも適用され得る。
【０１６９】
図１１Ｅを参照し、前記機器１１００の拡大された断面図が示される。この実施形態前記支持物１１３０が、アダプター・チャネル１１５０及び１１５２の上を超えて、ユーザーが、間隔１１５４内に指を挿入し、及び針の１つにより指を貫通することを防止するために十分な量において延伸するために形作られたへり部分１１３６を有することを示す。
【０１７０】
追加的に、図１１Ｂ及び１１Ｅに示されるように、本実施形態は、少なくとも２つのチャネルを前記サンプル収集機器１１００中に有する。このことは、前記チャネル１１２８及び１１２６のそれぞれが、異なる物質をそれぞれ前記サンプル中に導入することを可能にする。非制限的な実施例として、もし前記サンプルが全血であると、１つのチャネルがヘパリンを前記血液中に導入できる一方で、別のチャネルはエチレンジアミン四酢酸（ＥＤＴＡ）を導入する。これらの抗凝血剤は、前記チャネルが充填される間の、時期尚早な凝固を防止するばかりでなく、前記容器１１４６ａ及び１１４６ｂへの輸送に備えて抗凝血剤を全血に導入する。随意的に、前記チャネルは、前記抗凝血剤の代わりに、又はそれと組み合わせてプラズマ被覆もされ得る。このプラズマ被覆は、体液サンプルが前記チャネルに入るときの流れ抵抗を低下させ得る。そのようなコーティングは、前記チャネルにおいて用いられる任意の他の被覆とともに、限定はされないが、細片、環、又は他のパターン等のパターンを持って被覆され得る。
【０１７１】
随意的に、前記サンプル流体が前記チャネルを１回だけ通過した後に、前記サンプル流体中に所望のレベルの抗凝血剤を含むことができるように、十分な量の抗凝血剤が、それぞれのチャネル内にある。従来の血液バイアルでは、前記血液サンプルは、それがバイアルに入るまで抗凝血剤を含まず、及び一旦バイアルに入ると、バイアル中の抗凝血剤の混合を可能にするために、技術者は、典型的には、バイアルを繰り返し、傾斜させ、振盪し、及び／又は撹拌する。本実施形態では、前記サンプル流体は、前記サンプル容器に入る前に抗凝血剤を有し、及び前記サンプル収集機器を繰り返し傾斜させるか、又は撹拌する必要なしで、そのようにする。本明細書の実施形態では、単一の通過が、十分な時間及び前記サンプル流体内へに抗凝血剤等の添加物の十分な濃度を提供する。一実施形態では、ＥＤＴＡチャネルは２００ｍｇ／ｍＬのＥＤＴＡで被覆された、５４μＬの容積を有し；ヘパリンのチャネルは、２５０ユニット／ｍＬのヘパリンで被覆された約２２μＬの容積を有する。別の実施形態では、ＥＤＴＡチャネルは、３００ｍｇ／ｍＬのＥＤＴＡで被覆された、７０μＬの容積を有し；ヘパリンのチャネルは、２５０ユニット／ｍＬのヘパリンで被覆された約３０μＬの容積を有する。非制限的な実施例として、容積が５０〜７０μＬのチャネルは、約２００〜３００ｍｇ／ｍＬＥＤＴＡの範囲のＥＤＴＡにより被覆され得る。随意的に、容積が７０〜１００μＬのチャネルは、約３００〜４５０ｍｇ／ｍＬＥＤＴＡの範囲のＥＤＴＡにより被覆され得る。随意的に、容積が２０〜３０μＬのチャネルは、２５０ユニット／ｍＬヘパリンの範囲のヘパリンにより被覆され得る。例として、前記物質は、標的の表面に１時間未満で溶液被覆され、及び次いで一晩乾燥され得る。本明細書に記載される実施形態に対する変形又は代替物があることができ、及びどの単一の実施形態も完全な発明を包含するとは解釈されるべきでない。
【０１７２】
図１１Ｇを参照し、更なる実施形態について記載する。図１１Ｇの実施形態は、前記サンプル収集機器１２００の遠位端１２０２において、前記チャネルのそれぞれに対して、１つの開口部１２０４を有する代わりに、前記サンプル収集機器１２００は、２つ以上の前記チャネルを単一のチャネルに合流させる。図１１Ｇの実施形態は、この共通のチャネルが複数の別個のチャネルに分岐する前に、共通のチャネル部分があることを示す。下記の図１１Ｉにおいて議論されるように、随意的に、充填の間に１つのチャネルから別のチャネルへのサンプルの抜き取り、及び／又は前記チャネルから前記サンプル容器内へのサンプルの抜き取りを減少させるために、限定はされないが、別々のチャネルに沿った通気口等の、逆流防止部があってよい。
【０１７３】
図１１Ｈに見られるように、この共通の流路の使用は、体液サンプルと係合するために前記開口部１２０４を整列させる、前記サンプル収集機器１２００の外部の開口部の減少した数をもたらし得る。これは、体液サンプルが前記収集機器に入る場所において、同じチャネルを引き寄せるより多くの毛細管を有することにより、体液サンプルを前記サンプル収集機器１２００に抜き取るための毛細管力も増大させる。
【０１７４】
図１１Ｉを参照し、サンプル収集機器の選択された構成要素の断面図について記載する。図１１Ｉは、前記サンプル収集機器が、前記機器上の吸入口の開口部に向かって導く、共通の部分１１８６を有する、２個のチャネル１１８２及び１１８４を有し得ることを示す。いくつかの実施形態では、この共通の部分１１８６は、前記チャネル１１８２又は１１８４の内の１つのサイズ、形状、及び／又は配向に関する継続であり得る。随意的に、この共通の部分１１８６は、前記チャネル１１８２、１１８４、又はこの共通の部分１１８６と流体連通にあり得る、任意の他のチャネルとは、同じサイズ、形状、及び／又は配向のうちのいずれも有さない。図１１Ｉは、１つの非制限的な実施例では、前記チャネル１１８２及び１１８４の間に接合部分１１８８におけるステップがあり得ることを示す。この接合部分１１８８は、２つのチャネルの両方が完全に充填されるように、前記チャネル中への流れを保証するために構成され得る。一実施形態では、この接合部分１１８８は、この接合部分１１８８から出ている前記チャネル１１８２より大きなサイズを有する。他のサイズは除外されないが、より大きなサイズの、この接合部分１１８８は、十分な流れが、本実施形態においては、前記チャネル１１８４に比較して、より小さな直径及び減少された容積を有する前記チャネル１１８２に入ることを保証し得る。本明細書に記載される実施形態に対する変形又は代替物があることができ、及びどの単一の実施形態も完全な発明を包含するとは解釈されるべきでない。
【０１７５】
図１１Ｉは、とりわけサンプルが前記サンプル容器中に移動されているときに、チャネルの間のクロスフロー（ｃｒｏｓｓ−ｆｌｏｗ）を防止するために用いられ得る、通気口１１９０及び１１９２があってよいことも示す。一実施形態では、前記通気口１１９０及び１１９２は、常時開口していてよい。別の実施形態では、前記通気口１１９０及び１１９２は、限定はされないが、前記チャネル１１８２及び１１８４が充填されたか、又は実質的に充填された後等の選択されたときだけ開口できる。いくつかの実施形態は、前記通気口１１９０及び１１９２がサンプル流体と接触するまで、それらを塞ぐ溶解可能な物質を用い得る。随意的に、いくつかの実施形態は、１つ以上の前記通気口１１９０及び１１９２に、ユーザーにより選択された時にのみ開口するような、滑動可能なカバーを用い得る。一実施形態では、前記チャネルとの流体連通に入るために移動する前記サンプル容器の動きが、チャネル間のクロスフローのリスクを低下させるために１つ以上の通気口１１９０及び１１９２も開くことができるように、このカバーは前記サンプル容器と連結される。随意的に、限定はされないが、バルブ、ゲート、又はプラグ等の他のクロスフロー防止機構もチャネル１１９０及び１１９２の間で流体が移動することを防止するために用いられ得る。
【０１７６】
図１１Ｉは、アダプター１１５０及び１１５２の間に配置された、漏出防止機器１１９４があってもよいことも示す。この実施形態では、この漏出防止機器１１９４は、フリット（ｆｒｉｔ）であり、アダプター１１５０及び１１５２からのサンプルの漏出を防止する第一の位置から、アダプターが流体を前記サンプル容器中に送達することを許容する第二の位置まで滑動可能に移動され得る。１つの非制限的な実施例では、この漏出防止機器１１９４は、前記サンプル容器又は、前記サンプル容器を保持する筐体により係合されたときに滑動する。この非制限的な実施例では、前記サンプル容器又はその筐体の動きは、それらの要素の動作が、漏出防止機器１１９４の動作も引き起こすことを示す。
【０１７７】
図１１Ｊを参照し、サンプル収集機器１１６０の更なる実施形態について記載する。サンプル収集機器１１６０のこの実施形態は、前記機器１１６０が、前記機器１１６０内で複数のチャネル１１６２及び１１６４に導く、サンプル進入場所１２０４を有する事を示す。図１１Ｊは、チャネル１１６２及び１１６４が異なる形状及び／又はサイズを有し得ることを示すが、いくつかの実施形態は、同じ容積及び／又は形状を持つために構成されることができる。サンプル進入場所１２０４は、前記機器１１６０の表面にあることができるか、又は随意的に、それは、チップ、ノズル、スタブの一部であり得るか、又は前記機器１１６０の本体から延伸する他の突起であり得ることも理解されたい。この突起は、同一平面上にあり、及び前記機器の本体と平行に整列されるか、又は随意的に、突起の軸が前記機器１１６０の平面と交差するために角度を持ち得る。
【０１７８】
図11Jは、更に、いくつかの実施形態については、サンプルを所望の方向に引き抜くか、さもなければ優先的に向ける、サンプル流れ特性1166及び1168があり得ることを更に示す。いくつかの実施形態では、前記特徴1166及び1168は、少なくとも１つの軸におけるチャネルの、限定はされないが、幅又は高さ等の寸法を、減少させるために作用するガイドであり、従って、減少された寸法の、それらの領域を介する毛細管作用を増大する。非限定的な一実施例では、これらの流れの特徴1166及び1168は、サンプルがチャネルに入る間に、反クロスフローの特徴1170の近くに位置付けられたチャネル領域を通過する流体の流れを支援できる。一実施形態では、前記流れの特徴1166及び1168は、流れが、主に毛細管作用により引かれるときに、内向き方向に流れを改善できるようにサイズ付けされている。外向きの流れは、１つのシナリオでは、毛細管力に基づかないが、真空の牽引力に基づく(隣接するチャネルから等の)、及び本発明の実施形態のこれらの流れの特徴1166及び1168は、真空の、非毛細管の流れの状態に対する支援を提供しないように構成されている。従って、全部ではないがいくつかの実施形態の流れの特徴1166及び1168は、少なくとも１つのタイプの流れの状態の下で、支援するために構成されるが、特定の他の流れの下では支援しないように構成される。随意的に、いくつかの実施形態は、限定はされないが、形状付けられた特徴、疎水的物質、親水的物質、又は  サンプルを所望の場所に、押す／引くための他の技法等の、他の技法を単独でか、又はガイドとの組み合わせにおいて用い得る。
【０１７９】
図１１Ｊは、本明細書の１つ以上の実施形態では、チャネル中に保持されてしまい、及び収集されないサンプルの量を最小限にするために、円錐的に又は他の方法で、サンプルを漏斗状にして、チャネルの断面積を狭める、角度の付いた側壁特徴１１６７があり得ることも示す。図１１Ｊは、画成された場所及び配位において、製造中に部品を互いに接合することを促進する位置付け特徴１１６９があり得ることも示す。
【０１８０】
図１１Ｋは、サンプル収集機器１１６０のこの実施形態の側面図を示す。前記機器１１６０の側面図は、限定はされないが、チャネル１１６２及び１１６４の間のサンプルの望まれないクロスフローを最小化するための、通気孔等の１つ以上の反クロスフローの特徴１１７０がある実施形態があることを示す。所望の充填レベルは、それぞれのチャネルにおいて到達され得る。前記反クロスフローの特徴１１７０及び１１７２は、通気孔により形成された流体経路に侵入できるためにクロスフローを防止できる。前記クロスフロー問題は、ホルダー１１４０中に前記容器がある場合に、係合し、及びチャネルから容器中にサンプルを引き込むための追加的な原動力を提供する場合に最も共通に生じ得る。この“引っ張り”効果は、不注意により、サンプルを１つのチャネルから隣接するチャネルに引き込み得る。クロスフローを最小化するために、サンプルをチャネルから前記容器中に引きこむことに関係する力は、通気孔から引き込み、及び隣接するチャネルにおける流体は引き込まず、従って望まれないサンプルの混合を最小化する。
【０１８１】
図１１Ｋは、本明細書のいくつかの実施形態では、異なるサンプル充填部分１１２０との使用に適応され得る共通部分１１３０及び１１４０があり得ることも示す。いくつかは、異なる毛細管充填部分１１２０を用い得る。いくつかの実施形態は、限定はされないが、静脈採血、動脈採血からのサンプル、又は被験者の内部部位、若しくは標的部位から採血された他のサンプル等の異なるタイプの捕捉技法を用いる充填部分を用い得る。
【０１８２】
図１１Ｌを参照するが、サンプルの流れの特徴１１６６及び１１６８の１つの実施形態が示される。チャネル１１６２及び１１６４、及び共通流入経路１１６５付近の、サンプルの流れの特徴１１６６及び１１６８を持つ、サンプル収集部分の断面図は、前記特徴が、所望サンプルがチャネルに入る場所の近くにある一実施形態において望ましいことを示す。図１１Ｌは、異なる容積のチャネルに対して、注入口１１６５の非対称的な配置に見られるように、注入口１１６５を、より大きな容積を持つチャネル１１６４のより近くに配置することが望ましいことも示す。いくつかの実施形態では、サンプル流れの特徴１１６６及び１１６８の位置は、サンプル収集機器１１６０の、充填速度、充填容積等を制御するために選択され得ることも見ることができる。記載される特徴の１つ以上が、本明細書の他の実施形態での使用に適応され得ることを理解されたい。
【０１８３】
図１１Ｍを参照し、サンプルの反クロスフローの特徴を持つチャネル１１６２及び１１６４が示される。一実施形態では、前記サンプル反クロスフローの特徴は、チャネル１１６２及び１１６４の表面の少なくとも１つに配置された通気孔１１７０及び１１７２である。１つの非限定的な実施形態では、これらのサンプルの反クロスフローの特徴は、前記機器内の任意のサンプル流れの特徴１１６６及び１１６８の近くに配置される。一実施形態では、これらの反クロスフローの特徴は、チャネルの間の流れを防止するために構成される。これらの反クロスフローの特徴は、それぞれのチャネルの最大充填場所の近くに位置付けられることができるので、チャネルがサンプル最大収容能力にあるか、又はそれに近い場合に、前記反クロスフローの特徴１１７０及び１１７２は、過剰に充填されたサンプルが、１つのチャネルにおいて処理されたサンプルが、別のチャネルに入り込み、及び２つのチャネルからの、望まれないサンプルの混合を引き起こすことを防止する位置に配置され得る。
【０１８４】
図１１Ｎは、サンプル充填表示器１１１２及び１１１４を持つ前記サンプル収集機器の透視図を示す。一実施形態では、これらの表示器１１１２及び１１１４は、チャネル１１６２又は１１６４の少なくとも１部分の観察を可能にする、開口部であるか、又は前記機器１１６０の透明部分である。少なくとも１つの表示器１１１２及び１１１４において、サンプルが可視的である時には、それは、次いで、ユーザーに、限定はされないが、ホルダー１１４０中の前記サンプル容器を係合する等の、別の行動をとる合図を提供する。いくつかの実施形態では、２つ以上のチャネル中のサンプルの十分な充填の表示の代用となる、１つのサンプル充填表示器しかない。いくつかの実施形態では、前記サンプル容器を係合する活動は、表示器１１１２及び１１１４により表示されたときにのみ行われる。いくつかの実施形態では、前記サンプル容器を係合する活動は、表示器の１つのみにより表示されたときにのみ行われる。
【０１８５】
図１１Ｏ、１１Ｐ、及び１１Ｑを参照し、図１１Ｊ中の前記機器１１６０の一実施形態に沿った様々な場所での断面が示される。図１１Ｏは、前記サンプル流れ特徴１１６６及び１１６８を示す断面を示す。前記反交差流特徴１１７０及び１１７２も示される。前記機器１１６０を形成するために片を互いに結合することを可能にするための係合特徴１１７４も提供される。
【０１８６】
図１１Ｐは、前記サンプルチャネル１１６２及び１１６４の中に延伸するか、又は少なくともそれらと流体連通にあるために、アダプター・チャネル１１５０及び１１５２が位置付けられることを示す。随意的に、いくつかの実施形態は、多重内腔のアダプター・チャネル１１５０又は１１５２を有し得る。随意的に、いくつかの実施形態は、サンプルチャネル当たりに複数のアダプター・チャネルを有することができ、そのような追加的なチャネルは、互いに平行であるか、角度を持つか、巻き合うか（ｗｒａｐｐｅｄ）、又はさもなければ、相対的に配向される。
【０１８７】
図１１Ｑは、いくつかの実施形態では、前記容器ホルダー１１４０は、非対照的に形状付けられる（断面平面上において）ことができるか、又はさもなければ、前記機器１１６０中に、ホルダー１１４０が、ただ１つの配向において受け入れられることを可能にするために形状付けられる。このことは、サンプルを特定のチャネルから、選択された容器に向かわせることが望まれる場合に、とりわけ望ましい。もしホルダー１１４０が、様々な配向において挿入され得ると、１つのチャネルからの前記サンプルは、正しくない容器中に入る結果になり得る。随意的に、位置合わせ特徴、スロット、視覚的合図、模様付け合図、及び／又は類似のもの等の他の特徴が、サンプル容器が前記機器に好適な配向をすることを促進するために用いられ得る。
統合された組織貫通部材
【０１８８】
図１１Ｒを参照し、サンプル収集機器の更なる実施形態について記載する。このサンプル収集機器１２１０は、それがサンプル収集機器１２１０に取り付けられた組織貫通部材を更に含む以外は、図１１Ｇに示されるものと同様の特徴を含む。限定はされないが、スプリング作動装置等の作動機構１２１４が、組織貫通部材を発射するために用いられ得る。図１１Ｒは、休止状態にある作動機構１２１４、及びそれが、組織貫通部材１２１２を目標の組織に向かって発射するために圧縮され得るスプリングであることを示す。この組織貫通部材１２１２は、筐体１２１６（点線で示される）中に収納され得る。一実施形態では、この筐体１２１６は、組織貫通部材１２１２が筐体から出ることを許容するためばかりでなく、その使用の前に組織貫通部材１２１２の無菌性も維持する、はぎとられ得る、貫通され得る、開放され得る、又はさもなければ開かれ得る一部分を含む。いくつかの実施形態では、前記部分は、箔、キャップ、ポリマー層等である。本明細書に記載される実施形態に対する変形又は代替物があることができ、及びどの単一の実施形態も完全な発明を包含するとは解釈されるべきでない。
【０１８９】
一実施形態では、前記組織貫通部材１２１２の経路は、「正常な」（すなわち、前記組織貫通部材の前方方向）、及び「直角な」（すなわち、主運動ベクトルに対して垂直）軌道の両方に沿って、制御され得る。いくつかの実施形態は、ハードな停止（ｈａｒｄ  ｓｔｏｐ）又は突然の停止（ｂａｎｇ  ｓｔｏｐ）を、自発痛の主な原因である、貫通の最も深い点（すなわち、帰還点）に持たなくてもよい。いくつかの実施形態は、突然の停止の衝撃波に伴う痛みを防止するために、クッション、カム経路、又は他のハードストップ以外の機構を用い得る。そのような衝撃波は、前記組織貫通部材が、損傷した部位の近くの神経を打つことを成功裏に回避してさえも、直接の接触が回避されても衝撃波はそのような神経を活性化し得るために有害である。随意的に、いくつかの実施形態は、荒い創傷チャネル（残存痛）を防止するために前記組織貫通部材が、興奮を与えない経路（ｎｏｎ−ｊｉｔｔｅｒ  ｐａｔｈ）に従わせることができる。いくつかの実施形態では、このことは、組織貫通部材とともに用いられる誘導経路、又は前記組織貫通部材に付随するピンにおけるより厳しい精度により達成され得る。これは、組織を貫通する場合に、興奮を与えない経路であり得る。随意的に、前記組織貫通部材が、組織の外側にあるとき、及びそれが組織の中にあるときの両方のための興奮を与えない経路であり得る。残存痛、長く続く傷、及び瘢痕化を引き起こし得る、前記組織貫通部材の「ふらつき」（ｗｏｂｂｌｅ）を低下させ得る。
【０１９０】
いくつかの実施形態は、遅い、及び遅延された創縫合及び後の出血を防止するために、制御された外向きの速度を有し得る。非制限的な例として、前記組織貫通部材の制御された外向きの速度は、限定はされないが、カム又はより高い摩擦物質等の機械的な機構により制御され得る。
【０１９１】
いくつかの実施形態は、最初の傷を形成した後に、前記組織内に反動により入る、制御されていない組織貫通部材に付随する、意図されない再貫通を防止するための、跳ね返り防止機構も含み得る。本明細書におけるいくつかの実施形態は、前記組織貫通部材が後退されるか、又は所望の距離だけ後退されたらすぐに、組織への再進入を防止するための、前記組織貫通部材又はその付属物に係合する、「駐車」機構又はロックアウト機構を有し得る。
【０１９２】
ランセットが、その最大の深さで皮膚中で停止すること、それが外向きの動作を開始する前、及び開始点に戻ることの突然さは、この設計に固有の問題点である。ランセットが最も深い貫通の点にあるとき、最大の量の力が皮膚に加えられる。この駆動機構は、ボールが床から跳ね帰るように、前記機器の端を、単に跳ね返らせる。前記ランセットは、その内向きの動作の終点で突然停止して、衝撃波を皮膚内に送り、ランセットの近くの多くの痛みの受容体が、直接に打たれなくてさえも、興奮することを引き起こす。これは自発痛を大幅に増幅する。
【０１９３】
言及されたように、単純なスプリングにより作動する組織貫通部材の代わりに、いくつかの実施形態は、機械的カム作動を用い得る。カム−作動設計を持つ機器は、前記組織貫通部材の「ハードストップ」を最小化できる。カム機構は、通常はスプリングにより駆動され、及び一般的に、よりよく導かれた作動を提供する。前記組織貫通部材の軌道は、カムの上に載ったピンを介する、前記組織貫通部材ホルダーの導かれた経路により、厳密に制御される。カム機構は、前記組織貫通部材の外向きの軌道のための穏やかな戻り、及び明確な速度制御を持つ、所定の速度プロファイルを可能にする。この機構が、動作の終点に達した時に、この機構は、前記ランセットの皮膚中への跳ね返りを効果的に回避することもできる。加えて、ランセットの両方向への経路の機械的振動（又は変動／ふらつき）は、空中に発射された場合には低下される。明細書におけるいくつかの実施形態も、その「強制運動プロファイル」により、そのような駆動機構のふらつきを、前記組織に伝達することを防止するために、前記駆動機構のいかなる機械的ふらつき（例えば、不均一又は粗いカムのスロットに起因する）も最小化できる。
【０１９４】
随意的に、いくつかの実施形態は、電子的に制御された駆動機構による、電子的な作動を用い得る。この技術は、非常に正確な位置センサーと連結された、小型化された電子的なモーター（例えば、音声コイル、ソレノイド）を用い、正確に制御された動作及び速度により、前記組織貫通部材を皮膚内又は皮膚外に移動させる。迅速な侵入に続き、刺激なしに、及び比較的ゆっくりと、滑らかに戻るために、前記機器は、厳密な所定の深さまで、前記組織貫通部材を減速させる。このことは、早い創縫合、及び長期の傷を回避することを可能にする。この機器により、前記組織貫通部材が前進している間、ランセットを皮膚に貫通させるために必要な力は制御される。前記組織貫通部材の作動「プロファイル」を厳密に制御することの利点は、検査のための十分な及び一貫した血液サンプルを産生する、再現性のある無痛の穿刺である。
【０１９５】
血液サンプルを抜き取るための、穿刺の部位の生成に関しては、利き腕ではない手の患者の指（薬指又は中指）の１つの上の適切な穿刺部位を選ぶことが望ましい。前記穿刺部位は、指先の側面上であり得る。１つの制限しない実施例では、手を温める細片を、患者の選択された指に対して１５秒間当てることが望ましい。随意的に、患者の指を１０〜６０秒間温めることができる。より長く温めてもよい。加温は、血液の標的部位への流れを増加させる。標的部位を準備するためには、選択された穿刺部位を拭くことを確実にするために、選ばれた指の先の側面又は被験者の体表を、アルコール拭き取り若しくは同様の清浄化剤により拭くことが望ましい。いくつかの実施形態では、皮膚が完全に乾燥するまで待つ。典型的には、乾燥を加速するために、指先をガーゼ又は空気の吹付で乾燥させないこと。
【０１９６】
穿刺孔が形成された後に、血液が流れることを許容するために、患者の腰より下に、手を下向きに保持する。血液の滴が形成されるまで、指先の基部から指を軽くマッサージする。指の上の血液の滴に前記機器のチップをふれることにより血液収集機器を注意深く満たす。前記機器が完全に満たされたことを確認する。血液収集機器が満たされたらすぐに、指の出血している部位を、テーブルの上のガーゼのパッドに押し付ける。前記血液サンプルを前記収集容器中に移動する。バンドエイドを指の上に置く。前記サンプルを持つ容器を、冷蔵庫の中の発送用の箱の中に入れる。全ての供給品を、生物学的有害物質の医学用針の容器に捨てる。全ての供給品は使い捨てである。
【０１９７】
前記第一の穿刺により、十分な血液が得られない場合は、前記血液収集機器をテーブルの表面に注意深く置き、前記機器が水平であることを確実にする。穿刺された指の上にバンドエイドを置く。患者の同じ手の異なる指の適切な穿刺部位を選択する。もし薬指が最初に穿刺されたら、新しい穿刺部位を中指の上で選ぶか、又はその逆も成り立つ。手を温める細片を、患者の選択された指に対して６０秒間当てる。随意的に、患者の指を３０〜９０秒間温めることができる。このことは、指への血流を増加させる。本明細書における任意のもの等の、サンプル収集機器を用いる血液収集のためのこれらの技法は、臨床検査室改善修正法案（Ｃｌｉｎｉｃａｌ  Ｌａｂｏｒａｔｏｒｙ  Ｉｍｐｒｏｖｅｍｅｎｔ  Ａｍｅｎｄｍｅｎｔ（ＣＬＩＡ））により認証された施設及び／又は標準において臨床検査において使用するための、毛細血管血液の十分なサンプル収集を可能にする。
【０１９８】
図１１Ｓを参照し、サンプル収集機器１２２０の更なる別の実施形態が記載される。この実施形態では、前記組織貫通部材１２２２は、前記サンプル収集機器１２２０に対して角度を持って取り付けられ得る。この角度を持った構成は、組織貫通部材がサンプル取得開口部１１０３及び１１０５と整列する場所において、創傷を生成することを可能にする。標準的なスプリングにより発進される作動装置１２２４が、前記組織貫通部材１２２２の駆動機構として示されているが、カム及び／又は電気的な駆動システムも、前記スプリング発進装置の代わりに又はそれと組み合わせて用いられ得ることも、理解されたい。前記駆動機構１２２４がスプリングの場合、前記スプリングは、前記組織貫通部材１２２２を発進位置に移動するために圧縮されることができ、及び次いで標的組織中に貫通するために放出される。図１１Ｓは、休止位置にある前記組織貫通部材１２２２を示す。この図は、前記駆動機構１２２４のためにスプリングを示しているが、被験者に治癒可能な創傷を作成するための、組織貫通部材を発射するための使用に適切な、他の駆動機構が除外されないことを理解されたい。本明細書に記載される実施形態に対する変形又は代替物があることができ、及びどの単一の実施形態も完全な発明を包含するとは解釈されるべきでない。
【０１９９】
筐体１２１６について記載されたものと同様の筐体１２２６が、前記組織貫通部材１２２２の周囲に形成され得る。図１１Ｓは、前記サンプル収集機器に取り付けられた、２個の組織貫通部材１２２２を示しているが、より多くの又はより少ない組織貫通部材を持つ機器が除外されないことを理解されたい。例えば、いくつかの実施形態は、前記サンプル収集機器１２２０に取り付けられた、ただ１つの組織貫通部材１２２２を有し得る。本明細書に記載される実施形態に対する変形又は代替物があることができ、及びどの単一の実施形態も完全な発明を包含するとは解釈されるべきでない。
【０２００】
図１１Ｔを参照し、サンプル収集機器１２３０の別の実施形態について記載する。この実施形態は、前記組織貫通部材１２３２が、前記サンプル収集機器１２３０内に収容され、及び図１１Ｔに見られるように、それが、実際に前記サンプル収集機器の中心軸と同軸的に整列される。この位置では、前記組織貫通部材１２３２は、開口部１１０３及び１１０５が、前記サンプル収集機器１２３０上に配置されているところに近い場所において前記サンプル収集機器１２３０から外側に伸長する。もちろん、より多いか、又はより少ない開口部を持つ機器は除外されず、及び図１１Ｔの実施形態は例示的な及び非限定的である。図１１Ｔは、前記サンプル収集機器の一実施形態では、発射ボタン１２３４が、前記サンプル収集機器１２３０に取り付けられ得ることを示す。随意的に、いくつかの実施形態は、作動ボタンとして機能する形作られた先端１２３６を有することができ、前記組織を先端１２３６に対して特定の深さ及び／又は特定の圧力で圧迫すると、前記組織貫通部材が作動される。
【０２０１】
発射されるとすぐに、前記組織貫通部材１２３２は矢印１２３３に示されるように移動する。いくつかの実施形態では、前記組織貫通部材１２３２は、作動前は、前記サンプル収集機器１２３０の内部に完全に収容される。いくつかの実施形態は、前記ユーザーに、前記組織貫通部材１２３２がどこで前記機器を出て、及び大体どこに創傷が形成されるかを案内することを助けるために、前記機器１２３０上に可視的測定器１２３５を有し得る。
【０２０２】
この非制限的な実施例では、機器１２３０全体が、前記機器１２３０が使用される前にのみ開かれることができる袋又は包装中に入っている。このようにして、前記組織貫通部材及び前記収集機器に、使用前の無菌状態が維持される。この外部の無菌の袋又は包装は、本明細書の他の実施形態のいかなるものにも適用される。図１１Ｔは、一体的に形成されることができるか、又は別個に、前記サンプル収集機器１２３０に取り付けられ得る形作られた先端１２３６（点線で示される）も示す。この形作られた先端１２３６は、サンプル流体を前記サンプル収集機器１２３０内に引き抜く吸引を提供し得る。随意的に、前記組織貫通部材１２３２により形成される創傷からのサンプル流体の産生を増加させるために、圧力を加えるために、前記形作られた先端１２３６標的組織を引き伸ばし、及び／又は形作られた先端中入るように強制するために用いられ得る。本明細書におけるいかなる実施形態も、形作られた先端１２３６を有するために適合され得ることを理解されたい。随意的に、前記形作られた先端は、サンプル流体を前記先端上の１つ以上の収集領域に向かわせるための、選択された疎水性領域を有し得る。随意的に、前記形作られた先端は、サンプル流体を前記先端上の１つ以上の収集領域に向かわせるための、選択された親水性領域を有し得る。
【０２０３】
図１１Ｕを参照し、サンプル収集機器の更に別の実施形態について記載する。この実施形態は、ランセット等の単一の組織貫通部材の代わりに、図１１Ｔの実施形態は複数の組織貫通部材１２４２を用いることを除いて、図１１Ｔのものと同様である。一実施形態では、これらの組織貫通部材は、従来のランセットと比べると、減少した直径のマイクロ針１２４２である。複数のマイクロ針１２４２は、機器１２４０のために同時に作動されることができ、及び組織上に多重の創傷部位を生成する。前記マイクロ針１２４２の間隔が、穿刺されるより多くの毛細管ループをもたらすことができ、及びより多くのチャネルが、血液が前記組織表面に達するために利用可能になる。これは、とがった先端を及び先細のプロファイルを有するランセットと比べ、より“正方形の”貫通プロファイルを可能にする。このことは、前記マイクロ針１２４２が、神経端末がより多く存在する、より深い組織層内に深く入りすぎることなく、より大きな面積上で、より多くの毛細管ループと係合することを可能にすることができる。
【０２０４】
図１１Ｖ及び１１Ｗを参照し、サンプル収集機器の更なる実施形態について記載する。これらの図に示される実施形態において、前記サンプル収集機器１１００は、創傷作成機器１２５０から前方に伸長するために構成された組織貫通部材１２５２を有する、専用の創傷作成機器１２５０に角度を持って取り付けられ得る。随意的に、形作られた先端１２３６（前記組織貫通部材１２５２を受け入れる開口部を持っても、又は持たなくてもよい）を有するために構成され得る、前記サンプル収集機器１１００は、創傷作成機器１２５０に着脱可能に取り付けられ得る。随意的に、前記サンプル収集機器１１００は、前記機器１２５０に、平らに取り付けられ得る。随意的に、機器１２５０上には、前記サンプル収集機器１１００を圧入により保持するための、形作られた切り欠きがあってよい。前記サンプル収集機器１１００を着脱可能に取り付ける他の技法が除外されないことを理解されたい。この前記収集機器及び創傷作成機器の切り離しは、より洗練された、再使用可能な、制御され、軽減された痛みでの創傷作成経験を生成させ得る創傷作成機器１２５０の使用を可能にする。
【０２０５】
図１１Ｗは、前記サンプル収集機器１１００が、前記サンプル収集に対する重力効果に関して、中立になるために水平以下になり得ることを示す。創傷作成機器１２５０への機器１１００の他の取り付けの構成は除外されない。
【０２０６】
図１１Ｘ〜１１Ｚを参照し、様々なサンプル収集機器の更なる実施形態が記載される。図１１Ｘは、形作られた先端１２３６が前記機器１２４０と共に用いられ得る、サンプル収集機器を示す。この形作られた先端１２３６は、以前に記載されたものと同様である。真空源１２７０が、体液サンプルを前記機器１２４０内に抜き取るために用いられ得る。この真空源１２７０は、前記機器１２４０の本体及び／又は前記形作られた先端１２３６に連結され得る。本開示に記載されるいかなる実施形態も、限定はされないが、真空源１２７０等の、サンプル取得の支援機器と共に使用するために適合され得ることを理解されたい。
【０２０７】
図１１Ｙは、サンプル収集機器の更に別の実施形態を示す。この実施形態サンプル流体を収集するためのチップ１２８０を有するピペットシステムを用いる。このチップは、同軸的に取り付けられた組織貫通部材１２８２を含み得る。随意的に、側面に取り付けられた、又は角度付けされた、標的部位において創傷を作成するための組織貫通部材１２８４が示される。前記チップ１２８０を持つピペットシステムは、被験者からサンプル流体を引くために真空を加える。随意的に、形作られた先端１２３６は、標的部位での皮膚の引き伸ばし又は組織再形成を支援するために、チップ１２８０と共に用いられ得る。
【０２０８】
図１１Ｚは、いくつかの実施形態が、血液サンプルを引き抜くための真空を生成するために、作動機構に連結されたダイアフラム１２９１を用い得ることを示す。この連結は、このダイアフラムが、前記組織貫通部材１２９２の、標的部位からの一往復の戻りにおいて、真空を生成することを可能にする。一実施形態では、前記組織貫通部材１２９２はマイクロ針である。矢印１２９４で示される、前記組織貫通部材の作動は、前記組織貫通部材１２９２を発信し、及び復路において、前記組織貫通部材１２９２の動作に連結されたダイアフラムの動作に起因して真空を生成する。前記機器１２９０により採集された流体を保持するために１つ以上の容器１２９６が連結され得る。いくつかの実施形態は１つの容器１２９６だけを有する。いくつかの実施形態は一組の容器１２９６を有し得る。いくつかの実施形態は、多重の組の容器１２９６を有し得る。いくつかの実施形態は、機器１２９０の外部上に取り付けられ得る。いくつかの実施形態は、機器１２９０の内側上に取り付けられ得る。本明細書に記載される実施形態に対する変形又は代替物があることができ、及びどの単一の実施形態も完全な発明を包含するとは解釈されるべきでない。
垂直な流出の制限
【０２０９】
図１１Ｅは、アダプター１１５０及び１１５２の周囲にスリーブ１１５６があることも、より明確に示す。図１１Ａ〜１１Ｆにのみ示されているが、通気口を持った、又は持たないスリーブが、本明細書で熟考される実施形態のいずれのものと共に使用するために、構成され得ることを理解されたい。図１１Ｅの実施形態に見られるように、前記チャネルは、針により画成される。これらのスリーブ１１５６は、前記容器１１４６ａ及び１１４６ｂが前記針と係合する前の、前記アダプター・チャネル１１５０及び１１５２からの、流体サンプルの時期尚早な流出を防止する。サンプル流体の低容積が必要なために、時期尚早な流出の防止は、前記チャネルから前記容器への流体の移動に伴う流体量の損失を低下させる。一実施形態では、前記スリーブ１１５６は、液密ではあるが、気密ではないスリーブを提供することにより流体損失を最小化し得る。もしスリーブが気密であると、それは、前記チャネルの毛細管作用が、適正に作用することを防止し得る。随意的に、いくつかの実施形態は、前記スリーブが、通気口から離れた場所に前記サンプルを収容できるように、前記針の先端から離れた基部の近くに通気口を配置し得る。
【０２１０】
図１１Ｆは、例示的な実施形態においては、前記スリーブ１１５６は、前記スリーブを貫通する開口部１１５８を有するために構成されることを示す。このことは、典型的には針の上に、緩く嵌合している従来のスリーブよりも、改善された実施形態を提供する。緩い嵌合のために、従来のスリーブにおいては、スリーブ空間が、チップの中、並びに針及び前記スリーブの間の側壁の空間にあり、その中には流体サンプルが累積し得る。この設計のスリーブは、流体を継続的に失い得るスリーブの無い針に比べて、損失を画成された量に制限することにより流体のより大きな損失を防止し得るが、前記チップ及び側壁に沿ったスリーブ領域中に累積する流体は、それでも失われ、及び前記容器１１４６ａ又は１１４６ｂにより採集されない。前記スリーブ１１５６は、前記スリーブの、前記チャネル１１２６及び１１２８との流体連通を提供する、前記機器に対しての係合を促進するための、限定はされないが、針、プローブ、管、チャネル、又は他のアダプター・チャネル１１５０等の、狭められた領域１１７６を含み得る。
【０２１１】
図１１Ｆの実施形態では、前記開口部１１５８は、サンプル充填部分１１２０における前記チャネルの毛細管作用からの流れに付随する流圧に十分に耐える計算に基づいて寸法づけされる。この力は、前記開口部１１５８が、そこにあって、空気を前記チャネルから通気することを可能にするばかりでなく、前記容器１１４６ａ及び１１４６ｂが、前記アダプター・チャネル１１５０及び１１５２に押し付けられて係合するまで、流体が前記スリーブから出ることを防止する。前記開口部１１５８により生成される通気効果のために、前記側壁及び前記スリーブの他の領域を、従来のスリーブにおけるよりも、前記針と、はるかに緊密に係合させることができる。針及び前記スリーブの間の空間を減少させ、従って、嵌合の緩やかさに起因して、はるかに大きな間隔の空間を有する通気口のないスリーブに比べて、失われる流体量を最小化できる。追加的に、前記開口部１１５８は、前記スリーブ及び針の先端の間がどのような間隔であっても、最小の流体損失になるように、流体が前記開口部に達するとすぐに、十分な抵抗を提供し、前記チャネル又は針からの流出も停止されるように、寸法づけされることができる。
【０２１２】
前記開口部のサイズ付けのための計算は図１２に示される通りである。望みは、前記スリーブの外側のサンプル流体の流出を阻止するための、通気口を画成する疎水性物質に付随する、十分な漏出の防止力が得られるように、力を平衡化することである。図１２では、前記スリーブ１１５６の側壁は、針と直接の接触にあることができ、又はいくつかの実施形態では、前記スリーブとの側壁に沿って間隔があってよい。一実施形態では、前記スリーブ１１５６は、限定はされないが、熱可塑性エラストマー（ＴＰＥ）、ブチルゴム、シリコーン、又は他の疎水性物質等の疎水性物質を含む。一実施形態では、前記スリーブの厚さも、前記開口部の側壁又はｉｎ前記スリーブ１１５６中の通気口１１５８の長さを決定する。
【０２１３】
前記開口部１１５８は、前記スリーブ１１５６に沿った１つ以上の場所に配置され得る。いくつかは図１２に示されるように有し得る。代替的に、いくつかの実施形態は、前記開口部１１５８を前記スリーブの側壁上に有し得る。他の場所は除外されない。随意的に、前記スリーブ１１５６は、前記スリーブを貫通する複数の開口部を有し得るが、流体が前記スリーブから出ないように、及び前記容器１１４６ａ又は１１４６ｂが係合され、及び前記チャネルと流体連通状態になるまで、前記チャネルからの追加的な流出を防止するために、前記開口部からの抵抗が十分であるように、構成される。
【０２１４】
前記機器１１００がどのようにサンプルを採集するために用いられるかということに関して、１つの技法では、前記サンプル収集機器１１００は、標的体液及びと係合するために保持され、望ましい充填レベルが達成されるまで適所に保持される。この時間の間、前記機器１１００は、重力を最小化するために水平に保持されることができ、前記機器１１００が、より垂直に保持された場合には重力に打ち勝つ必要がある。充填レベルに達した後、前記機器１１００は、目的の流体と脱係合されることができ、次いで前記容器中に流体を引き抜くために係合された容器１１４６ａ及び１１４６ｂとも脱係合され得る。随意的に、前記機器１１００は、前記充填が、前記チャネル内の流体、及びたぶん、標的部位に残存するいくらかの追加的なサンプル流体も引き抜くように、目標の流体と接触し、及び前記容器は前記チャネルと係合し流体連通のままであることができる。このことは、十分な体液が前記容器中に引き抜かれることを確実にする。
【０２１５】
前記容器１１４６ａ及び１１４６ｂを充填した後、それらは発送のために調製される。随意的に、それらは、発送の前に前処理に送られる。前記容器１１４６ａ及び１１４６ｂのいくつかの実施形態は、遠心分離等の前処理の後に、選択された密度に起因して、その物質が、同じ容器の中で、遠心分離されたサンプルの、別の部分から分離された一部分になるような、前記容器に密度のある物質を含む。
【０２１６】
前記容器１１４６ａ又は１１４６ｂは、その中に真空及び／又は陰圧を有し得る。前記チャネルが、容器と流体的連通にもたらされたときに、前記サンプルは前記容器中に吸い込まれることができる。随意的に、前記容器は、ニュージャージー州イースト・ラザフォード（Ｅａｓｔ  Ｒｕｔｈｅｒｆｏｒｄ）のＢｅｃｔｏｎ−Ｄｉｃｋｉｎｓｏｎ  Ｃｏｍｐａｎｙから“Ｖａｃｕｔａｉｎｅｒ”の商標で市販されているような範疇に入る、試験管様の機器の形状を取り得る。前記サンプルが前記容器に移動される間、前記機器は、前記基部１１４０が間隔１１５４を閉じた圧縮状態に留まり得る。前記サンプルは、前記容器全体又は容器の一部分を満たし得る。前記チャネルからの前記サンプルの全体（及び／又は前記サンプルの９０％、９５％、９７％、９８％、９９％、９９。５％又は９９。９％を超える量）が、前記容器に移動され得る。代替的に、前記チャネルからの前記サンプルの一部分だけが、前記容器に移動され得る。
【０２１７】
本明細書に記載される一実施形態では、前記サンプル収集機器１１００へのサンプル流体の２段階の充填は、ｉ）十分な量が、時期尚早な凝血を防止するために処理された収集チャネルの中にあることを確実にするための、前記サンプル流体の計量された収集、及び次いでｉｉ）前記サンプル流体の高いパーセンテージを前記容器中に移動する効率的な様式を、可能にする。サンプルの最小流体量を前記容器１１４６に計量するための、この前充填チャネルからの容器の低損失充填は、とりわけ小容積のサンプル流体の収集を取り扱う場合に複数の利点を提供する。前記チャネルの所望のレベルまでの前充填は、前記サンプル流体の所望の検査を遂行するために十分な容積が、前記容器中に存在することを確実にする。
【０２１８】
本明細書に記載される、前記サンプル充填部分１１２０、支持物１１３０、及び基部１１４０を含む機器全体が、その中の構成要素の可視化を可能にするために、完全に透明又は半透明である。随意的に、前記サンプル充填部分１１２０、支持物１１３０、及び基部１１４０の内の１つだけが完全に透明又は半透明である。随意的に、サンプル充填部分１１２０、支持物１１３０、又は基部１１４０の選択された部分だけが、透明又は半透明である。その結果、ユーザーは、サンプル流体充填、及びサンプル充填部分１１２０における、前記サンプル容器の前記チャネルへの係合の進行に基づいて、様々な手順をいつ遂行すべきかを、より正確に決定し得る。前記収集チャネル中の気泡は充填の間に視認でき、及びもし気泡が見られたら、ユーザーは、前記チャネル内に引き込まれる空気を最小化するために、前記サンプル収集機器１１００の位置を、標的サンプル流体と、よりよく係合できるために調整できる。このことは、充填が完了した時に、前記ユーザーが前記基部又は容器ホルダー１１４０等の片を、いつ分離、又は脱係合するかを知ることを可能にする。
【０２１９】
他の方法が、前記機器が、限定はされないが、下向きに垂直な様式等の、水平ではない角度で保持された場合に前記アダプター・チャネル１１５０及び１１５２からの、外向きのサンプル流れを防止するために使用され得ることを理解されたい。一実施形態では、フリット１１９４が、前記アダプター・チャネル１１５０及び１１５２として用いられ得る、中心孔のある針と共に用いられ得る。前記フリットは、サンプル収集機器本体の中か、又は前記収集容器上にあることができる。いくつかの実施形態では、前記フリットは、限定はされないが、ＰＴＦＥ等の物質を含む。随意的に、いくつかの実施形態は、前記アダプター・チャネル１１５０及び１１５２として機能する針の上に、テープ／接着剤を用い得る。一実施形態では、前記テープ／接着剤は、サンプルの時期尚早な放出を防止するするために、針の開口部を覆うために用いられ得る。随意的に、いくつかの実施形態は、前記サンプル容器に通じる前記アダプター・チャネル開口部からの制御された流出を防止するために、疎水性表面を有するアダプター・チャネル１１５０及び１１５２を有し得る。いくつかの実施形態では、前記アダプター・チャネル１１５０及び１１５２は、出口に近い内部表面上にのみ疎水性物質を持つ針である。随意的に、前記疎水性物質は、出口に近い針の外表面上にのみある。随意的に、前記疎水性物質は、針の内表面及び外表面上にある。随意的に、下向きの流れを防止する別の方法は、毛細管の断面積を変化することにより、表面積を増加させる。非制限的な実施例として、いくつかの実施形態は、毛細管の断面積を増加させるために、毛細管の内部に、歯又は指のような構造を導入し得る。随意的に、いくつかの実施形態は、毛細管の断面積を増加させるために、毛細管の内部に、流体の流れにの方に配向する、及び／又は流れと反対に配向するフィンを含み得る。本明細書に記載される実施形態に対する変形又は代替物があることができ、及びどの単一の実施形態も完全な発明を包含するとは解釈されるべきでない。
複数のチャネルに対する１つのサンプル収集器の位置
【０２２０】
図１３Ａ〜１３Ｂを参照し、本明細書に記載される更に別の実施形態を記載する。図１３Ａは、限定はされないが、２個のチャネル１３２４及び１３２６が、単一の収集場所１３２２から流体を抜き去るために合流する、収集ウエル等の単一の収集場所１３２２を持つサンプル充填部分１３２０の上から見下ろした図を示す。随意的に、いくつかの実施形態は、単一のチャネルのみが、前記収集場所１３２２から出され、及び次いで前記収集場所１３２２から出る単一の共通チャネルであった後に、チャネル１３２４及び１３２６に分岐する、Ｙ分岐チャネル構成を用い得る。前記チャネル１３２４及び１３２６との流体連通を提供する部材は、限定はされないが、針、プローブ、管、チャネル、中空の細長い部材、又は他の構造等が、前記サンプル充填部分１３２０の１つの端に連結され得る。
【０２２１】
図１３Ｂは、限定はされないが、流体連通部材等のアダプター・チャネル１３５２に、次に流体連結するチャネル１３２６と流体的連通にある収集場所１３２２が示される、側断面図である。いくつかの実施形態では、前記流体連通部材は、十分な剛性を有し、及び十分にチップを前記容器のセプタム、キャップ、又は他の構造に貫通させる。いくつかは、前記容器のセプタム、キャップ、又は他の構造に密封されない孔を残さないために、中空ではない構造の前記アダプター・チャネル１３５２、１１５０等を有し得る。
【０２２２】
図１３Ｂに見られるように、滴Ｄで示されるように、サンプル流体は、前記収集場所１３２２内に塗布されるか、又は落下される。随意的に、いくつかは、前記サンプル流体を塗布するために、前記収集場所１３２２に直接塗布するか、又は直接接触し得る。本明細書における実施形態では、単一の収集場所１３２２だけの使用が示されているが、共通のサンプル収集点に複数のチャネルが連結する他の実施形態が構想されることを理解されたい。非制限的な例として、収集機器の一実施形態は、そのそれぞれの収集場所から出る、それ自身のチャネルを、それぞれ持つ、２個の収集場所１３２２を有し得る。いくつかの実施形態は、図１３Ａ〜Ｂに示される、共通収集点チャネルを図１１Ａ〜１１Ｆに示されるような別個のチャネルと組み合わせることができる。共通収集場所の構造と、別個のチャネルを持つ他の構造との他の組み合わせは除外されない。
【０２２３】
図１３Ｂは、この実施形態が、前記収集場所１３２２から外向きに伸長するために構成された１つ以上の組織貫通部材１３２７を含み得ることも示す。一実施形態では、これは、前記ユーザーが、標的組織及び流体サンプル取得のための創傷作成場所を同時に前記収集場所１３２２の上に配置させることを可能にする。随意的に、引き鉄１３２３が前記組織貫通部材を発射するために配置され得る。随意的に、標的組織が接触及び／又は十分な圧力若しくは接触が所定の場所にあるときに前記機器の発射を可能にするために、この引き鉄は、前記機器の組織との接合部分の中に組み込まれる。これらの２個の場所の重なり合いは、サンプル収集の成功のために、ユーザーが従うべき単純化されたプロトコルを可能にする。前記組織貫通部材１３２７は、限定はされないが、スプリング作動、スプリング／カム作動、電子的作動、又は前記の単一若しくは複数の組み合わせ等の、１つ以上の作動技法によって作動され得る。改善されたサンプル取得のために、限定はされないが、真空源、組織拡張機器、組織拡大前金具等の他の支援方法が、単独、又は前述の任意のものとの組み合わせで用いられ得ることを理解されたい。
【０２２４】
図１３Ｃを参照し、サンプル収集機器の更なる実施形態を記載する。この実施形態は、サンプル収集機器１４０２をその中に統合したカートリッジ１４００を示す。そこには、収集場所１３２２、並びに限定はされないが、ピペットチップによる取扱い（示されていない）等の、場所１３２２で収集されたサンプルが、次いでアクセスされ得る、１つ以上のサンプル開口部１３２５及び１３２９がある。滴Ｄからの前記サンプルは、経路１３２６に沿って、矢印に示されるように、前記開口部１３２５及び１３２９に向かって移動し、それぞれの開口部１３２５及び１３２９に向かう、前記開口部中のサンプル、及び経路１３２４及び／又は１３２６のうちのいくらかが、ピペットＰ中に引き抜かれる。ピペットＰのそばの矢印により示されるように、このピペットＰは、サンプル流体を所望の場所に輸送することを可能にするために、少なくとも１つの軸内を移動することができる。この実施形態では、前記カートリッジ１４００は、試薬、洗浄液、混合領域、インキュベーション領域等のための、複数の保持容器１４１０を有し得る。随意的に、前記カートリッジ１４００いくつかの実施形態は、保持容器をまったく含まないか、又は随意的に、ただ１個又は２個のタイプの保持容器を有する。随意的に、いくつかの実施形態では、前記保持容器はピペットチップであってよい。随意的に、いくつかの実施形態では、前記保持容器は、チップ表面上に試薬を収容するために処理されたピペットチップであり得る（典型的には前記チップ内表面であるが、他の表面は除外されない）。随意的に、前記カートリッジ１４００のいくつかの実施形態は、ｉｎｃｌｕｄｅｏｎｌｙ前記組織貫通部材を持たない前記サンプル収集機器１４０２のみを含み、又はその逆も成り立つ。
【０２２５】
図１３Ｄを参照し、図１３Ｃの実施形態の側断面図が示される。随意的に、場所１３２２において、収集されるべき前記サンプル流体のために創傷を作成する使用のために組織貫通部材１３２７が含まれ得る。
【０２２６】
図１４は、前記サンプル収集機器１３００を形成するために、前記サンプル充填部分１３２０が支持物１３３０及び１３４０と結合され得ることを示す。サンプル流体が望ましい充填レベルに達したかを見るための可視化窓１３１２があってよい。スプリング１３５６又は伸縮素材等の力を発揮する構成要素が含まれ得る。前記チャネル・ホルダーは、前記チャネルを前記支持物に固定したままに保ち得る。一実施形態では、前記ホルダーは、前記チャネルが前記支持物に対して滑動することを防止し得る。それは、前記チャネルに連結するために、圧入、機械的締め具、接着剤、又は他の取り付け技法を用い得る。前記ホルダーは、随意的に、スプリング等の力を発揮する構成要素をその上で休止し得る支持物を提供し得る。
【０２２７】
一実施例では、その自然な状態にあるときに、前記基部１３４０が伸長状態にあることができるように、前記係合組立品は、力を発揮し得るスプリング１３５６を含み得る。前記基部が伸長された状態にあるときに、前記容器１３４６ａ、１３４６ｂ及び前記係合組立品の間に空間が提供され得る。ある場合には、前記基部１３４０が伸長された状態にあるときに、前記チャネルの第二の端は、前記容器のキャップに接触しても、又はしなくてもよい。前記流体連通部材１３５２の第二の端３２５ａ、３２５ｂは、前記容器の内部と流体連通にない場合には、適正な位置にあり得る。
【０２２８】
前記部材１３５２が前記キャップを貫通して前記容器に入り、及び従ってサンプル流体を前記容器１３４６ａ及び１３４６ｂ内に抜き取る場合に、前記支持物１３３０及び前記基部１３４０を接合することは、前記チャネル１３２４及び１３２６に前記容器との流体連通１３４６ａ及び１３４６ｂをもたらす。
【０２２９】
前記容器１３４６ａ又は１３４６ｂは、その中に真空及び／又は陰圧を有し得る。前記チャネルが、容器と流体的連通にもたらされたときに、前記サンプルは前記容器中に吸い込まれることができる。前記サンプルが前記容器に移動される間、容器が前記チャネル１３２６及び１３２８と流体連通にあることができるように、前記機器は位置決めされた前記基部１３４０と圧縮状態に留まることができる。前記サンプルは、前記容器全体又は容器の一部分を満たし得る。前記チャネルからの前記サンプルの全体（及び／又は前記サンプルの９０％、９５％、９７％、９８％、９９％、９９。５％又は９９。９％を超える量）が、前記容器に移動され得る。代替的に、前記チャネルからの前記サンプルの一部分だけが、前記容器に移動され得る。
【０２３０】
図１５に見られるように、本明細書に記載される一実施形態では、前記サンプル収集機器１３００へのサンプル流体の２段階の充填は、ｉ）十分な量が、時期尚早な凝血を防止するために処理された収集チャネルの中にあることを確実にするための、前記サンプル流体の計量された収集、及び次いでｉｉ）前記サンプル流体の高いパーセンテージを前記容器中に移動する効率的な様式を可能にする。サンプルの最小流体量を前記容器１３４６に計量するための、この前充填チャネルからの容器の低損失充填は、とりわけ小容積のサンプル流体の収集を取り扱う場合に複数の利点を提供する。前記チャネルの所望のレベルまでの前充填は、前記サンプル流体の所望の検査を遂行するために十分な容積が、前記容器中に存在することを確実にする。
【０２３１】
図１６及び１７を参照し、更なる実施形態について記載する。図１６は、前記収集場所１３２２の周囲に二次収集領域１３２４を持つ血液収集機器１３００を示す。前記二次収集領域１３２４は、オーバーフローした、こぼれた、又は誤って向けられた流体サンプルがあれば、それを前記収集場所１３２２に向けるために、用いられ得る。
【０２３２】
図１７は、前記容器１３４６ａ及び１３４６ｂが、それぞれ前記容器１３４６ａ及び１３４６ｂに付随する識別子を有し得ることを更に示す。図１７は、１つの非制限的な例では、前記識別子１６００及び１６０２バーコード（例えば、１−Ｄ、２−Ｄ、又は３−Ｄ）、クイックレスポンス（ｑｕｉｃｋ  ｒｅｓｐｏｎｓｅ：ＱＲ）コード、画像、形状、言語、数、英数字文字列、色、又はそれらの任意の組み合わせ、又は任意のタイプの可視的識別子の少なくとも１つであり得る。他のものは、可視的スペクトルではない識別子を用い得る。との物は、ＲＦＩＤタグ、ＲＦ識別子、ＩＲ放出タグ、又は前記可視的スペクトルを介して送られた信号による識別に依存しない他のマーカーを用い得る。
【０２３３】
識別子１６００及び１６０２は、サンプル収集機器中の、サンプル及び／又はサンプルのタイプを識別するために用いられ得る。容器当たり１つ以上の識別子があってよい。いくつかは、前記容器ホルダー上の識別子も用い得る。識別子は、前記サンプル収集機器、前記機器内の１つ以上の個々の容器、又は前記機器の構成要素を識別し得る。ある場合には、前記サンプル収集機器、前記サンプル収集機器の一部分、及び／又は前記容器が輸送され得る。一実施例では、前記サンプル収集機器、前記サンプル収集機器の一部分は、配送サービス、又は本明細書の他の部分に記載される任意の他のサービスを介して輸送され得る。前記サンプルは、前記サンプルについて１つ以上の検査を遂行するために送達され得る。
【０２３４】
前記サンプルの識別及び／又は前記サンプルを提供した個人の識別は追跡されることができる。前記個人の付随する情報（例えば、名前、連絡先情報、社会保障番号、誕生日、保険情報、請求先情報、病歴）、及び前記サンプルを誰が提供したかの他の情報が含まれ得る。ある場合には、前記サンプルのタイプ（例えば、全血、血漿、尿、等）が追跡され得る。前記サンプルが遭遇すべき試薬のタイプ（例えば、抗凝血剤、標識、等）が追跡され得る。前記サンプル収集についての追加的な情報、収集の日付及び／又は時間、サンプルが採集されたときの状況、前記サンプルについて行われるべき検査のタイプ、保険情報、医学的記録情報、又は任意の他のタイプの情報が考慮され得る。
【０２３５】
識別子は、そのような情報を追跡することを助ける。前記識別子は、そのような情報と関連付けられる。そのような情報は、前記サンプル収集機器のオフボードで、前記サンプル収集機器のオンボードで、又はそれらの任意の組み合わせで保存され得る。ある場合には、前記情報はサーバ、コンピュータ、データベース、又は記憶装置を持つ任意の他の機器等の、１つ以上の外部機器上に保存され得る。ある場合には、前記情報は、クラウドコンピューティング・インフラストラクチャー上に保存され得る。前記情報を保存する１つ以上のリソースが、前記クラウド上で分配され得る。ある場合には、ピアツーピアインフラストラクチャーがが提供され得る。前記情報は、前記識別子それ自身に保存される得るか、又は別の場所で、前記識別子と関連付けられるか、若しくはそれらの任意の組み合わせであり得る。
【０２３６】
識別子は一意的な識別、又は一意的な識別を提供する高い可能性を提供し得る。ある場合には、前記識別子は可視的な構成要素を含み得る。前記識別子は光学的に検出可能である。ある場合には、前記識別子は、可視光を用いて識別可能であり得る。前記識別子１６００及び１６０２バーコード（例えば、１−Ｄ、２−Ｄ、又は３−Ｄ）、クイックレスポンス（ｑｕｉｃｋ  ｒｅｓｐｏｎｓｅ：ＱＲ）コード、画像、形状、言語、数、英数字文字列、色、又はそれらの任意の組み合わせ、又は任意のタイプの可視的識別子の少なくとも１つであり得る。
【０２３７】
他の実施形態では、前記識別子は、任意の他の種類の放射により光学的に検出可能であり得る。例えば、前記識別子は、赤外線、紫外線、又は任意の電磁スペクトル他のタイプの波長を介して検出可能である。前記識別子は、蛍光、化学発光、生物発光、又は任意の他のタイプの光学的発光等の発光を利用し得る。ある場合には、前記識別子は、無線送信機及び／又は受信機であり得る。前記識別子は、無線周波数識別（ＲＦＩＤ）タグであり得る。前記識別子は、任意のタイプの無線送信機及び／又は受信機であってよい。前記識別子は、１つ以上の電気的信号を送信し得る。ある場合には、ＧＰＳ又は他の場所に関する信号が、前記識別子により利用され得る。
【０２３８】
識別子は、音声構成要素、又は音響構成要素を含み得る。前記識別子は、識別された構成要素を一意的に識別するために、識別され得る音を発生し得る。
【０２３９】
前記識別子は、光学的検出機器を介して検出され得る。例えば、バーコードのスキャナーは、前記識別子を読み取る能力を有し得る。別の例では、カメラ（例えば、静止又はビデオ画像）又は他の画像捕捉機器が、前記識別子の画像を捕捉し、及び前記識別を決定するためにその画像を分析する能力を有し得る。
【０２４０】
図１６及び１７は、本明細書に記載される実施形態によるサンプル収集機器１３００とともに使用するために提供される識別子の例を示す。一実施例では、サンプル収集機器は、１つ以上の容器１３４６ａ、１３４６ｂを支持し及び／又は含む基部１３４０を有し得る。サンプルが前記サンプル収集機器に提供され得る。前記サンプルは、注入口１３２２を経由して前記サンプル収集機器に提供され得る。前記サンプルは、前記機器内の１つ以上の容器１３４６ａ、１３４６ｂまで移動し得る。
【０２４１】
前記サンプル収集機器上に、１つ以上の識別子１６００、１６０２が提供され得る。いくつかの実施形態では、識別子は、前記サンプル収集機器の基部１３４０に位置付けられる。前記識別子は、前記基部の底表面、前記基部の側面、又は前記基部の任意の他の部分に位置付けられることができる。一実施例では、前記基部は平坦な底表面を有し得る。前記識別子は前記基部の平坦な底表面にあり得る。前記基部中に、１つ以上の刻み目が提供され得る。前記識別子は前記刻み目の内部に配置され得る。前記刻み目は、前記基部の底部又は側面にあり得る。いくつかの実施形態では、前記基部は、１つ以上の突起部を含み得る。前記識別子は前記突起部上にあり得る。ある場合には、前記識別子が、前記基部の外表面上に提供され得る。前記識別子は、代替的に前記基部の内部表面上に位置付けられ得る。前記識別子は、前記サンプル収集機器の外部から検出され得る。
【０２４２】
いくつかの実施形態では、前記容器１３４６ａ、１３４６上に前記識別子が提供され得る。前記識別子は、前記容器の外部表面上又は前記容器内部表面上にあり得る。前記識別子は、前記容器の外側から検出し得る。いくつかの実施形態では、前記容器の底表面上に前記識別子が提供され得る。
【０２４３】
一実施例では、前記基部は、光学的に透過性の部分を含み得る。前記光学的に透過性の部分は、前記基部の底部又は側面にあり得る。例えば、透明な又は半透明な窓が提供され得る。別の例では、前記光学的に透過性の部分は、窓を必要としない孔である。前記光学的に透過性の部分は前記基部の内側の一部分が、可視化されることを可能にする。前記識別子は、前記基部の外部表面の光学的に透過性の部分、前記基部の内部表面に提供され得るが、前記光学的に透過性の部分を通じて可視化されることができ、又は前記容器の外部表面若しくは内部表面に提供され得るが、前記光学的に透過性の部分を通じて可視化されることができる。ある場合には、前記識別子は、前記容器内部表面に提供され得るが、前記識別子が前記容器及び／又は光学的に透過性の部分を通して見られることができるように、前記容器は、光学的に透過性であり得る。
【０２４４】
前記識別子は、前記サンプル収集機器の外側から光学的に可視化され得るＱＲコード（登録商標）又は他の光学的識別子であってよい。ＱＲコード（登録商標）は、光学的窓又は前記サンプル収集機器の基部の底部の孔を通じて可視化され得る。前記ＱＲコード（登録商標）は、前記サンプル収集機器の基部又は前記基部を通して見ることのできる前記容器の一部分に提供され得る。カメラ又はスキャナー等の画像捕捉機器が、前記サンプル収集機器の外部的に提供されることができ、及び前記ＱＲコード（登録商標）を読み取る能力を有し得る。
【０２４５】
単一の若しくは複数のＱＲコード（登録商標）、又は他の識別子がサンプル収集機器上に提供され得る。ある場合には、それぞれの容器は、ＱＲコード（登録商標）等の少なくとも１つの、それに付随する識別子を有し得る。一実施例では、容器当たりに少なくとも１つの窓が、基部の中に提供されることができ、及びそれぞれの窓は、ユーザーがＱＲコード（登録商標）又は他の識別子を見ることを可能にする。例えば、２個の容器１３４６ａ、１３４６ｂが、基部１３４０内に収納されることができ、そのそれぞれが、前記サンプル収集機器の外側から識別可能な付随する識別子１６００、１６０２を有する。
【０２４６】
前記基部１３４０は、前記支持物１３３０又は前記サンプル収集機器の他の部分から分離され得る。前記識別子は、前記基部に沿った前記サンプル収集機器の残りの部分から分離され得る。
【０２４７】
いくつかの実施形態では、前記識別子が前記基部に収容された容器に提供され得る。前記基部を前記サンプル収集機器の残りの部分から分離することは、前記容器が前記サンプル収集機器の残りの部分から分離されることを引き起こし得る。前記容器は、前記基部内に残ることができるか、又は前記基部から取り除かれることができる。前記基部から前記容器が取り外されても、前記識別子は前記容器と共に残ることができる。代替的に、前記容器が取り外されると、前記識別子は前記基部内に残ることができる。ある場合には、前記容器及び基部が別個に追跡され、及び／又は分離されてきても適合されることができるように、前記基部及び容器の両方が、識別子を有し得る。
【０２４８】
ある場合には、前記サンプル収集機器の中に、任意の数の容器が提供され得る。前記サンプル容器は、被験者からのサンプルを受け入れる能力があり得る。それぞれのサンプル容器は、一意的な識別子を有し得る。前記一意的な識別子は、前記サンプル、被験者、機器、又は前記機器の構成要素に関する任意の情報と関係づけられることができる。
【０２４９】
ある場合には、各容器のための各識別子が一意的であり得る。他の実施形態では、前記前記容器上の識別子は一意的である必要はないが、前記機器、前記被験者、又は前記サンプルのタイプに関して一意的であり得る。
【０２５０】
サンプル収集機器は、被験者からのサンプルを受け取り得る。前記被験者は直接前記サンプル収集機器に接触し得るか、又はサンプルを前記機器に提供し得る。前記サンプルは、前記機器を通じて前記機器内の１つ以上の容器まで移動し得る。ある場合には、前記サンプルは前記容器に達する前に処理され得る。前記サンプルを前記容器に運ぶことができるサンプル収集ユニット及び／又はチャネル内に、１つ以上のコーティング又は物質が提供され得る。代替的に、前記サンプルは前記容器に達する前に処理は提供されない。いくつかの実施形態では、前記サンプルは、前記容器内で処理されても、又はされなくてもよい。ある場合には、前記サンプルが前記容器に到達する前、又は到達する時に前記サンプルに複数の異なるタイプの処理が提供され得る。前記処理は、あらかじめ選択された順番で提供され得る。例えば、第一に望まれる、第一の処理が第二の処理の上流で、提供され得る。ある場合には、前記サンプルは、どの点においても処理されない。
【０２５１】
いくつかの実施形態では、前記は血液サンプルであってよい。第一の容器は全血を受け取ることができ、及び第二の容器は血液血漿を受け取ることができる。前記流体経路に沿って、及び／又は前記容器中に抗凝血剤が提供され得る
【０２５２】
いったん前記サンプルが前記容器に提供され、及び前記容器が密封されると、前記容器は、サンプル分析のために、別の場所に送られることができる。前記別の場所は臨床検査室であることができる。前記別個の場所前記サンプル収集サイトに対して遠隔の施設であり得る。サンプル収集機器全体が、前記別個の場所に送られることができる。前記サンプル収集機器上に１つ以上の識別子が提供されることができ、及びそれは前記サンプル収集機器及び／又はその中の容器を識別するために有用であり得る。代替的に、前記基部１３４０が前記サンプル収集機器から取り除かれ、及びその中の前記容器と共に前記別個の場所に送られることができる。１つ以上の識別子が前記基部上に提供されることができ、及びそれは前記基部及び／又はその中の容器を識別するために有用であり得る。ある場合には、容器が、前記基部から取り除かれることができ、及び前記別個の場所に送られることができる。１つ以上の識別子が各容器の上に提供されることができ、及びそれは前記容器の識別に対して有用であり得る。
【０２５３】
前記識別子は、任意の適切な技法により読み取られ得る。限定しない例として、ある場合には、前記識別子は画像捕捉機器又はバーコードスキャナー等の光学的検出器を用いて読み取られ得る。一実施例では、画像捕捉機器は、ＱＲコード（登録商標）の画像を捕捉し得る。前記容器に関係する情報は追跡され得る。例えば、いつ容器がある場所に到着した時に、前記識別子がスキャンされることができ、及び前記容器の到着の記録が保持され得る。前記進行及び／又は前記容器の位置は、能動的及び／又は受動的に更新され得る。ある場合には、前記識別子は、前記容器の位置を決定するために、意図的にスキャンされる必要があり得る。他の例では、前記識別子は、信号読み取り機により拾い上げられ得る信号を、能動的に発する。例えば、識別子が建物を通じて移動するにつれ、信号読み取り機は、前記識別子に位置を追跡できる。
【０２５４】
ある場合には、前記識別子を読み取ることは、ユーザーが、前記識別子に付随する追加的な情報にアクセスすることを可能にする。例えば、前記ユーザーは、前記識別子の画像を機器を用いて捕捉し得る。前記機器又は別の機器は、前記サンプル、被験者、機器、前記機器の構成要素、又は本明細書の他の部分に記載される任意の他の情報についての情報を表示し得る。行われるべき検査及び／又は検査結果についての情報が含まれ得る。ユーザーは、前記識別子に付随する情報に基づいて、前記サンプルでの後続する検査又は活動を遂行し得る。例えば、前記ユーザーは、検査のために、前記容器を適切な場所に向かわせることができる。ある場合には、前記容器は、適切な場所に向かわせられることができ、及び／又は前記容器中の内容物に対して、人間の介入を必要とせずに、自動化された様式で行われる適切なサンプル処理（例えば、サンプル前処理、検定、検出、分析）を有することができる。
【０２５５】
サンプル処理に関する情報が、収集され、及び前記識別子と関係づけられる。例えば、もし容器が識別子を持ち、及び前記容器の内容物についてサンプル処理が遂行されると、前記サンプル処理に応答して生成される１つ以上の信号が保存されることができ、及び／又は前記識別子と関係づけられることができる。そのような更新は、人間の介入を必要とせずに、自動化された様式で行われ得る。代替的に、ユーザーは、情報の保存を開始することができるか、又は手動で情報を入力し得る。従って、被験者に関する医学的記録が、自動化された様式で集約されることができる。前記識別子は、前記被験者に関する情報の索引付け及び／又はそれらにアクセスするために有用であり得る。
流体容器
【０２５６】
図１８Ａ〜１８Ｂは、本明細書に記載される実施形態に従うサンプル収集機器とともに用いられ得る容器１８００の非限定的な一実施例を示す。ある場合には、前記容器は、前記サンプル収集機器により支持され得る。前記容器は、前記サンプル収集機器の一部分により包含又は囲まれることができる。一実施例では、前記サンプル収集機器は、前記容器が完全に閉じる、第一の構成を有し得る。前記サンプル収集機器が開放され、及び前記容器の少なくとも一部分が露出される、第二の構成が提供され得る。いくつかの実施例では、前記容器は前記サンプル収集機器の基部により、支持されることができ、及び／又は少なくとも部分的に包囲されることができる。前記基部は、前記サンプル収集機器の残りの部分から分離されることができ、それによりその中の前記容器へのアクセスを提供する。
【０２５７】
一実施形態では、容器１８００は、本体１８１０及びキャップ１８２０を含む。ある場合には、前記容器本体は、透明又は半透明な物質から形成され得る。前記容器本体は、前記容器本体内に提供されたサンプルが、前記容器の外側から見られた時に可視的であることを可能にする。前記容器本体は光学的に透過性であり得る。前記容器本体は、電磁放射が通過することを可能にする物質から形成され得る。ある場合には、前記容器本体は、選択された波長の電磁放射が通過することを許容する一方で、選択されなかった、他の電磁放射が通過することを許容しない物質で形成され得る。ある場合には、前記本体の一部分又は全体が、可視光の波長等の、電磁放射の選ばれた波長の間で、不透明である物質で形成され得る。
【０２５８】
容器本体１８１０上に、開口端及び閉鎖端が提供され得る。キャップと係合するために構成された端にあり得る、前記開口端前記容器１８００の最上端１８１２であることができる。前記閉鎖端は、前記キャップの反対側の前記容器の端にあることができる、前記容器の底端１８１４であり得る。代替的な実施形態では、底端は、床と共に閉鎖され得る、開口端でもあり得る。いくつかの実施形態では、断面積及び／又は上端の形状及び前記底端は、実質的に同じであり得る。代替的に、前記上端の断面積前記底端の断面積より大きいことができるか、又はその逆も成り立つ。本明細書に記載される実施形態に対する変形又は代替物があることができ、及びどの単一の実施形態も完全な発明を包含するとは解釈されるべきでない。
【０２５９】
容器本体は、内部表面及び外部表面を有し得る。前記容器本体の表面平滑な、粗い、肌理のある、切子面のある、光沢のある、くすんだものであり得るか、溝を含む、棟を含む、又は任意の他の特徴を含み得る。前記容器本体の表面は、所望の光学的性質を提供するために処理され得る。前記内部表面及び外部表面は、同じ性質を有し得るか、又は異なることができる。例えば、外部表面は平滑であることができる一方で、前記内部表面は粗くてよい。
【０２６０】
前記容器本体は、管状の形状を有し得る。ある場合には、前記容器本体は円筒状の部分を有し得る。代替的に、前記容器は、楕円形、三角形、四角形（例えば、正方形、長方形、台形、平行四辺形）、五角形、六角形、七角形、八角形、又は任意の他の形状を含み得る任意の他の断面の形状を有し得る。前記容器の断面の形状は、凸及び／又は凹形状を有しても、又は有さなくてもよい。前記容器の断面の形状は、前記容器の長さに沿って同じであることができ、又は変化することができる。前記容器は、前記本体の長さに沿ったプリズム状形状を有し得る。前記プリズムは、本明細書に記載されるもののような断面の形状を有し得る。
【０２６１】
前記容器の底１８１４は、平坦な、先細の、丸みを付けられた、又はそれらの任意の組み合わせであり得る。ある場合には、前記容器は半球状の底を有し得る。他の実施形態では、前記容器は平坦な部分を持つ丸みのある底を有し得る。前記容器は、それ自身で、平坦な表面上に立つことができても、又はできなくてもよい。
【０２６２】
前記容器１８００は、小量の流体サンプルを含むために寸法づけられることができる。いくつかの実施形態では、前記容器は、約５ｍｌ、４ｍｌ、３ｍｌ、２ｍｌ、１。５ｍＬ、１ｍＬ、９００μＬ、８００μＬ、７００μＬ、６００μＬ、５００μＬ、４００μＬ、３００μＬ、２５０μＬ、２００μＬ、１５０μＬ、１００μＬ、８０μＬ、５０μＬ、３０μＬ、２５μＬ、２０μＬ、１０μＬ、７μＬ、５μＬ、３μＬ、２μＬ、１μＬ、７５０ｎＬ、５００ｎＬ、２５０ｎＬ、２００ｎＬ、１５０ｎＬ、１００ｎＬ、５０ｎＬ、１０ｎＬ、５ｎＬ、１ｎＬ、５００ｐＬ、３００ｐＬ、１００ｐＬ、５０ｐＬ、１０ｐＬ、５ｐＬ、又は１ｐＬ程度を収容するために構成され得る。前記容器は、その上に図１６及び１７で議論されたような、識別子を有し得る。１つの非制限的な実施例では、移動中に前記サンプル流体を液体状態で保持するために、前記容器１８００は、サンプル流体の小さな容積を、毛細管作用により吸収する物質等を用いることなく保持できる。このことは、前記サンプル流体が、前記容器から、液体状態で実質的に前記毛細管作用により吸収する物質により液体が吸収されることによる損失を伴わずに、取り除かれることを可能にする。
【０２６３】
前記容器１８００は、わずか数滴の血液、一滴の血液、又は一滴未満の血液を収容するために構成され得る。例えば、前記容器は、それが収容するために構成された流体サンプル量よりも少ない内部容積を有し得る。小容器の容器を有することは、小さな容積中で多数の容器を保存及び／又は輸送することを有利に許容し得る。このことは、前記容器を保存及び／又は輸送するためのリソースを低減し得る。例えば、より少ない保存スペースが必要になる。追加的に、前記容器の輸送のためにより少ない費用及び／又は燃料が用いられ得る。同じ仕事量で、より多数の容器が輸送され得る。
【０２６４】
いくつかの実施形態では、前記容器１８００は短い長さを有し得る。例えば、前記容器の長さは、８ｃｍ、７ｃｍ、６ｃｍ、５ｃｍ、４ｃｍ、３．５ｃｍ、３ｃｍ、２．５ｃｍ、２ｃｍ、１．７ｃｍ、１．５ｃｍ、１．３ｃｍ、１．１ｃｍ、１ｃｍ、０．９ｃｍ、０．８ｃｍ、０．７ｃｍ、０．６ｃｍ、０．５ｃｍ、０．４ｃｍ、０．３ｃｍ、０．２ｃｍ、０．１ｃｍ、７００μｍ、５００ｍ、３００μｍ、１００μｍ、７０μｍ、５０μｍ、３０μｍ、１０μｍ、７μｍ、５μｍ、３０μｍ、又は１μｍ程度であり得る。ある場合には、前記容器の最大の寸法は（例えば、長さ、幅、又は直径）は、８ｃｍ、７ｃｍ、６ｃｍ、５ｃｍ、４ｃｍ、３．５ｃｍ、３ｃｍ、２．５ｃｍ、２ｃｍ、１．７ｃｍ、１．５ｃｍ、１．３ｃｍ、１．１ｃｍ、１ｃｍ、０．９ｃｍ、０．８ｃｍ、０．７ｃｍ、０．６ｃｍ、０．５ｃｍ、０．４ｃｍ、０．３ｃｍ、０．２ｃｍ、０．１ｃｍ、７００μｍ、５００ｍ、３００μｍ、１００μｍ、７０μｍ、５０μｍ、３０μｍ、１０μｍ、７μｍ、５μｍ、３０μｍ、又は１μｍ程度であり得る。
【０２６５】
前記容器１８００は、断面積を有し得る．前記断面積は、約８ｃｍ２、７ｃｍ２、６ｃｍ２、５ｃｍ２、４ｃｍ２、３．５ｃｍ２、３ｃｍ２、２．５ｃｍ２、２ｃｍ２、１．５ｃｍ２、１ｃｍ２、０．９ｃｍ２、０．８ｃｍ２、０．７ｃｍ２、０．６ｃｍ２、０．５ｃｍ２、０．４ｃｍ２、０．３ｃｍ２、０．２ｃｍ２、０．１ｃｍ２、０．０７ｃｍ２、０．０５ｃｍ２、０．０３ｃｍ２、０．０２ｃｍ２、０．０１ｃｍ２、０．５ｃｍ２、０．３ｃｍ２、又は０．１ｃｍ２程度であり得る。前記断面積は、前記容器の長さに沿って、同一であり得るか、又は変化し得る。
【０２６６】
前記容器１８００は、任意の厚さを有し得る。前記厚さは、前記容器の長さに沿って、同一であり得るか、又は変化し得る。ある場合には、前記厚さは所望の光学的性質を提供するために、選択され得るか、及び／又は変化し得る。ある場合には、前記厚さは、５ｍｍ、３ｍｍ、２ｍｍ、１ｍｍ、７００μｍ、５００μｍ、３００μｍ、２００μｍ、１５０μｍ、１００μｍ、７０μｍ、５０μｍ、３０μｍ、１０μｍ、７μｍ、５μｍ、３μｍ、１μｍ、７００ｎｍ、５００ｎｍ、３００ｎｍ又は１００ｎｍ程度であり得る。
【０２６７】
前記容器１８００は、小容積の血液サンプルの遠心分離を可能にするために貢献する形状を有し得る。このことは、前記遠心分離機に用いられる別の容器に前記サンプル流体を更に移動する必要なしに、前記容器中の採集されたサンプルを遠心分離機に向かって搬送することを可能にする。
【０２６８】
前記容器はキャップ１８２０を含み得る。前記キャップは前記容器の開口端の上にかぶせて嵌合するために構成され得る。前記キャップは、前記容器の開口端を遮断し得る。前記キャップは、流体的に前記容器を密封し得る。前記キャップ前記容器本体と液密な密封を形成し得る。例えば、前記キャップは、気体及び／又は液体不浸透性であり得る。代替的に、前記キャップは、特定の気体及び／又は液体が通過することを許容し得る。ある場合には、前記キャップは、気体透過性である一方、液体不透過性である。前記キャップは前記サンプルに対して不透過性であり得る。例えば、前記キャップは、全血、血清又は血漿に対して不透過性であり得る。
【０２６９】
前記キャップは、任意の様式で前記容器本体と係合するために構成され得る。例えば、前記キャップは、前記容器本体に圧入され得る。摩擦嵌合前記キャップが前記本体中にとどまることを可能にする。他の例では、滑動機構、クランプ、締め具、又は他の技法等の係止機構が提供され得る。ある場合には、ねじ式の係合を可能にするために、前記キャップ及び／又は前記容器本体にねじ山を付けることができる。他の例では、接着剤、溶接、はんだ付け、又はロウ付けが、前記キャップを前記容器本体に接続するために利用され得る。前記キャップは、取り外し可能に前記容器本体に結合され得る。代替的に、前記キャップは前記容器本体に永久的に固定され得る。
【０２７０】
ある場合には、前記キャップの一部分が、前記容器本体の一部分に嵌入し得る。前記キャップは、前記容器本体とともに止め具を形成し得る。ある場合には、前記容器本体の一部分が、前記キャップの一部分に嵌入し得る。前記プラグは、前記容器本体の一部分の上に突き出ることができる、へり又は棚を含み得る。前記へり又は棚は、前記キャップが、前記容器本体に滑り込むことを防止し得る。ある場合には、キャップの一部分が、前記容器本体の頂部及び／又は側面の上に横たわることができる。。随意的に、いくつかの実施形態は、容器の組立品の中に、キャップ・ホルダー等の追加的な部分を含むことができる。一実施形態では、前記キャップ・ホルダーの目的は、前記キャップ及び容器の間で緊密な密封を維持するためである。一実施形態では、前記キャップ・ホルダーは、前記キャップを適正な位置に保持するために、前記容器の外側の上にある付属品、へり、刻み目、又は他の付属品の場所に係合する。随意的に、いくつかの実施形態は、キャップ及び前記キャップ・ホルダーの機能を１つの構成要素中に組み合わせ得る。
【０２７１】
いくつかの実施形態では、前記容器本体剛性物質で形成され得る。例えば、前記容器本体は、ポリプロピレン、ポリスチレン、又はアクリル等のポリマーで形成され得る。代替的な実施形態では、前記容器本体は、半剛性又は可撓性であり得る。前記容器本体は、単一の一体化された片から形成され得る。代替的に、複数の片が用いられ得る。前記複数の片は、同一の物質又は異なる物質から形成され得る。
【０２７２】
前記容器キャップは、エラストマー系物質、又は本明細書の他の部分に記載される任意の他の物質から形成され得る。ある場合には、前記キャップは、ゴム、ポリマー、又は可撓性及び／又は圧縮可能であり得る任意の他の物質から形成され得る。代替的に、前記キャップは、半剛性又は剛性であり得る。前記容器キャップは、摩擦物質から形成され得る。前記容器キャップは、前記容器本体と係合するときに、液密な密封が形成され得る。前記前記容器の内部本体は、外気から流体的に分離され得る。ある場合には、少なくとも１つの前記キャップ及び／又は前記キャップに接触する前記容器本体の一部分は高い摩擦及び／又は圧縮可能な物質により形成され得る。
【０２７３】
前記容器キャップは、単一の一体化された片から形成され得る。代替的に、複数の片が用いられ得る。前記複数の片は、同一の物質又は異なる物質から形成され得る。前記キャップの物質は、前記容器本体の物質と同一であるか、又は異なることができる。一実施例では、前記容器本体は、光学的に透過性の物質から形成され得る一方、前記キャップは不透明な物質から形成される。
【０２７４】
前記キャップ１８２０は、取り外し可能に前記本体に係合され得る。ｏｆ前記キャップの一部分は、前記本体内に挿入可能である。前記キャップは、前記本体の頂部の上で休止し得る、へりを含み得る。このへりは、前記本体中には挿入されない。この非制限的な実施例では、前記へりは、防止する前記キャップが、前記本体中に完全に挿入されることを防止し得る。前記へりは、前記キャップの周りに連続的なフランジを形成し得る。ある場合には、前記へりの一部分は、前記本体の一部分に重なり合うか、又はその上に横になることができる。前記本体の一部分は、前記キャップの一部分に挿入可能であり得る。
【０２７５】
前記本体に挿入可能な前記キャップの一部分は、丸みのある底を有し得る。代替的に、前記容器の底は、平坦な、先細の、湾曲した、曲線を付けられた、又は任意の形状を有し得る。前記容器は、開口端及び閉鎖端を含み得る。前記キャップは、前記本体に容易に挿入可能であるために形成され得る。
【０２７６】
ある場合には、前記キャップの頂部に陥没が提供され得る。前記陥没は、前記本体に挿入される前記キャップの部分に付随し得る。ある場合には、前記キャップ内に、中空又は陥没が提供され得る。前記陥没は、サンプルを前記容器に送達するために用いられ得るチャネルの一部分を受け入れる能力を有し得る。前記陥没は、前記チャネルを前記キャップの所望の部分に導くことを支援し得る。一実施例では、前記チャネルは、前記チャネル及び前記容器の内部に流体連通をもたらす前に、前記陥没内に位置決めされ得る。
【０２７７】
前記チャネル及びキャップは、前記チャネルが前記キャップを貫通し、及び前記前記容器の内部に入り、それにより前記チャネル及び前記容器の内部に流体連通をもたらすために、共に押し付けられることができる。ある場合には、前記キャップは、そこを前記チャネルが通過するための切込みを有し得る。代替的に、前記チャネルは、妨げの無いキャップ物質を突き通すことができる。前記チャネルは、前記容器から引き抜かれることができ、それにより前記チャネル及び容器を流体連通から外すことができる。前記キャップは、前記チャネルが取り除かれたときに、再密封する能力を有し得る。その例としては、前記キャップは、自己回復物質から形成され得る。ある場合には、前記キャップは、前記チャネルが取り除かれたときに、閉鎖する切込みを有することができ、それにより液密な密封を形成する。
【０２７８】
いくつかの実施形態では、前記本体は、１つ以上のフランジ又は他の表面特徴を有し得る。表面特徴の例は、フランジ、隆起、突起部、溝、尾根、ねじ山、孔、ファセット、又は任意の他の表面特徴を含み得る。前記フランジ及び／又は他の表面特徴は、前記本体を取り囲むことができる。前記フランジ及び／又は表面特徴は、前記本体の頂部の上に、又はその近くに配置され得る。前記フランジ及び／又は他の表面特徴は、前記本体の上から半分、上から三分の一、上から四分の一、上から五分の一、上から六分の一、上から八分の一、又は上から十分の一に配置され得る。前記表面特徴は、サンプル収集機器内部の前記容器の支持物にとって有用であり得る。前記表面特徴は、前記サンプル収集機器から前記容器を取り除くために、及び／又は前記容器を前記サンプル収集機器内に配置するために有用であり得る。前記フランジ及び／又は他の表面特徴は、前記キャップと係合しても、又はしなくてもよい。
【０２７９】
前記キャップは、前記容器本体に対して、任意の寸法を有し得る。ある場合には、前記キャップ及び／又は本体は同様の断面積を有し得る。前記キャップは、前記本体の頂部と同じ、又は実質的に同様の断面積及び／又は形状を有し得る。ある場合には、前記キャップは、前記本体よりも少ない長さを有し得る。例えば、前記キャップは、前記前記本体の長さの６０％、５０％、４０％、３０％、２５％、２０％、１５％、１０％、７％、５％、３％又は１％未満の長さを有し得る。
【０２８０】
図１８Ｃ〜１８Ｅを参照し、容器１８００の更なる実施形態は、前記キャップを適正な位置に保持するために、前記キャップの上に嵌合するキャップ・ホルダー１８３０を含み得る。非制限的な実施例として、前記キャップ・ホルダー１８３０は、前記キャップ・ホルダー１８３０中に、アダプター等の部材が、そこを通じて滑動し、及び前記キャップ１８２０を貫通することを可能にする開口部も含み得る。図１８Ｃは、拡大図における前記部分を示す。
【０２８１】
図１８Ｄは、前記容器本体１８１０が、キャップ・ホルダー１８３０により覆われたキャップ１８２０を有する、一実施形態を示す断面図を示す。図１８Ｄに見られるように、前記キャップ・ホルダー１８３０は、前記キャップ・ホルダー１８３０を、前記容器本体１８１０及び／又は前記キャップ１８２０に確実に固定するための係止特徴１８３２を有する。一実施形態では、前記係止特徴１８３２は、前記容器本体１８１０上の、１つ以上の尾根１８１２及び１８１４に係合する内部の尾根を含む。図１８Ｅは、前記容器本体１８１０に連結された前記キャップ・ホルダー１８３０の側面図を示す。
【０２８２】
(2015_60379)ある場合には、前記サンプル容器の表面（内部及び／又は外部）は、被覆されることができ及び／又は物質により処理され得る。例えば、前記サンプル容器の内部表面は、固定剤、抗体、光学的コーティング、抗凝血剤、サンプル添加物及び／又は保存料により被覆され得る。これらは、これらは、チャネル内を被覆する任意の物質と同じでも、又は異なってもよい。１つの非限定的な例では、前記被覆は、限定はされないがポリテトラフルオロエチレン、ポリ−キシレン、又は表面張力を減少させるために表面を処理する他の物質であり得る。
【０２８３】
随意的に、前記被覆は、前記サンプル容器の全内部表面上に塗布される。随意的に、いくつかの実施形態は、前記被覆を、前記サンプル容器の選択された領域のみを覆うパターンとして塗布し得る。いくつかの実施形態は、前記サンプル容器の上部内部領域を覆い得る。随意的に、いくつかは前記サンプル容器の下部内部領域のみを覆い得る。随意的に、いくつかは、前記サンプル容器の内部領域を、ストリップ、レーン、又は他の幾何学的パターンで覆い得る。随意的に、いくつかの実施形態は、前記サンプル容器とともに用いられる前記キャップ、プラグ、又はカバーの表面も被覆し得る。いくつかの実施形態は、サンプルが入り口領域から遠ざかり及び、限定はされないが、容器の底部等の目的サイトに向かうために、滑らかな輸送を提供するために、サンプルが前記サンプル容器内に入る、被覆されるべき、表面を有する。
【０２８４】
随意的に、前記被覆は液状又はドライコーティングであってよい。いくつかの実施形態は、少なくとも１つのドライコーティング及び少なくとも１つの液状コーティングを有し得る。ある場合には１つ以上の試薬が、前記サンプル容器の内部表面に被覆され、乾燥され得る。前記被覆は、代替的に湿潤な環境において提供され得るか、又はゲルであってよい。いくつかの実施形態は、サンプルの選択された部分を、そのサンプルの他の部分から分離するために、前記サンプル容器中に分離用ゲルを含み得る。いくつかの実施形態は、限定はされないが、Ｂｅｃｔｏｎ  Ｄｉｃｋｉｎｓｏｎから入手可能なポリエステルに基づく分離用ゲル等の、血清分離用ゲル又は血漿分離用ゲルを含み得る。
【０２８５】
随意的に、１つ以上の固体基板が、前記サンプル容器内に提供され得る。例えば、１つ以上のビーズ又は粒子が前記サンプル容器内に提供され得る。前記ビーズ及び／又は粒子は、試薬又は本明細書に記載される任意の他の物質により被覆され得る。前記ビーズ及び／又は粒子は、前記サンプルの存在下に溶解する能力を有し得る。前記ビーズ及び／又は粒子は、１つ以上の試薬により形成され得るか、又は前記サンプルを処理するために有用であり得る。試薬は気体の形態で前記サンプル容器内に提供され得る。前記サンプル容器は密封され得る。前記サンプル容器は、前記サンプルが前記サンプル容器内に導入される前に、前記サンプルが前記サンプル容器内に導入された後に、及び／又は前記サンプルが前記サンプル容器内に導入されている間に、密封状態にとどまってよい。一実施形態では、前記サンプル容器は、平滑な表面及び／又は丸底を有してよい。このことは、特に遠心分離の間に、血液サンプルに対する圧力を最小化することに役立つ。もちろん、代替的な実施形態では、前記サンプル容器の他の形状の底は除外されない。
【０２８６】
図１８Ｆは、前記サンプル容器のそれぞれが、前記サンプル容器に関連する少なくとも１つの情報保存ユニットを有することができることを更に示す。随意的に、いくつかの実施形態は、とりわけ（しかし、排他的ではなく）前記サンプル容器の全てが同じ被験者からのサンプルを含む場合に、複数のサンプル容器についての情報を運搬する１つの情報保存ユニットを有し得る。そのような情報保存ユニットは、前記サンプル容器自体の上にある代わりに複数のサンプル容器を保持する担体の上にあってもよい。
【０２８７】
図１８Ｆは、１つの非限定的な例の前記サンプル容器の１つの下側を、下から上に見た図を示し、前記情報保存ユニット１８６０は：バーコード（例えば、１−Ｄ、２−Ｄ、又は３−Ｄ）、クイックレスポンス（ＱＲ）コード、画像、形、言葉、数字、英数字の文字列、色、又はそれらの任意の組み合わせ、又は任意のタイプの可視的情報保存ユニットの少なくとも１つであってよい。他のものは可視スペクトルにはない情報保存ユニットを用い得る。他のものはＲＦＩＤタグ、ＲＦ情報保存ユニット、ＩＲ放出タグ、又は可視スペクトルを介して送られるシグナルによる識別に依存しない他のマーカーを用い得る。もちろん、前記情報保存ユニット１８６０は、前記サンプル容器の上端にあるようにも位置づけられ得る。図１８Ｇは、随意的に、情報保存ユニットは、前記サンプル容器の側面表面にも含まれ得ることを示す。これは上面又は底面に位置づけられた情報保存ユニット１８６０への追加、又は代替であり得る。
【０２８８】
１つの非限定的な例では、情報保存ユニット１８６０は、サンプル収集機器内のサンプル及び／又はサンプルのタイプを識別するために用いられ得る。随意的に、サンプル容器当たりに１つ以上の情報保存ユニットがあってよい。情報保存ユニットは、前記サンプル容器ホルダー上でも用い得る。情報保存ユニットは、前記サンプル収集機器、機器内の１つ以上の個別のサンプル容器、又は機器の構成要素を識別し得る。ある場合には、前記サンプル収集機器、前記サンプル収集機器の一部、及び／又は前記サンプル容器が輸送され得る。一実施例では、前記サンプル収集機器又は前記サンプル収集機器の一部は、配送サービス、又は本明細書の他の部分に記載される任意の他のサービスにより輸送され得る。前記サンプル容器は、前記サンプルに対して１つ以上の検査が遂行できるように送達され得る。
【０２８９】
随意的に、前記サンプルの識別及び／又は前記サンプルを提供した個人の識別は追跡可能である。非制限的な例として、個人に付随する情報（例えば、名前、連絡先情報、社会保障番号、誕生日、保険情報、支払い請求情報、病歴）及び前記サンプルを誰が提供したかの他の情報が含まれ得る。ある場合には、サンプルのタイプ（例えば、全血、血漿、尿、等）が追跡され得る。随意的に、前記サンプルが遭遇する予定の試薬のタイプ（例えば、抗凝血剤、標識等）も追跡可能である。収集の日付及び／又は時刻、サンプルが収集された状況、前記サンプルについて行われるべき検査のタイプ、検査のための設定、検査プロトコル、保険情報、医学的記録情報、又は任意の他のタイプの情報等の、前記サンプル収集についての追加的な情報が考慮される。
【０２９０】
本明細書に記載される少なくとも１つ以上の実施形態では、情報保存ユニットは、そのような情報を追跡することを支援し得る。前記情報保存ユニットは、そのような情報に関係づけられることができる。そのような情報は、前記サンプル収集機器の外部に、前記サンプル収集機器に搭載されて、又はそれらの任意の組み合わせで保存され得る。ある場合には、前記情報は、サーバー、コンピュータ、データベース、又はメモリを有する任意の他の機器等の、１つ以上の外部機器上に保存され得る。ある場合には前記情報は、クラウド・コンピューティング・インフラストラクチャー上に保存され得る。前記情報を保存する１つ以上のリソースは、クラウド上で、遠隔のサーバーからのインターネットを介して、遠隔のコンピュータプロセッサへ無線で、等により分配される。ある場合には、ピアー・ツー・ピア・インフラストラクチャーが提供され得る。前記情報は、情報保存ユニット自身に保存され得るか、又は別の場所の情報保存ユニットに関連付けられるか、若しくはそれらの任意の組み合わせ中に保存され得る。
【０２９１】
随意的に、情報保存ユニットは、一意的識別を提供し得るか、又は一意的識別を提供する高い可能性を提供し得る。ある場合には、前記情報保存ユニットは、可視的な構成要素を有し得る。前記情報保存ユニットは、光学的に検出可能であり得る。ある場合には、前記情報保存ユニットは、可視光を用いて識別可能であり得る。いくつかの実施例では、前記情報保存ユニットは、バーコード（例えば、１−Ｄ、２−Ｄ、又は３−Ｄ）、クイックレスポンス（ＱＲ）コード、画像、形、言葉、数字、英数字の文字列、色、又はそれらの任意の組み合わせ、又は任意のタイプの可視的情報保存ユニットであってよい。
【０２９２】
他の実施形態では、前記情報保存ユニットは、任意の他の種類の放射により光学的に検出可能である。例えば、前記情報保存ユニットは、赤外線、紫外線、又は任意の他のタイプの電磁波スペクトルの波長により検出可能である。前記情報保存ユニットは、蛍光、化学発光、生物発光、又は任意の他のタイプの光学的放射等の発光を用い得る。ある場合には、前記情報保存ユニットは、無線送信器及び／又は受信機であり得る。前記情報保存ユニットは無線周波数同定（ＲＦＩＤ）タグであり得る。前記情報保存ユニットは、任意のタイプの無線送信器及び／又は受信機であり得る。前記情報保存ユニットは、１つ以上の電気的信号を送信し得る。ある場合には、ＧＰＳ又は他の位置に関する信号が、前記情報保存ユニットにより利用され得る。
【０２９３】
随意的に、情報保存ユニットは、音声部構成要素又は音響構成要素であるか、及び／又はそれらを含み得る。前記情報保存ユニットは、識別された構成要素を一意的に識別するために認識可能である音を発生し得る。
【０２９４】
随意的に、前記情報保存ユニットは、光学的検出機器を介して検出可能であり得る。例えば、バーコードスキャナーは、前記情報保存ユニットを読み取る能力を有し得る。別の実施例では、カメラ（例えば、静止又はビデオ画像のための）又は他の画像捕捉機器が、前記情報保存ユニットの画像を捕捉し、及び識別を決定するためにその画像を分析する能力を有し得る。
【０２９５】
随意的に、前記情報保存ユニットは、前記サンプル容器のホルダー上にあり得る。前記ホルダー中で、１つ以上の識別が提供され得る。前記情報保存ユニットは、刻み目の中に配置され得る。前記刻み目は、前記ホルダーの底面又は側表面上にあり得る。いくつかの実施形態では、前記ホルダー１つ以上の突起を含み得る。前記情報保存ユニットは前記突起上に配置され得る。ある場合には、前記情報保存ユニットは、前記ホルダーの外部表面上に提供され得る。前記情報保存ユニットは、代替的に前記ホルダーの内部表面上に提供され得る。前記情報保存ユニットは、前記サンプル収集機器の外側から検出され得る。
【０２９６】
いくつかの実施形態では、前記情報保存ユニットは、前記サンプル容器の外部表面又は前記サンプル容器の内部表面上にあり得る。前記情報保存ユニットは、前記サンプル容器の外側から検出され得る。いくつかの実施形態では、前記情報保存ユニットは、前記サンプル容器の底表面上に提供され得る。
【０２９７】
１つの非限定的な例では、前記ホルダーは、光学的に透過性の部分を含み得る。前記光学的に透過性の部分は、前記ホルダーの底部又は前記ホルダーの側面上にあり得る。例えば、透明又は透光性の窓が提供され得る。別の実施例では、前記光学的に透過性の部分は、窓を必要としない孔であってよい。前記光学的に透過性の部分は、前記ホルダーの内部の部分を見ることができることを許容する。前記情報保存ユニットは、前記ホルダーの外部表面の光学的に透過性の部分の上、前記ホルダーの内部表面であるが、光学的に透過性の部分を通じて可視的である部分の上、又は前記サンプル容器の外部又は内部表面であるが、光学的に透過性の部分を通じて可視的である部分の上に提供され得る。ある場合には、前記情報保存ユニットは、前記サンプル容器の内部表面上に提供され得るが、前記サンプル容器は、光学的に透過性であるために、前記情報保存ユニットは、前記サンプル容器及び／又は光学的に透過性の部分を通じて可視的である。
【０２９８】
随意的に、前記情報保存ユニットは、ＱＲコード（登録商標）、バーコード、又は限定はされないが、前記サンプル収集機器の外側から可視的である等の光学的に可視的な、他の光学的情報保存ユニットであり得る。ＱＲコード（登録商標）は、前記サンプル収集機器の前記ホルダーの底にある光学的窓、孔等を通じて視認可能である。前記ＱＲコード（登録商標）は、前記サンプル収集機器ホルダー上、又は前記ホルダーを通じて視認可能な前記サンプル容器の一部の上に提供され得る。カメラ又はスキャナー等の画像捕捉機器は、前記サンプル容器又は輸送容器の外部に提供されることができ、及び前記ＱＲコード（登録商標）を読み取る能力を有し得る。
【０２９９】
いくつかの実施形態では、単一若しくは複数のＱＲコード（登録商標）又は他の情報保存ユニットが、サンプル収集機器上に提供され得る。ある場合には、それぞれのサンプル容器は、それに付随するＱＲコード（登録商標）等の、少なくとも１つの情報保存ユニットを有することができる。一実施例では、サンプル容器ごとに、少なくとも１つの窓がホルダー中に提供されることができ、及びそれぞれの窓は、ユーザーがＱＲコード（登録商標）又は他の情報保存ユニットを見ることを可能にする。例えば、２つのサンプル容器がホルダー内に収納されることができ、前記サンプル容器のそれぞれは、前記ホルダーの外側から認識可能な付随する情報保存ユニットを有する。
【０３００】
いくつかの実施形態では、前記情報保存ユニットは、前記ホルダーにより収納されるサンプル容器に提供され得る。前記サンプル収集機器の残りの部分から前記ホルダーを分離することは、前記サンプル容器が、前記サンプル収集機器の残りの部分から分離されることを引き起こす。前記サンプル容器は、前記ホルダーに残ってもよいか、又は前記ホルダーから取り外されてもよい。前記ホルダーが取り外されてさえも、前記情報保存ユニットは、前記サンプル容器と共に残ってよい。代替的に、サンプル容器が取り除かれてさえも、前記情報保存ユニットは、前記ホルダーと共に残り得る。ある場合には、前記ホルダー及びサンプル容器の両方が情報保存ユニットを有することができるので、前記サンプル容器及びホルダーは、個別に追跡されることができ及び／又は分離されたときにも一致させることができる。
【０３０１】
ある場合には、任意の数のサンプル容器が、前記サンプル収集機器内に提供され得る。いくつかの実施形態はこれらのサンプル容器の全てを前記サンプル収集機器と瞬時に連結できる。随意的に、前記サンプル容器は、順次に又は他の同時ではない様式で連結され得る。前記サンプル容器は、被験者から受け取ったサンプルを受け取る能力を有し得る。それぞれのサンプル容器は、随意的に一意的な情報保存ユニットを有し得る。前記一意的な情報保存ユニットは、前記サンプル、被験者、機器、又は前記機器の構成要素に関する任意の情報と関係付けられることができる。
【０３０２】
ある場合には、それぞれのサンプル容器に対するそれぞれの情報保存ユニットは、一意的であり得るか又は一意的な情報を含み得る。他の実施形態では、前記サンプル容器上の前記情報保存ユニットは一意的である必要はない。随意的に、いくつかの実施形態は、前記機器、前記被験者、及び／又はサンプルのタイプに対して一意的な情報を有し得る。いくつかの実施形態では、前記情報保存ユニット上の前記情報は、いくつかのサンプル容器を、同じ被験者又は同じ情報に関連付けるために用いられ得る。
【０３０３】
図１９Ａ〜１９Ｃを参照し、サンプル収集機器の先端様々な実施形態について記載する。図１９Ａは、それぞれのチャネルに対する開口部１１０３及び１１０５を持つ前記サンプル収集機器の先端の図を示す。本実施形態では、前記開口部１１０３及び１１０５は、前記開口部１１０３及び１１０５の間に仕切り壁１９１０を伴い、互いに極めて近くに配置される。１つの非制限的な実施例では、前記仕切り壁１９１０の厚さは、前記サンプル収集機器を形成するために用いられる、製造プロセスを通じて確実に形成され得る最小限の厚さに設定される。一実施形態では、壁の厚さは、約１〜１０ｍｍでなければならない。いくつかの実施形態では、並んでいる代わりに、前記開口部１１０３及び１１０５は、前記２個の開口部が互いに極めて近い天地構成、対角線構成、又は他の構成にあることができる。
【０３０４】
図１９Ｂを参照するが、この実施形態は、互いに対して同軸に構成された前記開口部１９１０及び１９１２を示す。この開口部１９１０及び１９１２の同軸の構成は、前記２個の開口部の間の、より大きな重なり合いを可能にする。
【０３０５】
図１９Ｃを参照するが、この実施形態は、正方形に形作られた開口部の代わりに、これらの開口部１９２０及び１９２２が円形である以外は、図１９Ｂのものと同様である。限定はされないが、円形、楕円形、三角形、四角形（例えば、正方形、長方形、台形）、五角形、六角形、八角形、又は任意の他の断面の形状を含む、任意の様々な異なる形状が、用いられ得ることを理解されたい。もちろん、それぞれの開口部に対して、異なる形状が用いられることができ、及び収集機器が、全ての開口部に対して同じ断面の形状を持つ必要がないことを理解されたい。いくつかの実施形態は前記開口部に対して１つの断面の形状を有し得るが、前記開口部より下流のチャネルに対しては異なる断面の形状を有する。
単一のチャネルサンプル収集機器
【０３０６】
図２０Ａ〜２０Ｂを参照し、前記本明細書における実施形態は、典型的には２個の別個のチャネルを持つサンプル収集機器として記載されるが、いくつかの実施形態は、単一の入り口チャネル２０１０を用い得ることを理解されたい。この単一の入り口チャネル２０１０は、被覆されても、又はされなくてもよい。適切なコーティングは、限定はされないが、抗凝血剤、血漿、又は他の物質を含む。
【０３０７】
図２０Ａは、このサンプル収集機器２０００の実施形態では、前記単一の入り口経路２０１０内に、組織貫通部材２１１２が、同軸的に取り付けられ得ることを示す。このことは、前記標的組織で創傷が、前記単一の入り口経路２０１０と整列する様式で形成されることを可能にする。前記組織貫通部材２０１２は、限定はされないが、引き鉄引くことによる作動、前記機器先端と前記標的組織との接触による作動、又は前記機器が前記標的組織に対して十分な圧力で押し付けられた時の圧力による等の、様々な技法の１つにより活性化され得る。作動後に、前記組織貫通部材２０１２は前記単一の入り口経路２０１０の中に留まり得る。随意的に、前記組織貫通部材２０１２は、前記単一の入り口経路２０１０から後退して出ることができる。
【０３０８】
前記サンプル収集機器２０００に入る前記サンプル流体は、前記単一の入り口経路２０１０から、２つ以上の別個の経路２０１４及び２０１６に分岐し得る。このことは、単一の接触点から収集されたサンプルから、前記サンプル流体が少なくとも２つの部分に分割されることを可能にする。前記２個の部分は、随意的に２個の別個の保持チャンバー２０１８及び２０２０中に保持される。これらのチャンバーのそれぞれは、前記サンプル流体を前記容器に移動するために、限定はされないが、容器１１４６ａ及び１１４６ｂ等の、１つ以上のアダプター・チャネル２０２２及び２０２４を有し得る。前記保持チャンバー２０１８及び２０２０並びに／又は前記容器１１４６ａ及び１１４６ｂは、前記サンプル流体を処理のために調製するために、その中に抗凝血剤を収容することを理解されたい。
【０３０９】
図２０Ｂを参照するが、この実施形態は、前記単一の入り口経路２０１０の中の組織貫通部材２０１２が、作動後に、前記単一の入り口経路２０１０の中に、その全体又は一部が残るために構成されることを示す。実施形態は、中空ではないか、又はその中に管腔を持つ中空である貫通部材を用い得ることを理解されたい。
【０３１０】
図２１を参照し、サンプル収集機器２０３０の更に別の実施形態について記載する。この実施形態は、経路２０３２から外側に伸長するために構成された組織貫通部材２０１２を持つ、減少された長さの単一の入り口経路２０３２を示す。作動後に、前記組織貫通部材２０１２は、前記経路２０３２の中にあり得るか、又は随意的に、前記経路２０３２の中にはないように後退され得る。前記サンプル収集機器２０３０に入る前記サンプル流体は、前記単一の入り口経路２０３２から、２つ以上の別個の経路２０３４及び２０３６に分岐し得る。このことは、単一の接触点から収集されたサンプルから、前記サンプル流体が少なくとも２つの部分に分割されることを可能にする。。この実施形態は、前記経路２０３４及び２０３６が、毛細管チャネル構成のままであり、図２０Ａ−２０Ｂの実施形態等のように、及び拡大してチャンバーにはならないことを示す。前記本明細書における実施形態は、ユーザーが十分な充填レベルに達した時に知ることができるために、前記収集経路のために１つ以上の充填測定器を、及び／又は前記機器上に前記容器を含み得ることを理解されたい。
【０３１１】
限定はされないが、容器１１４６ａ及び１１４６ｂ等の容器により採集される小さなサンプル容積に起因して、限定はされないが、前記容器中の真空圧等の低下した圧力からの「引き」は、サンプル流体が採集されている、血管又は他の管腔を潰すか、又はその形態を有害に変更する様式において、被験者の身体の中に最小限移転されるか、又はされないことを理解されたい。例えば、小児科及び老人科患者は、典型的には、従来の大きな容積の真空容器が使用されたときに、より大きなサンプル容積を従来の容器中に抜き取ることに付随する、より高い真空力により、潰れ得る小さな及び／又は弱い静脈を有する。前記機器の少なくとも１つの実施形態では、静脈に真空（吸引）力を与えないためにこの問題を有さない。一実施形態では、前記真空力の量は、１２０μＬ程度のサンプル流体を前記容器１１４６ａに引き抜く。随意的に、前記真空力の量は、１００μＬ程度のサンプル流体を前記容器１１４６ａに引き抜く。随意的に前記真空力の量は、８０μＬ程度のサンプル流体を前記容器１１４６ａに引き抜く。随意的に、前記真空力の量は、６０μＬ程度のサンプル流体を前記容器１１４６ａに引き抜く。随意的に、前記真空力の量は、４０μＬ程度のサンプル流体を前記容器１１４６ａに引き抜く。随意的に、前記真空力の量は、２０μＬ程度のサンプル流体を前記容器１１４６ａに引き抜く。一実施形態では、このタイプの引き抜きは、シリンジを使用することなく行られることができ、及び一次的に、前記容器からの引く力及び前記被験者から出る前記流体からの、いくらかの力に基づく。随意的に、前記機器内部に達したサンプルを引き抜くための、前記機器を貫通する形作られた経路は、前記容器１１４６ａ及び１１４６ｂから前記被験者の血管又は他の体管腔に転移される力を低下させることを支援し得る。いくつかの実施形態は、前記サンプルの溶血を最小化し、及び防止する前記被験者内の血管が潰れることを防止するために、上に列挙された小容積容器中で、約四分の三以下の真空を用い得る。いくつかの実施形態は、前記サンプルの溶血を最小化し、及び防止する前記被験者内の血管が潰れることを防止するために、上に列挙された小容積容器中で、約半分以下の真空を用い得る。いくつかの実施形態は、前記サンプルの溶血を最小化し、及び防止する前記被験者内の血管が潰れることを防止するために、上に列挙された小容積容器中で、約四分の一以下の真空を用い得る。本明細書における真空は、大気圧に対して完全な真空である。
【０３１２】
一実施形態では、前記機器中のチャンバー断面積は、前記針及び／又は被験者から体液を引き抜くために用いられる可撓性のチュービングの断面の直径よりも大きいことを理解されたい。このことは、前記被験者への力の転移を減少させることを更に支援する。前記容器からの真空の引きは、前記被験者により近い前記針の中のサンプルを直接にではなく、前記機器中の液体サンプルを最も早急に引き込む。前記前記収集機器中のより大きな容積チャンバーにより緩衝された、より長い経路は、前記被験者の血管への引きを弱める。追加的に、初期ピーク力（ｉｎｉｔｉａｌ  ｐｅａｋ  ｆｏｒｃｅ）の引きは、小容積容器においては、同じく真空下にある、より大きな容積の容器よりも、大幅に少ない。より多い量のサンプルを前記容器に入れることを可能にするために、前記「引き」の持続時間もより長い。より小さな容積では、収集されるべき前記サンプルのかなりの部分は、前記機器の中に既にあり、及び前記サンプルの引きを開始する前に、前記機器に既になかった被験者から引き抜かれる部分は、それよりも少ない。
【０３１３】
図２２を参照し、サンプル収集機器の更に別の実施形態について記載する。この実施形態は、限定はされないが、組織貫通部材、針、等の様々なサンプル取得機器との結合を可能にするルアー（Ｌｕｅｒ）コネクター等の、コネクター２１０２を有する収集機器２１００を示す。いくつかのルアー・コネクターは、他のコネクターと係合するために圧入を使用できる一方、前記コネクター２１０２のいくつかの実施形態は、係合を容易にするためにねじ山を含み得る。。図２２は、この現在の実施形態では、翼状針２１０４が、限定はされないが、前記サンプル取得特徴を前記サンプル収集機器２１００に接続するために、コネクター２１０８に導く、柔軟なチューブ等の、流体接続経路２１０６と連結されることを示す。前記柔軟なチュービング２１０６は、前記針部分２１０４が、前記サンプル収集機器２１００から離れて配置されるが、それでも操作可能に、流体的に、前記サンプル収集機器２１００に連結されることを許容する。このことは、サンプル流体を取得するために、前記サンプル収集機器２１００も移動させることなく、前記針２１０４を位置決めすることに関して、より大きな柔軟性を可能にする。随意的に、いくつかの実施形態は、柔軟なチュービングを用いることなく、直接的に組織貫通部材を前記機器２１００に結合し得る。
【０３１４】
少なくともいくつか又は全ての前記実施形態は、収集機器の内部にサンプルがあるときに示す、限定はされないが、覗き窓又は開口部等の、充填表示器を有することができ、及び従ってそれが、前記サンプル容器に係合するために許容されることを示す。随意的に、充填表示器を持たない実施形態も除外されない。いくつかの実施形態は、随意的に、収集機器内のチャネルがサンプルにより充填されるときに、空気が逃れることを許容するための、限定はされないが、ポート等の１つ以上の通気孔を有し得る。ほとんどの実施形態では、前記充填されたサンプル容器は、所望の充填レベルに達した後に、前記サンプル収集機器から分離される。随意的に、体液サンプルの追加的な量を収集するために追加的なサンプル容器が、前記サンプル収集機器に係合され得る。随意的に、前記サンプル容器の内部の状態は、前記容器が所定の量のサンプル流体のみを引き抜くために構成された、減圧を有するものである。
【０３１５】
図２３は、前記サンプル収集機器２１００の１つの実施形態の分解図を示す。この非制限的な実施例では、部分１１３０は、容器ホルダー１１４０及びサンプリング機器ホルダー２１６０を持つ部分を保持するために構成され得る。前記機器２１００は、ホルダー１１４０中の前記容器が、その中の何らかの容器中のサンプルを引き抜くために係合されるまでに、開放端を通じたサンプル損失を最小化するために、アダプターチャネル２０２２及び２０２４の開放端と係合できる、漏洩防止機器２１６２を含み得る。現在の実施形態では、前記漏洩防止機器２１６２は、少なくとも２つのアダプターチャネル２０２２及び２０２４を覆い、及び移動可能なように構成される。漏洩防止機器２１６２の本実施形態は、アダプターチャネル２０２２及び２０２４が、前記ホルダー１１４０中の前記容器と係合することを許容しながら、アダプターチャネル２０２２及び２０２４上の開口部を覆わないために移動できるように、サイズ付けされる。
【０３１６】
図２４及び２５を参照し、サンプリング機器ホルダー２１６０の１つの実施形態がより詳細に示される。図２４は、組み立てられたユニットとしてのサンプリング機器ホルダー２１６０を示す。図２５は、第一の部分２１６４及び第二の部分２１６６を持つサンプリング機器ホルダー２１６０の分解図を示す。前記アダプターチャネル２０２２及び２０２４も、第二の部分２１６６から取り外し可能として示される。サンプリング機器ホルダー２１６０のこの実施形態は２つの分離された部分として示されるが、いくつかの代替的な実施形態は、前記サンプル機器ホルダー２１６０を単一の統一されたユニットとして構成し得ることを理解されたい随意的に、いくつかの実施形態は共に組み立てられて前記ホルダー２１６０を形成する、３つ以上の部分を持つように構成できる。随意的に、いくつかの実施形態は、ホルダー２１６０の横軸に沿う代わりに前記ホルダー２１６０の縦軸２１６５又は他の軸に沿って分離された部分を形成することができ、これは図２５中の分離として示される。
【０３１７】
図２６〜２８を参照し、前記サンプル機器ホルダー２１６０及び前記機器２１００の実施形態の様々な断面図が示される。図２６は、部分２１６４及び２１６６の断面図を示す。特定の理論に束縛はされないが、分離した部分２１６４及び２１６６の使用は、とりわけ前記ホルダー２１６０中の様々な内部チャネル及びチャンバーの製造を単純化するために選択され得る。例えば、チャンバーの少なくとも１つの壁２１６７は、第一の部分２１６４の中に形成されることができる一方、前記チャンバーの相補的な壁２１６８は、前記第二の部分２１６６の中に形成され得る。図２７は、壁２１６８が端面図から見ることができる、部分２１６６の上から下を見た端面図を示す。
【０３１８】
図２８を参照し、組み立てられた機器２１００の断面図について記載する。この図２８は、コネクター２１０２を通じて前記機器に入るサンプルは、前記アダプターチャネル２０２２及び２０２４に導かれる前に共通チャンバー２１７０に入ることを示す。前記アダプターチャネル２０２２及び２０２４からの、前記ホルダー１１４０の矢印２１７２で示される方向への動きは、操作可能に流体的に前記容器１１４６ａ及び１１４６ｂを前記アダプターチャネル２０２２及び２０２４に連結し、サンプルを前記チャネルから容器内に移動させる。本実施形態では、前記容器１１４６ａ及び１１４６ｂが、前記アダプターチャネル２０２２及び２０２４を、前記容器１１４６ａ及び１１４６ｂのキャップに貫通させるための運動を可能にする十分な空間２１７４があるので、前記アダプターチャネル２０２２及び２０２４は、前記容器１１４６ａ及び１１４６ｂの内部と流体連通できるこの図では、２つの容器及びアダプターチャネルのセットのみが示されているが、より多いか、又はより少ないセットの容器及びアダプターチャネルを持つ他の構成が、図２８に示されるような機器との使用のために構成され得ることを理解されたい。
モジュール式サンプル収集機器
【０３１９】
図２９Ａ〜２９Ｃを参照し、本明細書における実施形態は、典型的には、前記サンプル収集チャネルを前記容器に接続するための、アダプター・チャネルを有するサンプル収集機器を記載しているが、そのような構成を持たない実施形態が除外されないことを理解されたい。
【０３２０】
図２９Ａの非制限的な実施例として、以前に示唆したように、本明細書のいくつかの実施形態は、別個のアダプター・チャネルを持たないでよい。本明細書では、前記収集チャネル２４２２は、前記矢印２４４９で示される、それらの要素の１つ又は両方の間の相対的な動作の手段により、前記容器２４４６に直接接続され得る。
【０３２１】
図２９Ｂの非制限的な実施例として、１つ以上のアダプター・チャネル２４５４は、最初には、前記収集チャネル２４２２又は前記容器２４４６のいずれかと、直接の流体連通にない、別個の要素であり得る。本明細書では、前記収集チャネルから前記１つ以上のアダプター・チャネルを介して、前記容器の中までの流体経路を生成するために、前記収集チャネル２４２２は、前記収集チャネル、前記アダプター・チャネル２４５４、又は前記容器２４４６（順次に又は同時に）の１つ以上の間の相対的な動作の手段により、前記容器２４４６に接続され得る。
【０３２２】
図２９Ｃの非制限的な実施例として、１つ以上のアダプター・チャネル２４５４は、最初に前記容器２４４６と連通する要素であり得る。前記アダプター・チャネル２４５４は、前記容器の内部と直接の連通にはないことができる。本明細書では、前記収集チャネルから前記１つ以上のアダプター・チャネルを介して、前記容器の中までの流体経路を生成するために、前記収集チャネル２４００は、１つ以上のそれらの要素の（順次に又は同時に）相対的な動作の手段により、前記容器に接続され得る。いくつかの実施形態は、前記アダプター・チャネルと係合される、前記収集チャネルの端の上に、セプタム、スリーブ、通気口を持つスリーブ、又はカバー２４５５を有し得る。最初には、前記アダプター・チャネル２４５４は、前記内部とは流体連通にないことができるが、前記様々な要素の係合は前記アダプター・チャネル２４５４をも、前記容器の内部２４４６に移動させ得る。明細書におけるいくつかの実施形態は、１つ以上のアダプター・チャネルを有することができ、及びいくつかの実施形態は、そのチャネルの両端に尖った端を持つアダプター・チャネルを用いる得る。本明細書に記載される実施形態に対する変形又は代替物があることができ、及びどの単一の実施形態も完全な発明を包含するとは解釈されるべきでない。
【０３２３】
前記本明細書における実施形態のいかなるものも、図２９Ａ〜２９Ｃについての記載において列挙された特徴を含むために、修正され得ることを理解されたい。
サンプル処理
【０３２４】
図を参照し、体液サンプル収集及び輸送システムの一実施形態について記載する。図３０は、被験者の皮膚表面からの体液サンプルＢを示す。図３０の非限定的な実施例では、体液サンプルＢは、様々な機器の１つにより収集され得る。非限定的な例として、収集機器１５３０は、限定はされないが、参照により全ての目的で本明細書に組み込まれる、２０１２年９月６日に出願された、米国特許出願第６１／６９７，７９７号、に記載されるものであり得る。本実施形態では、前記体液サンプルＢは、１つ以上の毛細管チャネルにより収集され、次いでサンプル容器１５４０中に向けられる。非限定的な例として、サンプル容器１５４０の少なくとも１つは、最初は、体液サンプルをサンプル容器１５４０中に抜き取るために用いられる、部分的な真空の下にある内部を有し得る。いくつかの実施形態は、サンプル収集機器から、サンプル収集機器の中の同じか又は異なる収集チャネルから、サンプル容器１５４０の中に同時にサンプルを抜き取り得る。随意的に、いくつかの実施形態は、サンプルをサンプル容器中に同時に引き抜き得る。
【０３２５】
本実施形態では、体液サンプルが前記サンプル容器１５４０の内部に入った後、それらのホルダー１５４２中の（又は随意的に、それらのホルダー１５４２から取り除かれた）前記サンプル容器１５４０は、前記輸送容器１５００内に充填される。この実施形態では、前記サンプル容器ホルダー１５４２のためにサイズ付けされた１つ以上のスロット、又は輸送容器１５００中の前記サンプル容器のためのスロットがあることができる。非制限的な例として、それらは、アレイ構成にあり、及び垂直又はいくつかの他の所定の配向に配向された前記サンプル容器を保持し得る。前記サンプル容器１５４０のいくつかの実施形態は、異なる量のサンプルをそれぞれの容器の中に保持できるように構成されることを理解されたい。非制限的な例として、このことは、前記サンプル容器のそれぞれの中の真空力の量、前記収集機器の前記サンプル収集チャネルの中に収集されたサンプルの量、及び／又は他の因子に基づいて制御される。随意的に、限定はされないが、異なる抗凝血剤等の異なる前処理も前記サンプル容器内に存在できる
【０３２６】
図３０に見られるように、前記サンプル容器１５４０は、限定はされないが、サンプル収集サイト等の、第一の場所においてサンプルを収集する。非制限的な例として、前記体液サンプルは、次いで前記輸送容器１５００中で、限定はされないが分析サイト等の受取サイト等の第二の場所に輸送される。前記輸送の方法は、宅配便業者、郵送、又は他の発送技法であり得る。多くの実施形態では、前記輸送は、前記輸送容器をその中に保持する更に別の容器を有することにより実行され得る。一実施形態では、前記サンプル収集サイトは、ポイント・オブ・ケアであり得る。随意的に、前記サンプル収集サイトは、ポイント・オブ・サービスである。随意的に、前記サンプル収集サイトは、前記サンプル分析サイトから遠隔である。
【０３２７】
図３０の本実施形態は、前記被験者の表面からの体液サンプルの収集を示しているが、他の代替的な実施形態は、前記サンプル容器１５４０を満たすために、静脈穿刺による等の、前記被験者の他の領域からサンプルを収集するための収集技法を用い得る。そのような他の収集技法は、表面収集の代わりに、又は表面収集と併せて使用するために除外されない。表面収集は、前記被験者の外部表面において行われ得る。随意的に、いくつかの実施形態は、前記被験者内部のアクセス可能な表面から収集し得る。体液サンプルＢのこれらの表面上の存在は、自然に生じるか又は創傷の生成を介して生じるか、又は前記体液表面をアクセス可能にするための他の技法により生じる。
【０３２８】
図３１を参照し、体液サンプルが、前記被験者表面上にプールされたサンプルが収集されるのに対して、前記被験者の内部から採集され得る本明細書に記載される更に別の実施形態について記載する。図３１の、この実施形態は、限定はされないが、静脈血等の、体液サンプルを収集するために構成された、皮下注射針１５５２を持った収集機器１５５０を示す。一実施形態では、サンプル容器１５４０が、前記サンプルをそれぞれの容器の中に引き抜くために係合され得るときに、前記体液サンプルは、前記機器１５５０中のチャンバー１５５４を満たす。随意的に、いくつかの実施形態は、チャンバー１５５４を持たないが、その代わりに、サンプルを前記針１５５２から前記サンプル容器１５４０に向けるために用いられる、チャネル以外の、非常に小さい空スペース、経路、又はチューブを有する。血液等の体液サンプルに対しては、血液容器中からの圧力は、血液サンプルが、前記収集機器からの何らかの支援がある場合には、あまり大きな支援なしで前記チャンバー１５５４を満たすことができるようなものであるそのような実施形態は、随意的に、前記収集機器内のチャネルがサンプルで満たされるときに、空気が逃げることを許容する、限定はされないがポート等の１つ以上の通気孔を有し得る。
【０３２９】
前記実施形態の少なくともいくつか、又は全ては、サンプルが前記収集機器の中に存在することを示し、及び従って前記サンプル容器１５４０を係合することが許容可能であることを示す、限定はされないが覗き窓又は開口部等の充填表示器を有し得る。随意的に、充填表示器を有さない実施形態は除外されない。充填されたサンプル容器１５４０は、所望の充填レベルに達した後で、前記サンプル収集機器から取り外され得る。随意的に、追加的なサンプル容器１５４０が、体液サンプルの追加的な量を収集するために前記サンプル収集機器１５５０（又は１５３０）に接続され得る。
ポイント・オブ・サービスのシステム
【０３３０】
図３２を参照し、本明細書において記載されるプロセスは、自動化された技法を使用して遂行され得ることを理解されたい。前記自動化された処理は、統合化された、自動化されたシステムにおいて用いられ得る。いくつかの実施形態では、このことは、複数の機能的構成要素をその中に含み、及び共通の筐体により囲まれた単一の装置の中にあり得る。沈降手段の処理技法及び方法は、あらかじめ設定され得る。随意的に、その両方が、参照により全ての目的で本明細書にその全体が組み込まれる、米国特許出願第１３／３５５、４５８号及び１３／２４４、９４７号に記載される様式で、所望により動的に変化され得る、プロトコル又は手順に基づくことができる。
【０３３１】
図３２に示される、１つの非制限的な実施例では、装置の複数の構成要素を制御するために用いられ得るプログラム可能なプロセッサ２５０２を有する、統合化された装置２５００が提供され得る。例えば、一実施形態では、このプロセッサ２５０２は、矢印２５０６及び２５０８で示されるように、Ｘ−Ｙ及びＺ方向に移動し得る、単一の又は複数のピペットシステム２５０４を制御し得る。同じ又は異なるプロセッサが、前記装置内の他の構成要素２５１２、２５１４、又は２５１６を制御し得る。一実施形態では、前記構成要素２５１２、２５１４、又は２５１６の１つは、遠心分離機を含む。
【０３３２】
図２３に見られるように、プロセッサ２５０２による制御は、前記ピペットシステム２５０４が、血液サンプルをカートリッジ２５１０から取得し、及び前記サンプルを、前記構成要素２５１２、２５１４、又は２５１６の内の１つに移動することを可能にする。そのような動きは、前記サンプルを前記カートリッジ２５１０内の取り外し可能な容器に分注し、及び次いで前記取り外し可能な容器を前記構成要素ｓ２５１２、２５１４、又は２５１６の内の１つに輸送することを含む。随意的に、血液サンプルは、前記構成要素２５１２、２５１４、又は２５１６の内の１つに既に取り付けられた容器中に直接分注される。１つの非制限的な実施例では、これらの構成要素ｓ２５１２、２５１４、又は２５１６の内の１つは、前記容器中のサンプルの照明及び可視化の両方を可能にする、画像化構成を持つ遠心分離機であり得る。他の構成要素２５１２、２５１４、又は２５１６は、他の分析、検定、又は検出機能を遂行する。
【０３３３】
前述の全てのものは、単一の筐体２５２０内に統合されることができ、及び卓上、又は小さな床面積の設置面積での取り付けのために構成され得る。一実施例では、小さな設置面積の床に取り付けられたシステムは、約４ｍ２以下の床面積を占有する。一実施例では、小さな設置面積の床に取り付けられたシステムは、約３ｍ２以下の床面積を占有する。一実施例では、小さな設置面積の床に取り付けられたシステムは、約２ｍ２以下の床面積を占有する。一実施例では、小さな設置面積の床に取り付けられたシステムは、約１ｍ２以下の床面積を占有する。いくつかの実施形態では、前記装置の設置面積は、約４ｍ２、３ｍ２、２．５ｍ２、２ｍ２、１．５ｍ２、１ｍ２、０．７５ｍ２、０．５ｍ２、０．３ｍ２、０．２ｍ２、０．１ｍ２、０．０８ｍ２、０．０５ｍ２、０．０３ｍ２、１００ｃｍ２、８０ｃｍ２、７０ｃｍ２、６０ｃｍ２、５０ｃｍ２、４０ｃｍ２、３０ｃｍ２、２０ｃｍ２、１５ｃｍ２、又は１０ｃｍ２以下であり得る。ポイント・オブ・サービスの設定で適切な、いくつかの適切なシステムは、参照により全ての目的で本明細書にその全体が組み込まれる、米国特許出願第１３／３５５，４５８号及び１３／２４４，９４７号に記載される。本実施形態は、それらの特許出願に記載されるモジュール又はシステムの任意のものとの使用のために構成され得る。
【０３３４】
図３３〜３７を参照し、サンプル収集機器の更なる実施形態について記載する。この実施形態は、毛細管チャネル領域、及び次いで、より低い流れ抵抗を提供するために、前記チャネルの断面積を増加し、及び流速を増加させる、より低い流れ抵抗の領域２６１０を有する、サンプル収集領域２６００を示す。この増大されたチャネルのサイズは、その中にサンプルを保存するためにも用いられる。１つの実施形態は、前記機器の両側に用いられるキャップを持つために構成されるので、サンプルは、容器１１４６ａ及び１１４６ｂに移動する必要なく、その中に収容される。
【０３３５】
図３３の非限定的な実施例にみられるように、領域２６００及び２６１０の間のジョイントは、正中線２６２０に交差して配置されるので、このことも、品目を共に接合するための接着剤量を減少させ得る。２つの部分が別々に製造されるために、このことも、製造を容易にできる。経路の形状又はさもなければ断面積に関して、経路の長さに沿って先細にできることを理解されたいが、先細ではない経路も除外されないことも理解されたい。いくつかの実施形態は、同じ経路の部分に沿って先細及び先細ではない経路を組み合わせ得る。随意的に、いくつかの実施形態は、少なくとも先細の１つの経路及び少なくとも１つの先細ではない経路を有し得る。
【０３３６】
非限定的な一実施例では、他の部分は、前記容器１１４６ａ及び１１４６ｂ、アダプターチャネル、フリッツ、ホルダー１３０等に関して、既に本明細書に記載されたものと同様である。接合点における両方のチャネルの毛管作用による吸引（両方の充填時間は＜６秒）は、改善され（工程が除去され）及び血液は、前記チャネルに容易に入り、及び接合店領域を傾ける必要なく通過した。前記部分は、ＰＭＭＡ、ＰＥＴ、ＰＥＴＧ等により形成され得る。この実施形態では、これは、領域２６１０におけるチャネルのサイズにおける変化がこの領域への、より容易な流れを許容するために、７．５倍速い充填を提供し得る。
【０３３７】
下式にみられるように、前記流れ抵抗は、領域２６１０においてチャネルサイズの変化の４乗に基づいて減少する：
【数１】
2020101561.tif 000003
【０３３８】
図３５の非限定的な実施例が別個のチャネル１１５０及び１１５２が組み込まれ、埋め込まれ、又はさもなければ前記収集機器の部分と連結されていることを示すが、いくつかの実施形態は、１つ以上のこれらの要素を収集機器の一部として一体的に形成し得る。
【０３３９】
図３６Ａは、注入口ポート２６１１及び２６１３が示される更なる実施形態を示す。ｏｆｔｈｅ部分２６１０上の、出口ポート２６１５及び２６１７の非制限的な実施例が、図３６Ｂ中に示される。これらの実施形態は、注入口ポート２６１１及び２６１３を個別のポートとして示しているが、本明細書の他の部分に示されるか、又は記載される、一体化されたポート、同軸のポート、又は入り口のための他の構成もこれらの実施形態における使用に適応し得ることを理解されたい。例えば、図１１Ｊに示される構成（特徴１１６６及び／又は１１６８を含むか、又は含まない）又は図７Ａに示されるものも、本明細書に示される収集機器との使用のために構成され得る。
【０３４０】
非限定的な一実施例では、図３６Ａに示される部分は前記サンプル容器なしで用いられることができ、及びポート２６１１及び２６１３の端は蓋をされるか、閉鎖されるか、又はさもなければ密封される。この非制限的な実施例では、別個のキャップ、密封、又は他の閉鎖用の機器が、ポート２６１５及び２６１７を閉鎖するために用いられ得る。この様式で、前記流体回路はサンプル収集及びサンプル保存に用いられ得る。非限定的な例として、サンプルにアクセスすることが所望される場合、前記ポートは開かれることができるので、サンプルは抜き取られることができる。このことは、使用される物質の量を減らすことができ、収集されたサンプルの保存のための別個の容器の使用を減少させる。図３６Ａの実施形態は２つの経路の実を示しているが、他の実施形態は３つ以上の経路を、示されている構成、又は異なる流体回路中に若しくは機器本体の中の配列の中に有することができることを理解されたい。
【０３４１】
図３８Ａを参照し、更なる非限定的な実施例について記載する。図３８Ａは、液体ガイド要素２７００及び２７０２のある実施形態を示し、このガイド要素はサンプル容器のボトムアップ充填を支援できるので、サンプル容器の最上部にサンプルが送達される場合のトップダウンの充填の場合に発生し得る望まれない気泡は形成されない。図３８Ａは、サンプル容器が、矢印により示されるように、上に向かって移動する場合を示している。サンプル容器を移動することは、上に移動させ、及び最初に前記密封要素２７０４を、より長いガイド要素２７００の上で上向きに移動させる。Ｕｎｓｅａｔｉｎｇａ密封要素２７０４を退かせることは、流体がチャネル内に流れてサンプル容器内に流入することを可能にする。サンプル容器が上向きに移動するにつれて、ガイド要素２７０２の第二の密封要素２７０６は、要素２７０２が、サンプル容器の底部又は他の部分に接触して、及び充填を開始するに連れて、立ち退かされる。非限定的な例として、このことは、一方の側がより大きな充填容積を有し、及びより長い充填時間に適している場合に望ましいことであり得る。非限定的な例として、前記ガイド要素２７００及び２７０２は、サンプルの溶血を防止するために、遅い流れが望まれる場合にも有用であり得る。より遅い流れは、底部からの充填を開始するために、ガイド要素から利益を受け得る。非限定的な一実施例では、前記ガイド要素は、サンプル流体に対して不活性であり、及びサンプルに対して遂行されるべきいかなる検定に対しても、その中のサンプル流体を腐敗させないか、又は実質的に腐敗させない物質を含む。非限定的な一実施例では、前記ガイド要素は、ガラス、ポリマー、ポリカーボネート、光ファイバー、手術グレードの鋼鉄、アルミニウム、以上の単一若しくは複数の組み合わせ、又は将来に開発され得る他の適切な物質を含み得る。図３８Ａに見られるように、前記ガイド要素は、サンプル容器の内側の位置から延伸し、及び限定はされないが、第一の位置にあるときには流れを停止し、及び第二の位置にあるときには、流体が流れることを許容する、球状、円錐状、ピラミッド状、立方体状又は他の形状の流れ調節機器２７０４まで延伸して連結する。流体通路のサイズに依存して、どのサイズが通路の中の流れを停止させるために適切かに依存して、前記流れ調節機器２７０４は、それぞれの通路において、同じサイズであり得るか、又は異なるサイズであることができる。いくつかの実施形態は、同じ内部容積のそれぞれの経路の上に容器を用い得る。随意的に、いくつかの実施形態異なる内部容積の複数の経路の上に容器を用い得る。
【０３４２】
図３８Ｂは、いくつかの実施形態は、いかなる望まれないオーバーフローも防止し得る、１つ以上の密封要素２７０７を更に含み得ることも示す。非限定的な一実施例では、密封要素２７０７は、Ｏ−リング、フリット、エラストマーの材料、自己再密封物質又等の既存の、又は将来開発され得る物質を含み得る。図３８Ａ及び３８Ｂは、密封要素２７０７が１つの流体経路だけの上にあることを示しているが、複数の、全ての、又はいくつかの経路の他の組み合わせのそれぞれも１つ以上の密封要素２７０７を有し得ることを理解されたい。図３８Ｂが、流体密封要素２７０４及び２７０６が、流体が流れることを許容する第二の位置にある、１つの非限定的な実施例を示していることも理解されたい。
【０３４３】
図３９を参照するが、限定はされないが、アダプター・チャネル等の注入口チャネル２８０８が、サンプル容器ユニット２８２４（この実施形態においては横からの図として示される）の少なくとも１つの非制限的な実施例と流体連結する位置にあることを示す非制限的な実施例の断面図が示される。図３９は、２つ以上のサンプル容器の内の１つだけを示しているが、いくつかの実施形態は、このタイプの容器を有する単一のサンプル容器だけを有し得ることを理解されたい。随意的に、２つ以上のサンプル容器は、このタイプの逆（ｒｅｖｅｒｓｅ）プランジャーのタイプの構成を有し得る。図３９に見られるように、サンプル容器ユニット２８２４のプランジャー２８２８の動きは、チャネル２８０８から、サンプル容器ユニット２８２４の中へ液体を引き抜くための、限定はされないが、少なくとも部分的な真空等の原動力を生成するために用いられ得る。この非制限的な実施例では、プランジャーが、図６８中の矢印２８３１に示されるように移動されるが、このことは、サンプル容器ユニット２８２４とキャップ部分２８３２の間の内部容積２８２９を増加させる。非限定的な一実施例では、サンプル容器ユニット２８２４中には、チャネル２８０８に内在する、サンプル流体をチャネル２８０８の針の端の中にもたらすが、外には出さない、毛細管力に打ち勝つ原動力が、提供されるまでは、サンプルが存在しなくてよいことを理解されたい。非限定的な一実施例では、チャネル２８０８から液体を取り出すことは、１つ以上の追加的な原動力を用いることを含み得る。本明細書で記載される、この構成は、逆プランジャーと同様であり得ることを理解されたい。随意的に、いくつかの実施形態は、サンプル容器にサンプルを引き抜くための原動力を提供するために本明細書の構造の代わりに、又はそれと組み合わせて、従来のプランジャーを用い得る。
【０３４４】
図３９は、少なくとも１つの実施形態では、前記チャネル２８０８は、先のとがった遠位端２８３４を有し得ることも示す。更なる実施形態は、芯の無い部分又はキャップ２８３２の破片を収集された流体の中に混入しないために、芯を取り除かない設計のチャネル２８０８を有し得る。芯を取り除かないか、従来の、又は他の形状のチャネル２８０８であるかに関わらず、プランジャー２８２８のいくつかの実施形態は、チャネル２８０８から入る力に耐えられる硬化された芯の部分２８３８を有し得ることを理解されたい。図３９に見られるように、少なくともいくつかの実施形態は、プランジャー２８２８が、少なくとも第一の位置から、少なくとも第二の位置に移動されるときに、少なくとも十分な流体密封を提供するために、硬化された芯の部分２８３８及びサンプル容器の側壁の間に、適合する材料を持つ。
【０３４５】
他の実施形態は、サンプルを収集する流体回路からサンプルを移動するために、１つ以上の異なる原動力源を用い得ることを理解されたい。いくつかの実施形態は、ｍプランジャー２８２８を移動させるために注射器又は他の機器を用い得るか、又はサンプル容器中にサンプルを引き込みいれるための真空又は部分的な真空のを生成するために、サンプル容器との他の接続を用い得る。他の実施形態は、ポンプ及び／又は他のソースを単独又は本明細書の他の特徴との組み合わせで、サンプル容器中にサンプルを移動するために用い得る。
【０３４６】
いくつかの実施形態は、収集部分２６００及び２６１０の流体回路を、サンプル容器に移動する前に、溶解、又はさもなければサンプル中に試薬を提供するための一時的なインキュベーション等に用い得ることも理解されたい。従って、非限定的な一実施例では、試薬、前処理、又は限定はされないが、収集回路の壁に被覆された他の物質が、サンプルと混合するか、又はサンプル中に入ることを許容するための提供される方法が用いられる。いくつかの実施形態は、ユーザーにサンプルをサンプル容器に移動するために、十分な時間が過ぎたことを示す、タイマー、可視的な表示器、音響表示器、色の変化、温度の変化、又は他の機構を提供し得る。
【０３４７】
前記教示がその特定の実施形態への参照と共に、記載され、図示されてきたが、当業者には、本発明の趣旨及び範囲を逸脱することなく、手順及びプロトコルの、さまざまな翻案、変化、修飾、置換、削除、又は追加を行い得ることを理解するであろう。例えば、上記のいかなる実施形態と共に、流体サンプルは、全血、希釈された血液、間質液、患者から直接採集されたサンプル、表面上のサンプル、何らかの前処理後のサンプル等であり得ることを理解されたい。当業者は、代替的な実施形態が、流体を前記容器中に引き抜くために、順次に操作可能に前記針又は前記チャネルの開口部と連結され得る１つ以上の容器を有し得ることを理解するであろう。随意的に、いくつかの実施形態は、操作可能に前記チャネルに同時に連結されるために構成される容器を有し得る。いくつかの実施形態は、全てに単一の機器を用いて、標的のサンプル流体を組織表面にもたらし、及び次いで前記サンプル流体を採集するための、突き刺し機器又は他の創傷作成機器とサンプル収集機器とを統合し得る。非制限的な例として、作成される創傷部位も前記機器の端に沿って前記収集開口部と同じ側にあることができるように、サンプル収集チャネル開口部の近傍の前記サンプル収集機器の端のそばから、外に出る貫通先端を有するために、スプリングにより作動される、機械的に作動される、及び／又は電気機械的に作動される、組織貫通部材が、取り付けられることができる。随意的に、統合された機器は、収集開口部を１つの表面上に、及び組織貫通要素を、前記機器の別の表面に沿って有することができる。本明細書で開示される、いかなる実施形態においても、前記収集チャネルの第一の開口部は、ヒトの皮膚を容易には穿刺しないために構成された任意の丸みを帯びた形状を有し得る。
【０３４８】
追加的に、指又は他の標的組織の上での、温湿布の使用は、前記標的領域への血流を増加させ、及び従って十分な血液又は他の体液が前記被験者から引き抜かれる速度を増加させる。非限定的な一実施例では、前記加熱は、前記標的組織に約４０Ｃ〜５０Ｃをもたらすために用いられる。随意的に、前記熱は、標的組織を、約４４〜４７Ｃの温度範囲にもたらす。
【０３４９】
更に、当業者は、本明細書に記載されるいかなる実施形態も、ヒト、動物、又は他の被験者からのサンプル流体の収集に適用され得ることを認識するであろう。本明細書に記載されるいくつかの実施形態は、非生物学的流体サンプの収集に対しても適切であり得る。いくつかの実施形態は、前記担体から取り外し可能ではない容器を用い得る。いくつかは、前記サンプル収集部分において測定後に、前記流体サンプルを、前記第二の原動力により、次いで検体又は他の分析機器中に配置される、カートリッジに向かわせられる。随意的に、多くの実施形態が、前記担体中の前記容器を示すが、前記容器が、覆われていないか、又は担体中に取り付けられていない実施形態は除外されないことを理解されたい。いくつかの実施形態は、前記機器とは別個で、及び前記チャネルが、最小充填レベルに達したときにのみ流体連通にもたらされる、容器を有し得る。例えば、前記容器は、異なる場所に保持されることができ、及び前記サンプル収集機器の中に十分な量の血液又はサンプル流体があるときにのみ、技師により連通にもたらせられる。その時に、前記容器は、前記サンプル収集機器の１つ以上の前記チャネルと、同時に、又は順次に流体連通にもたらせられることができる。
【０３５０】
随意的に、収集ユニットのいくつかの実施形態は、非対称の、突起、又は任意の受け取り機器又は構造中のサンプル収集ユニットを配向させるための主要な（ｋｅｙｉｎｇ）特徴として機能する他の特徴を持つ断面を有し得る。
【０３５１】
非限定的な実施例として、いくつかの実施形態は、必ずしも生物学的なサンプルではない、サンプルの他のタイプを取り扱い得る。くの図が単一の注入口ポートのみを持つものとして、示されているが、いくつかの実施形態は、少なくとも２つの注入口ポートを有し得ることを理解されたい。いくつかの実施形態では、両方の注入口ポート機器の同じ端の上にある。随意的に、いくつかの実施形態は、注入口ポートを、前記機器の同じ表面の上に有し得る。随意的に、少なくとも２つの注入口は互いに隣接する。随意的には、少なくとも３つの注入口ポートがある。随意的に、少なくとも２つの注入口ポートのそれぞれは、少なくとも１つの毛細管のチューブにより画成される。それぞれの注入口が、それ自身の毛細管のチューブを有する、この実施形態では、少なくとも１つのチューブは、流体を、非分離経路に向かわせる一方で、２番目のチューブは、流体を分離経路に向かわせる。随意的に、いくつかの実施形態は、毛細管チューブにより形成される注入口を、非毛細管経路に付随する注入口と組み合わせ得る。いくつかの実施形態は、前記機器の中心線の軸に沿った注入口を有し得る。随意的に、いくつかの実施形態は、中心線から外れて配置される注入口を有し得る。随意的に、いくつかの実施形態は、前記機器の中心線の軸に沿うか、又は平行に注入口を配向させ得る。随意的に、いくつかの実施形態は、注入口を、前記機器の平面に対して角度を有する軸に沿って配向し得る。随意的に、分離機器の一端に注入口を有する代わりに、いくつかの実施形態は、分離機器の少なくとも１つの部分の直接上に注入口を有し得ることを理解されたい。この様式で、開口部は、横の管又は経路の中を最小限の移動量で流体を膜の上に向かわせることができる。
【０３５２】
随意的に、いくつかの実施形態は、別の内腔の中の少なくとも１つの内腔と同軸の設計を持つように構成され得る。随意的に、いくつかの実施形態は、収集機器の側面の表面上の外側のポートを、前記機器の一端にある、少なくとも１つのポートと共に用い得る。
【０３５３】
随意的に、いくつかの実施形態は、第二の機器部分と流体的に連結した分離用部材を含む流体回路部分の一部分を有し得る。いくつかの実施形態は、限定はされないが、試験用ストリップの構成の中にある等の少なくとも一部分との流体連通にある流体回路部分８００のこの組み合わせを有し得る。いくつかの実施形態は、この組み合わせを、側方流動の機器構成において有し得る。いくつかの実施形態は、両方の部分の指示を提供するために形成された単体構造又は他の合併した構造を有し得る。いくつかの実施形態では、第二の領域は、限定はされないが、第二の領域の少なくとも一部分中の、そのような材料に付随する、毛細管作用による吸引力等の原動力も提供する。
【０３５４】
随意的に、いくつかの実施形態は、非診療的機器において用いるための、少なくとも１つの形成された成分分離経路を有し得ることを理解されたい。非限定的な例として、前記機器は、サンプル収集のためのものであることができ、前記機器においては、診断は生じない。もちろん、いくつかの代替的な実施形態は、診断のための使用のための１つ以上の経路を有し得る。
【０３５５】
随意的に、いくつかの実施形態は、収集の間、又は収集後の機器内の流体の流れを支援するために、限定はされないが、前記機器に組み込まれたもの、及び／又はサンプル容器を処理するために使用される外部機器内に、振動力の源を提供できる。いくつかの実施形態は、流れを支援するために、又は限定はされないが、トップダウン型の充填を行う際等に形成され得る、何らかの空洞域を除去するために、振動を用い得る。随意的に、いくつかの実施形態は、流体の流れを支援するために、周期的な又はパルス型の力を提供し得る。
【０３５６】
多くの構成要素が、同一平面又は平行な平面上の配列中にあるように示されるが、いくつかの実施形態は、１つ以上の構成要素を、流体収集回路部分内の流体収集回路の平面に対して角度を有する平面上に、又は直交する平面上に有するために構成され得ることを理解されたい。前記流体収集回路は、平坦な平面状の機器ではなく、及び曲線的な構成にあり得る。随意的に、いくつかの実施形態は、円錐状の構成にある機器を有し得る。随意的に、いくつかの実施形態は、多角形の形状の断面を有する機器を有し得る。
【０３５７】
多くの実施形態では、前記流体回路部分は、透明な材料により形成され得ることも理解されたい。随意的に、前記流体回路部分は、半透明な材料で形成され得る。随意的に、前記流体回路部分の一部分は、塗料又は他の不透明な材料で覆われ得るか、不透明な材料で形成されること等ができるので、充填レベルを提供するために、流体を含む部分だけが透明であるか、又は半透明であることができる。そのような実施形態は、液体流路の全て又は一部分のみを、ユーザーに可視的にし得る。非限定的な一実施例では、バーコード、カラー・コーディング、可視的情報、指示、使用説明、充填指示器、広告、子供を引き付ける美的要素、模様付け、握る目的のための模様付け、輪郭のための模様付け、前記機器の前面のオリエンテーション等のフィードバックを提供するための模様付け、又は他のコーティングが本発明で用いられ得る。
【０３５８】
随意的に、いくつかの実施形態は、前記機器の遠位端部分の中の流体回路と、サンプル容器を持つ前記サンプル収集ユニットとの間に、中間的な構造を含み得る。この中間的な構造は、流体経路の中にあることができ、及び限定はされないが、限定はされないが、抗凝固剤等の物質を、収集された流体の中に導入する等の特定の機能を提供する。随意的に、流体経路中の、この中間的な構造は、追加的なサンプル又は他の液体物質を収集された流体に加えるための、切り替え又は接続経路等の別のルートを提供できる。
【０３５９】
随意的に、いくつかの実施形態は、使い捨て部分及び再使用可能な部分を持つことができ、この再使用可能な部分は、別の収集機器を形成するために、使い捨て部分と嵌合し得る。非限定的な例として、再使用可能な部分は、サンプル流体又はろ過された流体とは直接には接触しないものであり得る。
【０３６０】
追加的に、濃度、量、及び他の数的データは、本明細書では、範囲の形式で提供される。そのような範囲の形式は、単に利便性及び短さのために使われ、並びに前記範囲の限界として明示的に列挙された数値のみを含むのではなくて、全ての個々の数値、又はその範囲に含まれる、サブ範囲を、あたかもそれぞれの数値及びサブ範囲が明示的に列挙されているかのように含むことを理解されたい。例えば、例えば、約１ｎｍから約２００ｎｍまでという粒径範囲は、約１ｎｍ及び約２００ｎｍの明示的に提示された範囲だけでなく、２ｎｍ、３ｎｍ、４ｎｍ等の個々のサイズを、及び１０ｎｍから５０ｎｍ、２０ｎｍから１００ｎｍ、等のサブ範囲も含むように解釈されるべきである。
【０３６１】
本明細書において議論され、又は引用された刊行物は、単に本出願の出願日に先立つ開示として提供される。本明細書中の何物も、先行発明の理由で、かかる刊行物に先立つ資格がないことの承認と解釈されるべきではない。更に、提供されている刊行日は、個々に確認される必要のある実際の刊行日と異なることがあり得る。本明細書において言及される全ての刊行物は、構造及び／又は方法のいずれに前記刊行物が引用されているかを開示及び記載するために、参照により本明細書に組み込まれる。以下の出願は参照により、全ての目的で、完全に本明細書に取り込まれる：２０１４年３月１２日に出願された、米国特許出願第６１／９５２、１２５号、２０１４年３月１２日に出願された、米国特許出願第６１／９５２、１３０号、２０１４年３月５日に出願された、米国特許出願第６１／９４８、５４２号、２０１４年３月１２日に出願された、米国特許出願第６１／９５２、１１２号、２０１４年３月１５日に出願された、特許出願第ＰＣＴ／ＵＳ１４／３００７０号、２０１１年１月２１日に出願された、米国特許仮出願第６１／４３５、２５０号（“ＳＹＳＴＥＭＳ及びＭＥＴＨＯＤＳＦＯＲＳＡＭＰＬＥＵＳＥＭＡＸＩＭＩＺＡＴＩＯＮ”）、及び米国特許出願第２００９／００８８３３６号（“ＭＯＤＵＬＡＲＰＯＩＮＴ−ＯＦ−ＣＡＲＥＤＥＶＩＣＥＳ、ＳＹＳＴＥＭＳ、ＡＮＤＵＳＥＳＴＨＥＲＥＯＦ”）。
【０３６２】
（実施形態）
本明細書に記載される一実施形態では、被験者から体液サンプルを収集するための以下を含む機器が提供される：前記被験者と接触する前記機器の単一の端から前記機器中に前記体液サンプルを引き抜くために構成された、それにより流体サンプルを２個の別個のサンプルに分離する少なくとも２つのサンプル収集経路；前記サンプル収集経路において収集された、前記体液サンプルを受け取るための複数のサンプル容器を含む第二の部分であって、前記サンプル容器は、前記サンプル収集経路との流体連通にあるために、操作可能に係合可能であり、流体連通が確立されたときに、前記容器は、前記２個の別個のサンプルの大部分を前記経路から前記容器へ移動するための原動力を提供する。
【０３６３】
本明細書に記載される別の実施形態では、体液サンプルを収集するための以下を含む機器が提供される：第一のタイプの原動力を介して、その中の流体サンプルを引き抜くために構成された、少なくとも２つのサンプル収集経路に通じる、少なくとも１つの流体収集場所を含む第一の部分；前記サンプル収集経路から収集された体液サンプルを受け取るための複数のサンプル容器を含む第二の部分であって、前記サンプル収集経路との流体連通にあるために、操作可能に係合可能であり、流体連通が確立されたときに、前記容器は、前記２個の別個のサンプルの大部分を前記経路から前記容器へ移動するための前記第一の原動力とは異なる第二の原動力を提供し、少なくとも１つの前記サンプル収集経路は、いつ最小充填レベルに達したかを表示するための充填測定器を含み、及び少なくとも１つの前記サンプル容器は、少なくとも１つの前記サンプル収集経路と、流体連通にあるために係合し得る。
【０３６４】
本明細書に記載される別の実施形態では、体液サンプルを収集するための以下を含む機器が提供される：第一のタイプの原動力を介して、流体サンプルをサンプル収集チャネルの中に引き抜くために構成された、少なくとも２つのサンプル収集チャネルを含む第一の部分であって、サンプル収集チャネルの１つは、前記流体サンプルと混合するために設計された内部コーティングを有し、及び別の前記サンプル収集チャネルは、前記内部コーティングとは、化学的に異なる別の内部コーティングを有し；前記サンプル収集チャネルで収集された、体液サンプルを受け入れるための複数のサンプル容器を含む第二の部分であって、前記サンプル容器は前記サンプル収集経路との流体連通にあるために、操作可能に係合可能であり、流体連通が確立されたときに、前記容器は、前記２個の別個のサンプルの大部分を前記経路から前記容器へ移動するための前記第一の原動力とは異なる第二の原動力を提供し、前記容器は、前記容器の間での流体サンプルの混合が生じないように配列される。
【０３６５】
本明細書に記載される別の実施形態では、体液サンプルを収集するための以下を含む機器が提供される：複数のサンプル収集チャネルを含む第一の部分であって、少なくとも２つの前記チャネルは、前記少なくとも２つのサンプル収集チャネルのそれぞれの中に、第一のタイプの原動力を介して同時に流体サンプルを引き抜くために構成され;前記サンプ
ル収集チャネルで収集された体液サンプルを受け入れるための複数のサンプル容器を含む第二の部分であって、前記サンプル容器は前記サンプル容器が前記サンプル収集チャネルとの流体連結にない第一の状態、及び収集チャネルと流体連通するために、前記サンプル容器が、操作可能に係合可能である第二の状態を含み、流体連通が確立されたときに、体液サンプルを前記チャネルから前記容器に移動するために、前記容器は、前記第一の原動力とは異なる第二の原動力を提供する。
【０３６６】
本明細書に記載される別の実施形態では、体液サンプルを収集するための以下を含む機器が提供される：（ａ）第一の開口部及び第二の開口部を含み、及び前記第一の開口部から前記第二の開口部に向けて、毛細管作用により、体液サンプルを引き抜くために構成された収集チャネル；並びに（ｂ）前記体液サンプルを受け取るためのサンプル容器であって、前記容器は前記収集チャネルと係合可能可能であり、その中が真空の内部を有し、及びチャネルを受け取るために構成されたキャップを有し；前記第二の開口部は、前記サンプル容器のキャップを貫通し、及び流体の流路を前記収集チャネル及び前記サンプル容器の間に提供するために構成された前記収集チャネルの一部分により画成され、並びに前記サンプル容器は、前記収集チャネルの内部容積の１０倍未満の内部容積を有する。
【０３６７】
本明細書に記載される別の実施形態では、体液サンプルを収集するための以下を含む機器が提供される：（ａ）第一の開口部及び第二の開口部を含み、及び前記第一の開口部から前記第二の開口部に向けて、毛細管作用により、体液サンプルを引き抜くために構成された収集チャネル；（ｂ）前記体液サンプルを受け取るためのサンプル容器であって、前記容器は前記収集チャネルと係合可能可能であり、その中が真空の内部を有し、及びチャネルを受け取るために構成されたキャップを有し；並びに（ｃ）流体流路を前記収集チャネル及び前記サンプル容器の間に提供するために構成されたアダプター・チャネルであって、第一の開口部及び第二の開口部を有し、前記第一の開口部は、前記収集チャネルの第二の開口部に接触するために構成され、前記第二の開口部は、前記サンプル容器のキャップを貫通するために構成される。
【０３６８】
本明細書に記載される別の実施形態では、体液サンプルを収集するための以下を含む機器が提供される：（ａ）収集チャネルを含む本体であって、前記収集チャネルは、第一の開口部及び第二の開口部を含み、及び前記第一の開口部から前記第二の開口部に向けて、毛細管作用により、体液サンプルを引き抜くために構成され；（ｂ）前記体液サンプルを受け取るためのサンプル容器を含む基部であって、前記サンプル容器は前記収集チャネルと係合可能であり、その中が真空の内部を有し、及びチャネルを受け取るために構成されたキャップを有し；及び（ｃ）支持物であって、前記サンプル収集機器が、伸長状態及び圧縮状態を持つために構成され、前記機器の伸長状態では圧縮状態におけるよりも、少なくとも前記基部の一部分が、前記本体により近くなることができるように、前記本体及び前記基部は、前記支持物の反対側の端に結合され、及び互いに対して移動可能に構成され、前記収集チャネルの第二の開口部は、前記サンプル容器のキャップを貫通するために構成され、前記機器の伸長状態では、前記収集チャネルの第二の開口部は、前記サンプル容器の内部と接触せず、及び前記機器の圧縮状態では、前記収集チャネルの第二の開口部は、前記容器のキャップを貫通して前記サンプル容器の内部に延伸し、それにより前記収集チャネル及び前記サンプル容器の間に流体的連通を提供する。
【０３６９】
本明細書に記載される別の実施形態では、体液サンプルを収集するための以下を含む機器が提供される：（ａ）収集チャネルを含む本体であって、前記収集チャネルは、第一の開口部及び第二の開口部を含み、及び前記第一の開口部から前記第二の開口部に向けて、毛細管作用により、体液サンプルを引き抜くために構成され；（ｂ）前記体液サンプルを受け取るためのサンプル容器を含む基部であって、前記サンプル容器は前記収集チャネルと係合可能であり、その中が真空の内部を有し、及びチャネルを受け取るために構成されたキャップを有し；（ｃ）支持物、並びに（ｄ）第一の開口部及び第二の開口部を有するアダプター・チャネルであって、前記第一の開口部は、前記収集チャネルの第二の開口部と接触するために構成され、及び前記第二の開口部前記サンプル容器のキャップを貫通するために構成され、及び前記サンプル収集機器が、伸長状態及び圧縮状態を持つために構成され、前記機器の伸長状態では圧縮状態におけるよりも、少なくとも前記基部の一部分が、前記本体により近くなることができるように、前記本体及び前記基部は、前記支持物の反対側の端に結合され、及び互いに対して移動可能に構成され、前記機器の伸長状態では、前記アダプター・チャネルは、前記収集チャネル及び前記サンプル容器の内部の１つ又は両方と接触状態になく、及び前記機器の圧縮状態では、前記アダプター・チャネルの第一の開口部は、前記収集チャネルの第二の開口部と接触状態にあり、及び前記アダプター・チャネルの第二の開口部は、前記容器のキャップを貫通して、前記サンプル容器内部に伸長し、それにより前記収集チャネル及び前記サンプル容器の間に流体的連通を提供する。
【０３７０】
本明細書に記載される別の実施形態では、体液サンプルを収集するための以下を含む機器が提供される：（ａ）収集チャネルを含む本体であって、前記収集チャネルは、第一の開口部及び第二の開口部を含み、及び前記第一の開口部から前記第二の開口部に向けて、毛細管作用により、体液サンプルを引き抜くために構成され；（ｂ）前記本体に係合する基部であって、前記基部はサンプル容器を支持し、前記容器は前記収集チャネルと係合可能であり、その中が真空の内部を有し、及びチャネルを受け取るために構成されたキャップを有し；前記収集チャネルの第二の開口部は、前記容器のキャップを貫通して、前記サンプル容器内部に伸長し、それにより前記収集チャネル及び前記サンプル容器の間に流体的連通を提供するために構成される。
【０３７１】
本明細書に記載される別の実施形態では、体液サンプルを収集するための以下を含む機器が提供される：（ａ）収集チャネルを含む本体であって、前記収集チャネルは、第一の開口部及び第二の開口部を含み、及び前記第一の開口部から前記第二の開口部に向けて、毛細管作用により、体液サンプルを引き抜くために構成され；（ｂ）前記本体に係合する基部であって、前記基部はサンプル容器を支持し、前記容器は前記収集チャネルと係合可能であり、その中が真空の内部を有し、及びチャネルを受け取るために構成されたキャップを有し；（ｃ）第一の開口部及び第二の開口部を有するアダプター・チャネルであって、前記第一の開口部は、前記収集チャネルの第二の開口部と接触するために構成され、及び前記第二の開口部は、前記サンプル容器のキャップを貫通するために構成される。
【０３７２】
１つ以上の以下の特徴が、前記本明細書に記載される任意の実施形態との使用のために適応され得ることを理解されたい。非制限的な実施例として、前記本体は２個の収集チャネルを含み得る。随意的に、前記収集チャネルの内部は、抗凝血剤により被覆される。随意的に、前記本体は、第一の収集チャネル及び第二の収集チャネル、及び前記第一の収集チャネルの内部は、前記第二の収集チャネルの内部とは異なる抗凝血剤により被覆される。随意的に、前記第一の抗凝血剤はエチレンジアミン四酢酸（ＥＤＴＡ）であり、及び前記第二の抗凝血剤はＥＤＴＡとは異なる。随意的に、前記第一の抗凝血剤はクエン酸塩であり、及び前記第二の抗凝血剤はクエン酸塩とは異なる。随意的に、前記第一の抗凝血剤はヘパリンであり、及び前記第二の抗凝血剤はヘパリンとは異なる。随意的に、１つの抗凝血剤はヘパリンであり、及び前記第二の抗凝血剤はＥＤＴＡである。随意的に、１つの抗凝血剤はヘパリンであり、及び前記第二の抗凝血剤はクエン酸塩である。随意的に、１つの抗凝血剤はクエン酸塩であり、及び前記第二の抗凝血剤はＥＤＴＡである。随意的に、前記本体は、光学的に透過性の物質から形成される。随意的に、前記機器は、収集チャネルと同じ数のサンプル容器を含む。随意的に、前記機器は、収集チャネルと同じ数のアダプター・チャネルを含む。随意的に、前記基部は、前記サンプルが前記基部中のサンプル容器に到達したかの可視的表示を提供する光学的測定器を含む。随意的に、前記基部は、ユーザーが、前記基部内の容器を見ることができる窓である。随意的に、前記支持物はスプリングを含み、及び前記機器が、その自然な状態にあるときに、伸長状態にあることができるように、前記係合組立品は、スプリングは力を発揮する。随意的に、前記収集チャネル又は前記アダプター・チャネルの第二の開口部は、スリーブにより蓋をされ、前記スリーブは、前記第一の開口部から前記第二の開口部へ向かう、毛細管作用を介する体液の動きを防止しない。随意的に、前記スリーブは通気口を含む。随意的に、各収集チャネルは、５００μＬ程度の容積を保持し得る。随意的に、各収集チャネルは、２００μＬ程度の容積を保持し得る。随意的に、各収集チャネルは、１００μＬ程度の容積を保持し得る。随意的に、各収集チャネルは、７０μＬ程度の容積を保持し得る。随意的に、各収集チャネルは、５００μＬ程度の容積を保持し得る。随意的に、各収集チャネルは、３０μＬ程度の容積を保持し得る。随意的に、前記収集チャネルの断面の内部の円周の長さは、１６ｍｍ程度である。随意的に、前記収集チャネルの断面の内部の円周の長さは、８ｍｍ程度である。随意的に、前記収集チャネルの断面の内部の円周の長さは、４ｍｍ程度である。随意的に、前記内部の円周の長さは、円周である。随意的に、前記機器は、第一の及び第二の収集チャネルを含み、及び前記第一のチャネル開口部は、前記第二のチャネル開口部に隣接し、及び前記開口部は、血液の単一の滴から血液を同時に引き抜くために構成される。随意的に、前記第一のチャネルの開口部及び前記第二のチャネルの開口部は、約５ｍｍ以下の中心から中心への間隔を有する。随意的に、各サンプル容器は、係合可能である前記収集チャネル内部容積の２０倍未満の内部容積を有する。随意的に、各サンプル容器は、係合可能である前記収集チャネル内部容積の１０倍未満の内部容積を有する。随意的に、各サンプル容器は、係合可能である前記収集チャネル内部容積の５倍未満の内部容積を有する。随意的に、各サンプル容器は、係合可能である前記収集チャネル内部容積の２倍未満の内部容積を有する。随意的に、前記収集チャネル及び前記サンプル容器の間の流体的連通の確立は、前記収集チャネル中の前記体液サンプルの少なくとも９０％の前記サンプル容器中への移動をもたらす。
【０３７３】
１つ以上の以下の特徴が、前記本明細書に記載される任意の実施形態との使用のために適応され得ることを理解されたい。随意的に、前記収集チャネル及び前記サンプル容器の間の流体的連通の確立は、前記収集チャネル中の前記体液サンプルの少なくとも９０％の前記サンプル容器中への移動をもたらす。随意的に、前記収集チャネル及び前記サンプル容器の間の流体的連通の確立は、前記収集チャネル中の前記体液サンプルの少なくとも９８％の前記サンプル容器中への移動をもたらす。随意的に、前記収集チャネル及び前記サンプル容器の間の流体的連通の確立は、前記収集チャネル中の前記体液サンプルの前記サンプル容器中への移動をもたらし、１０μＬ程度の体液サンプルが、前記収集チャネルに残存することをもたらす。随意的に、前記収集チャネル及び前記サンプル容器の間の流体的連通の確立は、前記収集チャネル中の前記体液サンプルの前記サンプル容器中への移動をもたらし、５μＬ程度の体液サンプルが、前記収集チャネルに残存することをもたらす。随意的に、前記収集チャネル及び前記サンプル容器の間の流体的連通の確立は、前記収集チャネル中の前記体液サンプルの前記サンプル容器中への移動をもたらし、２μＬ程度の体液サンプルが、前記収集チャネルに残存することをもたらす。
【０３７４】
本明細書に記載される別の実施形態では、以下を含む方法が提供される：前記サンプルを前記サンプル収集機器の少なくとも２個の収集チャネル中に、第一のタイプの原動力の手段により引き抜くことにより、前記サンプルを、少なくとも２つの部分に、分けるために、サンプル収集機器の１つの端を体液サンプルに接触すること；所望の量のサンプル流体が少なくとも１つの前記収集チャネル内にあることを確認した後に、前記サンプル収集チャネル及び前記サンプル容器の間に流体連通を確立することであって、前記容器は、体液サンプル部分のそれぞれを、それぞれの容器内に移動するために、前記第一の原動力とは異なる第二の原動力を提供する。
【０３７５】
本明細書に記載される別の実施形態では、以下を含む方法が提供される：第一のタイプの原動力を介して、流体サンプルを、それぞれの少なくとも２つのサンプル収集チャネル内に同時に抜き取るために構成された、少なくとも２つのサンプル収集チャネルを持つサンプル収集機器を用いて、サンプルの最小量を、少なくとも２つの前記チャネルに調量して入れること；所望の量のサンプル流体が少なくとも１つの前記収集チャネル内にあることを確認した後に、前記サンプル収集チャネル及び前記サンプル容器の間に流体連通を確立することであって、前記容器は、体液サンプル部分のそれぞれを、それぞれの容器内に移動するために、収集するために用いられる、前記第一の原動力とは異なる第二の原動力を提供する。
【０３７６】
本明細書に記載される別の実施形態では、体液サンプルを収集するための以下を含む機器が提供される：（ａ）収集チャネルを含む機器であって、前記収集チャネルは第一の開口部及び第二の開口部を含み、及び前記第一の開口部から前記第二の開口部を通過して、前記体液サンプルが前記収集チャネルを充填できるように、前記第一の開口部から前記第二の開口部に向けて、毛細管作用により、体液サンプルを引き抜くために構成されている機器を体液サンプルと接触させること；（ｂ）前記収集チャネル及び前記サンプル容器の内部の間に、流体流路を確立することであって、前記サンプル容器は、前記収集チャネルの内部容積の１０倍未満の内部容積を有し、及び前記収集チャネル及び前記サンプル容器内部の間の流体流路の確立が、前記収集チャネルの第二の開口部において陰圧を生成し、及び前記流体性サンプルが、前記収集チャネルから、前記サンプル容器内部へ移動されることができるように、前記収集チャネル及び前記サンプル容器内部の間の流体流路が確立される前は真空を有する。
【０３７７】
本明細書に記載される別の実施形態では、体液サンプルを収集するための以下を含む機器が提供される：（ａ）機器中の少なくとも１つの前記収集チャネルの第一の開口部から第二の開口部を経由して、前記体液サンプルが前記収集チャネルを充填できるように、体液サンプルを本明細書に記載される任意の収集機器と接触させること；及び（ｂ）前記収集チャネル及び前記サンプル容器内部の流体流路の確立が、前記収集チャネルの第二の開口部において陰圧を生成し、及び前記流体性サンプルが、前記収集チャネルから前記サンプル容器内部へ移動されるように、前記収集チャネル及び前記サンプル容器内部の間に流体流路を確立すること。
【０３７８】
１つ以上の以下の特徴が、前記本明細書に記載される任意の実施形態との使用のために適応され得ることを理解されたい。随意的に、前記体液が前記収集チャネルの第二の開口部に達するまでは、前記収集チャネル及び前記サンプル容器内部は、流体連通にもたらされない。随意的に、前記機器は２個の収集チャネルを含み、前記体液が前記両方の収集チャネルの第二の開口部に達するまでは、前記収集チャネル及び前記サンプル容器内部は、流体連通にもたらされない。随意的に、前記機器中の前記収集チャネルの第二の開口部は、前記サンプル容器のキャップを貫通するために構成され、及び前記収集チャネルの第二の開口部及び前記サンプル容器の間の流体性流路は、前記収集チャネルの第二の開口部が前記サンプル容器のキャップを貫通するように、前記収集チャネルの第二の開口部及び前記サンプル容器の間の相対的な動きを提供することにより確立される。随意的に、前記機器は、前記機器の各収集チャネルに対してアダプター・チャネルを有し、前記アダプター・チャネルは第一の開口部及び第二の開口部を有し、前記第一の開口部は、前記収集チャネルの第二の開口部と接触するために構成され、及び前記第二の開口部は前記サンプル容器のキャップと接触するために構成され、及び前記収集チャネル及び前記サンプル容器の間の流体性流路は、アダプター・チャネルの第二の開口部が前記サンプル容器のキャップを貫通するように、２つ以上の：（ａ）前記収集チャネルの第二の開口部、（ｂ）前記アダプター・チャネル、及び（ｃ）前記サンプル容器の間の相対的な動きにを提供することにより確立される。
【０３７９】
本明細書に記載される別の実施形態では、被験者から体液サンプルを収集するための以下を含む機器が提供される：（ａ）第一のチャネル及び第二のチャネルを含む機器を、前記被験者からの体液との流体的連通にもたらすことであって、各チャネルは、前記体液との流体的連通のために構成された、流入開口部を有し、各チャネルは、各チャネルの入り口開口部の下流に流出開口部を有し、及び各チャネルは、前記流入開口部から前記流出開口部に向かって毛細管作用を介して、体液を引き抜くために構成され；（ｂ）前記第一のチャネル及び前記第二のチャネルのそれぞれの前記流出開口部を介して、前記第一のチャネル及び前記第二のチャネルを、それぞれ第一の容器及び第二の容器との流体的連通にもたらすこと；及び（ｃ）前記第一のチャネル及び第二のチャネルのそれぞれの中の前記体液を、以下の（ｉ）又は（ｉｉ）の支援により、前記第一の容器及び第二の容器のそれぞれに向かわせること：（ｉ）前記第一の容器又は前記第二の容器陰圧内の大気圧に対する陰圧であって、前記陰圧は、前記体液が前記第一のチャネル又は前記第二のチャネルを通過して対応する容器内に流れ込むのに十分である、又は（ｉｉ）前記第一のチャネル又は前記第二のチャネル内の大気圧に対する陽圧であって、前記陽圧前記体液が前記第一のチャネル又は前記第二のチャネルを通過して対応する容器内に流れ込むのに十分である。
【０３８０】
本明細書に記載される別の実施形態では、以下を含むサンプル収集機器を製造する方法が提供される：少なくとも２つのサンプル収集チャネルのそれぞれの中に、第一のタイプの原動力を介して流体サンプルを同時に引き抜くために構成された、少なくとも２つのチャネルを持つ、サンプル収集機器の１つの部分を形成すること；サンプル容器を形成することであって、前記チャネルから前記容器内に体液サンプルを移動するために前記サンプルを採集するために用いる、前記第一の原動力とは異なる第二の原動力を提供するために、前記容器は前記サンプル収集機器と連結するために構成される。
【０３８１】
本明細書に記載される別の実施形態では、以下を含む方法を遂行するためにのコンピュータにより遂行される指示が提供される：少なくとも２つのサンプル収集チャネルのそれぞれの中に、第一のタイプの原動力を介して流体サンプルを同時に引き抜くために構成された、少なくとも２つのチャネルを持つ、サンプル収集機器の１つの部分を形成すること。
【０３８２】
本明細書に記載される別の実施形態では、以下を含む方法を遂行するためにのコンピュータにより遂行される指示が提供される：サンプル容器を形成することであって、前記チャネルから前記容器内に体液サンプルを移動するために前記サンプルを採集するために用いる、前記第一の原動力とは異なる第二の原動力を提供するために、前記容器は前記サンプル収集機器と連結するために構成される。
【０３８３】
本明細書に記載される更に別の実施形態では、被験者から体液サンプルを収集するための以下を含む機器が提供される：前記被験者と接触する前記機器の単一の端から、前記体液サンプルを前記機器の中に引き抜きそれにより流体サンプルを２個の別個のサンプルに分けるための手段；流体サンプルを複数のサンプル容器中に移動させる手段であって、前記容器は、前記２個の別個のサンプルの大部分が前記経路から前記容器内に移動するための原動力を提供する。
【０３８４】
上述のことは、本発明の好適な実施例の完全な記載であるが、様々な代替物、修正及び等価物を使用することが可能である。従って、現在の発明の範囲は、上記の記載を参照して決定されるべきではなく、添付の特許請求の範囲、及びそれらの等価物の完全な範囲を参照して決定されるべきである。好適であるか、又はないかに関わらず、任意の特徴が、好適であるか、又はないかに関わらず、他の特徴と組み合わされ得る。「ｍｅａｎｓ  ｆｏｒ（ための手段）」の語句を使用して、所定の請求項が明確に言明されていない限り、添付された請求項は、手段プラス機能の限定を含むものとは解釈されない。本明細書の記載、以下の特許請求範囲の全体を通して用いられるように、「ａ（１つ）」「ａｎ（１つ）」「ｔｈｅ（前記の）」は、文脈において明白に示さない限り、複数の意味を含むことを理解されたい。更に、本明細書の記載、及び以下の特許請求の範囲の全体を通して用いられる、「ｉｎ（〜の中に）」の意味は、文脈で明白に示されない限り、「ｉｎ（〜の中に）」、及び「ｏｎ（〜の上に）」を含む。最後に、更に、本明細書の記載、及び以下の特許請求の範囲の全体を通して用いられる、「ａｎｄ（及び）」、「ｏｒ（又は）」の意味は、文脈で明白に示されない限り、接続詞及び離接的接続詞を含み、交換可能に使用され得る。従って、文脈で明白に指示しない限り、文脈の中で「ａｎｄ（及び）」、又は「ｏｒ（又は）」という用語が使用される場合、そのような接続の使用法は「ａｎｄ／ｏｒ（及び／又は）」を除外しない。
【０３８５】
この文書は著作権保護の対象になる資料を含む。例えば、本明細書において示された図は、全て著作権により保護されるものである。それらが米国特許商標局の特許ファイル又は記録に現われるので、版権所有者（本明細書における特許申請人）は、特許文献及び開示の複製に反対しないが、そうでなければ何であるかに関わらず、全て著作権を保有する。以下の注意が適用される：著作権２０１３年  テラノス社
【図１】
2020101561.tif 000004
【図２】
2020101561.tif 000005
【図３】
2020101561.tif 000006
【図４】
2020101561.tif 000007
【図５】
2020101561.tif 000008
【図６】
2020101561.tif 000009
【図７】
2020101561.tif 000010
【図８】
2020101561.tif 000011
【図９】
2020101561.tif 000012
【図１０】
2020101561.tif 000013
【図１１−１】
2020101561.tif 000014
【図１１−２】
2020101561.tif 000015
【図１１−３】
2020101561.tif 000016
【図１１−４】
2020101561.tif 000017
【図１１−５】
2020101561.tif 000018
【図１１−６】
2020101561.tif 000019
【図１１−７】
2020101561.tif 000020
【図１１−８】
2020101561.tif 000021
【図１１−９】
2020101561.tif 000022
【図１１−１０】
2020101561.tif 000023
【図１２】
2020101561.tif 000024
【図１３−１】
2020101561.tif 000025
【図１３−２】
2020101561.tif 000026
【図１４】
2020101561.tif 000027
【図１５】
2020101561.tif 000028
【図１６】
2020101561.tif 000029
【図１７】
2020101561.tif 000030
【図１８−１】
2020101561.tif 000031
【図１８−２】
2020101561.tif 000032
【図１８−３】
2020101561.tif 000033
【図１９】
2020101561.tif 000034
【図２０】
2020101561.tif 000035
【図２１】
2020101561.tif 000036
【図２２】
2020101561.tif 000037
【図２３】
2020101561.tif 000038
【図２４】
2020101561.tif 000039
【図２５】
2020101561.tif 000040
【図２６】
2020101561.tif 000041
【図２７】
2020101561.tif 000042
【図２８】
2020101561.tif 000043
【図２９】
2020101561.tif 000044
【図３０】
2020101561.tif 000045
【図３１】
2020101561.tif 000046
【図３２】
2020101561.tif 000047
【図３３】
2020101561.tif 000048
【図３４】
2020101561.tif 000049
【図３５】
2020101561.tif 000050
【図３６】
2020101561.tif 000051
【図３７】
2020101561.tif 000052
【図３８−１】
2020101561.tif 000053
【図３８−２】
2020101561.tif 000054
【図３９】
2020101561.tif 000055
【外国語明細書】
2020101561000001.pdf